(57)【要約】  本発明の実施形態は、通信の分野に関する、データ送信の方法および装置とUEとを提供する。この方法は、第1のUEによってフィードバックされたダウンリンクCQIを受信し、第1のUEによってフィードバックされたダウンリンクCQIに従って第1のUEの第1のダウンリンクMCSを判定するステップと、第1のUEの第1のダウンリンクMCSに従って第1のUEに第1のセルの送信リソースを割り振るステップであって、第1のセルは、第1のUEのサービングセルである、割り振るステップと、第1のUEの測定集合内の各セルのSBレベルのアップリンクチャネル行列を獲得するステップと、第1のUEの測定集合内の各セルのSBレベルのアップリンクチャネル行列に従って、第1のUEの送信集合内の各セルによって送信されるダウンリンク送信ストリームのSINRを判定するステップと、送信されるダウンリンク送信ストリームのSINRに従って第1のUEの第2のダウンリンクMCSを判定するステップとを含む。本発明においては、チャネル品質を十分に使用することができ、送信効率を改善することができる。
2016526352.tif 000002
【特許請求の範囲】
【請求項１】
第1のユーザ機器によってフィードバックされたダウンリンクチャネル品質インジケータを受信し、前記第1のユーザ機器によってフィードバックされた前記ダウンリンクチャネル品質インジケータに従って前記第1のユーザ機器の第1のダウンリンク変調およびコーディング方式を判定するステップと、
前記第1のユーザ機器の前記第1のダウンリンク変調およびコーディング方式に従って前記第1のユーザ機器に第1のセルの送信リソースを割り振るステップであって、前記第1のセルは、前記第1のユーザ機器のサービングセルである、割り振るステップと、
前記第1のユーザ機器の測定集合内の各セルのサブ帯域幅レベルのアップリンクチャネル行列を獲得するステップであって、前記第1のユーザ機器の前記測定集合内の各セルの前記サブ帯域幅レベルの前記アップリンクチャネル行列は、前記第1のユーザ機器によって第1の基地局に送信されるサウンディング参照信号に従って判定され、前記第1の基地局は、前記第1のユーザ機器の前記測定集合内の各セルが属する基地局である、獲得するステップと、
前記第1のユーザ機器の前記測定集合内の各セルの前記サブ帯域幅レベルの前記アップリンクチャネル行列に従って、前記第1のユーザ機器の送信集合内の各セルによって送信されるダウンリンク送信ストリームの信号対干渉雑音比を判定するステップであって、前記第1のユーザ機器の前記送信集合は、前記第1のユーザ機器の前記測定集合の部分集合である、判定するステップと、
送信される前記ダウンリンク送信ストリームの前記信号対干渉雑音比に従って前記第1のユーザ機器の第2のダウンリンク変調およびコーディング方式を判定するステップと
を含む、データ送信方法。
【請求項２】
前記第1のユーザ機器の前記測定集合内の各セルの前記サブ帯域幅レベルの前記アップリンクチャネル行列に従って、前記第1のユーザ機器の送信集合内の各セルによって送信されるダウンリンク送信ストリームの信号対干渉雑音比を判定する前記ステップは、
前記第1のユーザ機器の前記測定集合内の各セルの前記サブ帯域幅レベルの前記アップリンクチャネル行列に従って、前記第1のユーザ機器の前記送信集合内の各セルによって送信される前記ダウンリンク送信ストリームの前記サブ帯域幅レベルの信号対干渉雑音比を判定するステップと、
前記第1のユーザ機器の前記送信集合内の前記セルによって送信される前記ダウンリンク送信ストリームの前記サブ帯域幅レベルの前記信号対干渉雑音比を合成し、前記第1のユーザ機器の前記送信集合内の各セルによって送信される前記ダウンリンク送信ストリームの前記信号対干渉雑音比を取得するステップと
を含む、請求項1に記載の方法。
【請求項３】
前記第1のユーザ機器の前記測定集合内の各セルの前記サブ帯域幅レベルの前記アップリンクチャネル行列に従って、前記第1のユーザ機器の前記送信集合内の各セルによって送信される前記ダウンリンク送信ストリームの前記サブ帯域幅レベルの信号対干渉雑音比を判定する前記ステップの前に、
送信される前記ダウンリンク送信ストリームに関して、前記第1のユーザ機器の前記測定集合の外部のセルの前記サブ帯域幅レベルの干渉および雑音電力を0にセットするステップ
をさらに含む、請求項2に記載の方法。
【請求項４】
前記第1のユーザ機器の前記測定集合内の各セルの前記サブ帯域幅レベルの前記アップリンクチャネル行列に従って、前記第1のユーザ機器の前記送信集合内の各セルによって送信される前記ダウンリンク送信ストリームの前記サブ帯域幅レベルの信号対干渉雑音比を判定する前記ステップの前に、
前記第1のユーザ機器の前記測定集合内の各セルの前記サブ帯域幅レベルの前記アップリンクチャネル行列に従って、送信される前記ダウンリンク送信ストリームに関する前記第1のユーザ機器の前記測定集合の外部のセルの前記サブ帯域幅レベルの干渉および雑音電力を判定するステップ
をさらに含む、請求項2に記載の方法。
【請求項５】
前記第1のユーザ機器の前記測定集合内の各セルの前記サブ帯域幅レベルの前記アップリンクチャネル行列に従って、送信される前記ダウンリンク送信ストリームに関する前記第1のユーザ機器の前記測定集合の外部のセルの前記サブ帯域幅レベルの干渉および雑音電力を判定する前記ステップは、
前記第1のユーザ機器の前記測定集合内の各セルの前記サブ帯域幅レベルの前記アップリンクチャネル行列に従って、送信される前記ダウンリンク送信ストリームに関する前記第1のユーザ機器の前記測定集合内のセルの前記サブ帯域幅レベルの干渉および雑音電力を判定するステップと、
送信される前記ダウンリンク送信ストリームに関する前記第1のユーザ機器の前記測定集合内の前記セルの前記サブ帯域幅レベルの前記干渉および雑音電力に従って、送信される前記ダウンリンク送信ストリームに関する前記第1のユーザ機器の前記測定集合の外部の前記セルの前記サブ帯域幅レベルの前記干渉および雑音電力を判定するステップと
を含む、請求項4に記載の方法。
【請求項６】
前記第1のユーザ機器の前記測定集合内の各セルの前記サブ帯域幅レベルの前記アップリンクチャネル行列に従って、送信される前記ダウンリンク送信ストリームに関する前記第1のユーザ機器の前記測定集合内のセルの前記サブ帯域幅レベルの干渉および雑音電力を判定する前記ステップは、
次式に従って、送信される前記ダウンリンク送信ストリームに関する前記第1のユーザ機器の前記測定集合内の前記セルの前記サブ帯域幅レベルの前記干渉および雑音電力を判定するステップを含み、
【数１】
2016526352.tif 000186
ここで、
【数２】
2016526352.tif 000187
は、送信される前記ダウンリンク送信ストリームに関する前記第1のユーザ機器の前記測定集合内の前記セルの第sbのサブ帯域幅の干渉および雑音電力であり、sbは、サブ帯域幅番号であり、sb∈{x|1≦x≦NSB}であり、NSBは、前記第1のセルの前記送信リソース内の前記サブ帯域幅の量であり、
【数３】
2016526352.tif 000188
であり、Pmは、第mのセルの送信アンテナの総電力であり、
【数４】
2016526352.tif 000189
は、前記第mのセルの第sbのサブ帯域幅のアップリンクチャネル行列であり、
【数５】
2016526352.tif 000190
は、前記第mのセル内で現在のスケジューリングに使用される前記第sbのサブ帯域幅の送信重み行列であり、mは、前記第1のユーザ機器の前記測定集合内のセル番号であり、m∈{x|1≦x≦M}であり、Mは、前記第1のユーザ機器の前記測定集合内のセルの量であり、μMは、前記第1のユーザ機器の前記測定集合であり、μTは、前記第1のユーザ機器の前記送信集合であり、meanは、各列の平均値を取得するのに一般に使用される行列平均化であり、diagは、対角要素を示し、(*)Hは、*の共役転置を示す
請求項5に記載の方法。
【請求項７】
送信される前記ダウンリンク送信ストリームに関する前記第1のユーザ機器の前記測定集合内の前記セルの前記サブ帯域幅レベルの前記干渉および雑音電力に従って、送信される前記ダウンリンク送信ストリームに関する前記第1のユーザ機器の前記測定集合の外部の前記セルの前記サブ帯域幅レベルの前記干渉および雑音電力を判定する前記ステップは、
次式に従って、送信される前記ダウンリンク送信ストリームに関する前記第1のユーザ機器の前記測定集合の外部の前記セルの前記サブ帯域幅レベルの前記干渉および雑音電力を判定するステップを含み、
【数６】
2016526352.tif 000191
ここで、
【数７】
2016526352.tif 000192
は、送信される前記ダウンリンク送信ストリームに関する前記第1のユーザ機器の前記測定集合の外部の前記セルの第sbのサブ帯域幅の干渉および雑音電力であり、αは、前記第1のユーザ機器の前記測定集合内の干渉に対する前記第1のユーザ機器の前記測定集合の外部の干渉の干渉比係数を示し、
【数８】
2016526352.tif 000193
は、送信される前記ダウンリンク送信ストリームに関する前記第1のユーザ機器の前記測定集合内の前記セルの前記第sbのサブ帯域幅の前記干渉および雑音電力であり、sbは、サブ帯域幅番号であり、sb∈{x|1≦x≦NSB}であり、NSBは、前記第1のセルの前記送信リソース内の前記サブ帯域幅の量である
請求項5または6に記載の方法。
【請求項８】
第1のユーザ機器の前記測定集合内の各セルの前記サブ帯域幅レベルの前記アップリンクチャネル行列に従って、送信される前記ダウンリンク送信ストリームに関する前記第1のユーザ機器の前記測定集合の外部のセルの前記サブ帯域幅レベルの干渉および雑音電力を判定する前記ステップは、
前記第1のユーザ機器の前記測定集合内の各セルの前記サブ帯域幅レベルの前記アップリンクチャネル行列に従って、前記第1のユーザ機器によって仮定されるダウンリンク送信ストリームに関する前記第1のユーザ機器の前記測定集合の外部の前記セルの前記サブ帯域幅レベルの干渉および雑音電力を判定するステップと、
前記仮定されるダウンリンク送信ストリームに関する前記第1のユーザ機器の前記測定集合の外部の前記セルの前記サブ帯域幅レベルの前記干渉および雑音電力に従って、送信される前記ダウンリンク送信ストリームに関する前記第1のユーザ機器の前記測定集合の外部の前記セルの前記サブ帯域幅レベルの前記干渉および雑音電力を判定するステップと
を含む、請求項4に記載の方法。
【請求項９】
前記第1のユーザ機器の前記測定集合内の各セルの前記サブ帯域幅レベルの前記アップリンクチャネル行列に従って、送信される前記ダウンリンク送信ストリームに関する前記第1のユーザ機器の前記測定集合の外部のセルの前記サブ帯域幅レベルの干渉および雑音電力を判定する前記ステップは、
送信される前記ダウンリンク送信ストリームに関する前記第1のユーザ機器の前記測定集合の外部の前記セルの前記サブ帯域幅レベルの前記干渉および雑音電力を計算すべきかどうかを判定するステップと、
送信される前記ダウンリンク送信ストリームに関する前記第1のユーザ機器の前記測定集合の外部の前記セルの前記サブ帯域幅レベルの前記干渉および雑音電力が計算されない場合に、送信される前記ダウンリンク送信ストリームに関して、前記第1のユーザ機器の前記測定集合の外部の前記セルの前記サブ帯域幅レベルの前記干渉および雑音電力を0にセットするステップと、
送信される前記ダウンリンク送信ストリームに関する前記第1のユーザ機器の前記測定集合の外部の前記セルの前記サブ帯域幅レベルの前記干渉および雑音電力が計算される場合に、前記第1のユーザ機器の前記測定集合内の各セルの前記サブ帯域幅レベルの前記アップリンクチャネル行列に従って、前記仮定されるダウンリンク送信ストリームに関する前記第1のユーザ機器の前記測定集合の外部の前記セルの前記サブ帯域幅レベルの干渉および雑音電力を判定し、前記仮定されるダウンリンク送信ストリームに関する前記第1のユーザ機器の前記測定集合の外部の前記セルの前記サブ帯域幅レベルの前記干渉および雑音電力に従って、送信される前記ダウンリンク送信ストリームに関する前記第1のユーザ機器の前記測定集合の外部の前記セルの前記サブ帯域幅レベルの前記干渉および雑音電力を判定するステップと
を含む、請求項4に記載の方法。
【請求項１０】
送信される前記ダウンリンク送信ストリームに関する前記第1のユーザ機器の前記測定集合の外部の前記セルの前記サブ帯域幅レベルの前記干渉および雑音電力を計算すべきかどうかを判定する前記ステップは、
送信される前記ダウンリンク送信ストリームに関する前記第1のユーザ機器の前記測定集合の外部の前記セルの前記サブ帯域幅レベルの前記干渉および雑音電力を計算するのに必要なコードの量としきい値を比較するステップと、
コードの前記量が前記しきい値より多い場合に、送信される前記ダウンリンク送信ストリームに関する前記第1のユーザ機器の前記測定集合の外部の前記セルの前記サブ帯域幅レベルの前記干渉および雑音電力の計算をスキップするステップと、
コードの前記量が前記しきい値より少ない場合に、送信される前記ダウンリンク送信ストリームに関する前記第1のユーザ機器の前記測定集合の外部の前記セルの前記サブ帯域幅レベルの前記干渉および雑音電力を計算するステップと
を含む、請求項9に記載の方法。
【請求項１１】
送信される前記ダウンリンク送信ストリームに関する前記第1のユーザ機器の前記測定集合の外部の前記セルの前記サブ帯域幅レベルの前記干渉および雑音電力を計算すべきかどうかを判定する前記ステップは、
別々に、MをMThrと比較し、(M-T)をIThrと比較するステップと、
M>MThrかつ(M-T)>IThrである場合に、送信される前記ダウンリンク送信ストリームに関する前記第1のユーザ機器の前記測定集合の外部の前記セルの前記サブ帯域幅レベルの前記干渉および雑音電力の計算をスキップし、
そうでない場合に、送信される前記ダウンリンク送信ストリームに関する前記第1のユーザ機器の前記測定集合の外部の前記セルの前記サブ帯域幅レベルの前記干渉および雑音電力を計算するステップと
を含み、Mは、前記第1のユーザ機器の前記測定集合内のセルの量であり、Tは、前記第1のユーザ機器の前記送信集合内のセルの量であり、MThrおよびIThrは、集合しきい値である
請求項9に記載の方法。
【請求項１２】
前記仮定されるダウンリンク送信ストリームに対応するダウンリンクチャネル品質インジケータが、第1の信号対雑音比に従って取得され、前記第1の信号対雑音比が、前記第1のセル以外のセルの干渉および雑音電力に対する前記第1のセルのダウンリンクパイロット信号の比率である時に、前記第1のユーザ機器の前記測定集合内の各セルの前記サブ帯域幅レベルの前記アップリンクチャネル行列に従って、前記仮定されるダウンリンク送信ストリームに関する前記第1のユーザ機器の前記測定集合の外部の前記セルの前記サブ帯域幅レベルの干渉および雑音電力を判定する前記ステップは、
前記第1のユーザ機器によって仮定される送信モードが、送信ダイバーシティである場合に、次式に従って、第sfbの仮定されるダウンリンク送信ストリームに関する前記第1のユーザ機器の前記測定集合の外部の前記セルの前記サブ帯域幅レベルの干渉および雑音電力を判定するステップであって、
【数９】
2016526352.tif 000194
ここで、
【数１０】
2016526352.tif 000195
は、第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Tnumは、前記第1のセルの送信アンテナの量であり、Pmは、第mのセルの送信アンテナの総電力であり、mは、前記第1のユーザ機器の前記測定集合内のセル番号であり、m∈{x|1≦x≦M}であり、Mは、前記第1のユーザ機器の前記測定集合内のセルの量であり、
【数１１】
2016526352.tif 000196
は、前記第mのセルの前記第sbのサブ帯域幅のアップリンクチャネル行列であり、
【数１２】
2016526352.tif 000197
は、前記第1のセルのセル参照信号の仮想アンテナマッピング行列であり、
【数１３】
2016526352.tif 000198
は、前記第sfbの仮定されるダウンリンク送信ストリームに関する前記第1のユーザ機器の前記測定集合の外部の前記セルの、前記仮定されるダウンリンク送信ストリームに対応する前記ダウンリンクチャネル品質インジケータに従ってマッピングを介して取得される、前記第sbのサブ帯域幅の信号対雑音比であり、
【数１４】
2016526352.tif 000199
は、前記第mのセル内で現在のスケジューリングの前に使用された前記第sbのサブ帯域幅の送信重み行列であり、μMは、前記測定集合であり、Σ*は、*の和を示し、
【数１５】
2016526352.tif 000200
は、*のすべての要素の二乗和の平方根の抽出を示す、判定するステップ、または、
前記第1のユーザ機器によって仮定される送信モードが、閉ループ空間多重化である場合に、次式に従って、前記第sfbの仮定されるダウンリンク送信ストリームに関する前記第1のユーザ機器の前記測定集合の外部の前記セルの前記サブ帯域幅レベルの干渉および雑音電力を判定するステップであって、
【数１６】
2016526352.tif 000201
ここで、
【数１７】
2016526352.tif 000202
は、前記第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Pmは、第mのセルの送信アンテナの総電力であり、mは、前記第1のユーザ機器の前記測定集合内のセル番号であり、m∈{x|1≦x≦M}であり、Mは、前記第1のユーザ機器の前記測定集合内のセルの量であり、
【数１８】
2016526352.tif 000203
は、前記第mのセルの前記第sbのサブ帯域幅のアップリンクチャネル行列であり、
【数１９】
2016526352.tif 000204
は、前記第1のセルのセル参照信号の仮想アンテナマッピング行列であり、
【数２０】
2016526352.tif 000205
は、前記第sfbの仮定されるダウンリンク送信ストリームに関する前記第1のユーザ機器の前記測定集合の外部の前記セルの前記第sbのサブ帯域幅の、前記仮定されるダウンリンク送信ストリームに対応する前記ダウンリンクチャネル品質インジケータに従ってマッピングを介して取得される、信号対雑音比であり、
【数２１】
2016526352.tif 000206
は、前記第mのセル内で現在のスケジューリングの前に使用された前記第sbのサブ帯域幅の送信重み行列であり、
【数２２】
2016526352.tif 000207
は、前記第sfbの仮定されるダウンリンク送信ストリームの前記第sbのサブ帯域幅のプリコーディングベクトルであり、μMは、前記第1のユーザ機器の前記測定集合であり、Σ*は、*の和を示し、
【数２３】
2016526352.tif 000208
は、*のすべての要素の二乗和の平方根の抽出を示す、判定するステップ
を含む、請求項8から11のいずれか一項に記載の方法。
【請求項１３】
前記仮定されるダウンリンク送信ストリームに対応するダウンリンクチャネル品質インジケータが、第2の信号対雑音比に従って取得され、前記第2の信号対雑音比が、前記第1のユーザ機器の前記測定集合の外部の前記セルの干渉および雑音電力に対する前記第1のセルのダウンリンクパイロット信号の比率である時に、前記第1のユーザ機器の前記測定集合内の各セルの前記サブ帯域幅レベルの前記アップリンクチャネル行列に従って、前記仮定されるダウンリンク送信ストリームに関する前記第1のユーザ機器の前記測定集合の外部の前記セルの前記サブ帯域幅レベルの干渉および雑音電力を判定する前記ステップは、
前記第1のユーザ機器によって仮定される送信モードが、送信ダイバーシティである場合に、次式に従って、第sfbの仮定されるダウンリンク送信ストリームに関する前記第1のユーザ機器の前記測定集合の外部の前記セルの前記サブ帯域幅レベルの干渉および雑音電力を判定するステップであって、
【数２４】
2016526352.tif 000209
ここで、
【数２５】
2016526352.tif 000210
は、前記第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Tnumは、前記第1のセルの送信アンテナの量であり、Pmは、第mのセルの送信アンテナの総電力であり、mは、前記第1のユーザ機器の前記測定集合内のセル番号であり、m∈{x|1≦x≦M}であり、Mは、前記第1のユーザ機器の前記測定集合内のセルの量であり、
【数２６】
2016526352.tif 000211
は、前記第mのセルの前記第sbのサブ帯域幅のアップリンクチャネル行列であり、
【数２７】
2016526352.tif 000212
は、前記第1のセルのセル参照信号の仮想アンテナマッピング行列であり、
【数２８】
2016526352.tif 000213
は、前記第sfbの仮定されるダウンリンク送信ストリームに関する前記第1のユーザ機器の前記測定集合の外部の前記セルの前記第sbのサブ帯域幅の、前記仮定されるダウンリンク送信ストリームに対応する前記ダウンリンクチャネル品質インジケータに従ってマッピングを介して取得される、信号対雑音比であり、
【数２９】
2016526352.tif 000214
は、*のすべての要素の二乗和の平方根の抽出を示す、判定するステップ、
前記第1のユーザ機器によって仮定される送信モードが、閉ループ空間多重化であり、前記第1のユーザ機器の前記送信集合内のセルによるダウンリンク送信ストリームの送信の送信モードが、送信モード8である場合に、次式に従って、前記第sfbの仮定されるダウンリンク送信ストリームに関する前記第1のユーザ機器の前記測定集合の外部の前記セルの前記サブ帯域幅レベルの干渉および雑音電力を判定するステップであって、
【数３０】
2016526352.tif 000215
ここで、
【数３１】
2016526352.tif 000216
は、前記第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Pmは、第mのセルの送信アンテナの総電力であり、mは、前記第1のユーザ機器の前記測定集合内のセル番号であり、m∈{x|1≦x≦M}であり、Mは、前記第1のユーザ機器の前記測定集合内のセルの量であり、
【数３２】
2016526352.tif 000217
は、前記第mのセルの前記第sbのサブ帯域幅のアップリンクチャネル行列であり、
【数３３】
2016526352.tif 000218
は、前記第1のセルのセル参照信号の仮想アンテナマッピング行列であり、
【数３４】
2016526352.tif 000219
は、前記第sfbの仮定されるダウンリンク送信ストリームに関する前記第1のユーザ機器の前記測定集合の外部の前記セルの第sbのサブ帯域幅の、前記仮定されるダウンリンク送信ストリームに対応する前記ダウンリンクチャネル品質インジケータに従ってマッピングを介して取得される、信号対雑音比であり、
【数３５】
2016526352.tif 000220
は、*のすべての要素の二乗和の平方根の抽出を示す、判定するステップ、または、
前記第1のユーザ機器によって仮定される送信モードが、閉ループ空間多重化であり、前記第1のユーザ機器の前記送信集合内のセルによるダウンリンク送信ストリームの送信の送信モードが、送信モード9である場合に、次式に従って、前記第sfbの仮定されるダウンリンク送信ストリームに関する前記第1のユーザ機器の前記測定集合の外部の前記セルの前記サブ帯域幅レベルの干渉および雑音電力を判定するステップであって、
【数３６】
2016526352.tif 000221
ここで、
【数３７】
2016526352.tif 000222
は、前記第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Pmは、第mのセルの送信アンテナの総電力であり、mは、前記第1のユーザ機器の前記測定集合内のセル番号であり、m∈{x|1≦x≦M}であり、Mは、前記第1のユーザ機器の前記測定集合内のセルの量であり、
【数３８】
2016526352.tif 000223
は、前記第mのセルの前記第sbのサブ帯域幅のアップリンクチャネル行列であり、
【数３９】
2016526352.tif 000224
は、前記第1のセルのチャネル状態表示参照信号の仮想アンテナマッピング行列であり、
【数４０】
2016526352.tif 000225
は、前記第sfbの仮定されるダウンリンク送信ストリームに関する前記第1のユーザ機器の前記測定集合の外部の前記セルの前記第sbのサブ帯域幅の、前記仮定されるダウンリンク送信ストリームに対応する前記ダウンリンクチャネル品質インジケータに従ってマッピングを介して取得される、信号対雑音比であり、
【数４１】
2016526352.tif 000226
は、前記第sfbの仮定されるダウンリンク送信ストリームの前記第sbのサブ帯域幅のプリコーディングベクトルであり、
【数４２】
2016526352.tif 000227
は、*のすべての要素の二乗和の平方根の抽出を示す、判定するステップ
を含む、請求項8から11のいずれか一項に記載の方法。
【請求項１４】
前記仮定されるダウンリンク送信ストリームに関する前記第1のユーザ機器の前記測定集合の外部の前記セルの前記サブ帯域幅レベルの前記干渉および雑音電力に従って、送信される前記ダウンリンク送信ストリームに関する前記第1のユーザ機器の前記測定集合の外部の前記セルの前記サブ帯域幅レベルの前記干渉および雑音電力を判定する前記ステップは、
次式に従って、送信される前記ダウンリンク送信ストリームに関する前記第1のユーザ機器の前記測定集合の外部の前記セルの前記サブ帯域幅レベルの前記干渉および雑音電力を判定するステップであって、
【数４３】
2016526352.tif 000228
ここで、
【数４４】
2016526352.tif 000229
は、送信される第stxのダウンリンク送信ストリームに関する前記第1のユーザ機器の前記測定集合の外部の前記セルの前記サブ帯域幅レベルの干渉および雑音電力であり、stxは、送信される前記ダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、
【数４５】
2016526352.tif 000230
は、第sfbの仮定されるダウンリンク送信ストリームに関する前記第1のユーザ機器の前記測定集合の外部の前記セルの前記サブ帯域幅レベルの前記干渉および雑音電力であり、sfbは、前記仮定されるダウンリンク送信ストリームのストリーム番号であり、Sfbは、前記仮定されるダウンリンク送信ストリームのストリーム量であり、Σ*は、*の和を示す、判定するステップ
を含む、請求項8から13のいずれか一項に記載の方法。
【請求項１５】
送信される前記ダウンリンク送信ストリームのストリーム量が、前記仮定されるダウンリンク送信ストリームのストリーム量と等しい時に、前記仮定されるダウンリンク送信ストリームに関する前記第1のユーザ機器の前記測定集合の外部の前記セルの前記サブ帯域幅レベルの前記干渉および雑音電力に従って、送信される前記ダウンリンク送信ストリームに関する前記第1のユーザ機器の前記測定集合の外部の前記セルの前記サブ帯域幅レベルの前記干渉および雑音電力を判定する前記ステップは、
次式に従って、送信される前記ダウンリンク送信ストリームに関する前記第1のユーザ機器の前記測定集合の外部の前記セルの前記サブ帯域幅レベルの前記干渉および雑音電力を判定するステップであって、
【数４６】
2016526352.tif 000231
ここで、
【数４７】
2016526352.tif 000232
は、送信される第stxのダウンリンク送信ストリームに関する前記第1のユーザ機器の前記測定集合の外部の前記セルの第sbのサブ帯域幅の干渉および雑音電力であり、stxは、送信される前記ダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、
【数４８】
2016526352.tif 000233
は、第sfbの仮定されるダウンリンク送信ストリームに関する前記第1のユーザ機器の前記測定集合の外部の前記セルの前記第sbのサブ帯域幅の前記干渉および雑音電力であり、sfbは、前記仮定されるダウンリンク送信ストリームのストリーム番号である、判定するステップ
を含む、請求項8から13のいずれか一項に記載の方法。
【請求項１６】
前記第1のユーザ機器の前記測定集合内の各セルの前記サブ帯域幅レベルの前記アップリンクチャネル行列に従って、前記第1のユーザ機器の前記送信集合内の各セルによって送信される前記ダウンリンク送信ストリームの前記サブ帯域幅レベルの信号対干渉雑音比を判定する前記ステップは、
最大比合成等化アルゴリズムに従って、前記第1のユーザ機器の前記送信集合内の各セルによって送信される前記ダウンリンク送信ストリームの前記サブ帯域幅レベルの前記信号対干渉雑音比を判定するステップ
を含む、請求項2から15のいずれか一項に記載の方法。
【請求項１７】
前記第1のユーザ機器の前記測定集合内の各セルの前記サブ帯域幅レベルの前記アップリンクチャネル行列に従って、前記第1のユーザ機器の前記送信集合内の各セルによって送信される前記ダウンリンク送信ストリームの前記サブ帯域幅レベルの信号対干渉雑音比を判定する前記ステップは、
干渉抑圧合成等化アルゴリズムに従って、前記第1のユーザ機器の前記送信集合内の各セルによって送信される前記ダウンリンク送信ストリームの前記サブ帯域幅レベルの前記信号対干渉雑音比を判定するステップ
を含む、請求項2から15のいずれか一項に記載の方法。
【請求項１８】
前記第1のユーザ機器の前記送信集合内の前記セルによって送信される前記ダウンリンク送信ストリームの前記サブ帯域幅レベルの前記信号対干渉雑音比を合成し、前記第1のユーザ機器の前記送信集合内の各セルによって送信される前記ダウンリンク送信ストリームの前記信号対干渉雑音比を取得する前記ステップは、
平均化方法に従って、前記第1のユーザ機器の前記送信集合内の前記セルによって送信される前記ダウンリンク送信ストリームの前記サブ帯域幅レベルの前記信号対干渉雑音比を合成するステップ
を含む、請求項2から17のいずれか一項に記載の方法。
【請求項１９】
前記第1のユーザ機器の前記送信集合内の前記セルによって送信される前記ダウンリンク送信ストリームの前記サブ帯域幅レベルの前記信号対干渉雑音比を合成し、前記第1のユーザ機器の前記送信集合内の各セルによって送信される前記ダウンリンク送信ストリームの前記信号対干渉雑音比を取得する前記ステップは、
指数有効信号対干渉雑音比マッピング合成方法に従って、前記第1のユーザ機器の前記送信集合内の前記セルによって送信される前記ダウンリンク送信ストリームの前記サブ帯域幅レベルの前記信号対干渉雑音比を合成するステップ
を含む、請求項2から17のいずれか一項に記載の方法。
【請求項２０】
送信される前記ダウンリンク送信ストリームの前記干渉対信号雑音比に従って前記第1のユーザ機器の第2のダウンリンク変調およびコーディング方式を判定する前記ステップは、
前記第1のユーザ機器の前記第2のダウンリンク変調およびコーディング方式として、
【数４９】
2016526352.tif 000234
を満足する最大のSINRMCSに対応する変調およびコーディング方式を選択するステップを含み、
ここで、
【数５０】
2016526352.tif 000235
は、前記第1のユーザ機器の前記測定集合内の各セルによって送信される第stxのダウンリンク送信ストリームの信号対干渉雑音比であり、stxは、送信される前記ダウンリンク送信ストリームのストリーム番号であり、SINRMCSは、前記変調およびコーディング方式に対応する前記信号対干渉雑音比である
請求項1から19のいずれか一項に記載の方法。
【請求項２１】
前記第1のユーザ機器の前記測定集合内の前記セルは、前記第1のセルに隣接するセルまたは次式を満足するセルであり、
|RSRP1-RSRPi|<Thr
ここで、RSRP1は、前記第1のセルの参照信号受信電力であり、RSRPiは、前記第1のセル以外のセルの参照信号受信電力であり、Thrは、集合しきい値である
請求項1から20のいずれか一項に記載の方法。
【請求項２２】
前記第1のユーザ機器の前記第2のダウンリンク変調およびコーディング方式と前記第1のセルの前記送信リソースとに従って、前記第1のユーザ機器に割り振られる前記第1のセルの送信リソース上で前記第1のユーザ機器に送信されるトランスポートブロックサイズを判定するステップ
をさらに含む、請求項1から21のいずれか一項に記載の方法。
【請求項２３】
前記第1のユーザ機器に制御シグナリングを送信するステップであって、前記制御シグナリングは、前記第2のダウンリンク変調およびコーディング方式と前記第1のユーザ機器の送信リソース割振り情報とを含み、前記送信リソース割振り情報は、前記第1のユーザ機器に割り振られる前記第1のセルの前記送信リソースを示すのに使用される、送信するステップ
をさらに含む、請求項1から22のいずれか一項に記載の方法。
【請求項２４】
ユーザ機器によって、第1のセルが属する基地局にダウンリンクチャネル品質インジケータを送信するステップであって、前記第1のセルは、前記ユーザ機器のサービングセルである、送信するステップと、
第1の基地局にサウンディング参照信号を送信するステップであって、前記第1の基地局は、前記ユーザ機器の測定集合内の各セルが属する基地局である、送信するステップと、
前記基地局によって送信される送信リソース割振り情報と第2のダウンリンク変調およびコーディング方式とを受信するステップであって、前記送信リソース割振り情報は、前記基地局によって前記ユーザ機器に割り振られる前記第1のセルの送信リソースを示すのに使用され、前記送信リソースは、前記基地局が前記ユーザ機器によって送信された前記ダウンリンクチャネル品質インジケータに従って第1のダウンリンク変調およびコーディング方式を判定した後に、前記第1のダウンリンク変調およびコーディング方式に従って前記ユーザ機器に割り振られ、前記第2のダウンリンク変調およびコーディング方式は、前記ユーザ機器の前記測定集合内の各セルのサブ帯域幅レベルのアップリンクチャネル行列を獲得することと、前記ユーザ機器の前記測定集合内の各セルの前記サブ帯域幅レベルの前記アップリンクチャネル行列に従って、前記ユーザ機器の送信集合内の各セルによって送信されるダウンリンク送信ストリームの信号対干渉雑音比を判定することと、送信される前記ダウンリンク送信ストリームの前記信号対干渉雑音比に従って前記ユーザ機器の前記第2のダウンリンク変調およびコーディング方式を判定することとという形で前記基地局によって判定され、前記ユーザ機器の前記測定集合内の各セルの前記サブ帯域幅レベルの前記アップリンクチャネル行列は、前記ユーザ機器によって前記第1の基地局に送信された前記サウンディング参照信号に従って判定され、前記ユーザ機器の前記送信集合は、前記ユーザ機器の前記測定集合の部分集合である、受信するステップと
を含む、データ送信方法。
【請求項２５】
送信リソース割振り情報と第2のダウンリンク変調およびコーディング方式とを受信する前記ステップは、
前記基地局によって送信される制御シグナリングを受信するステップであって、前記制御シグナリングは、前記送信リソース割振り情報と前記第2のダウンリンク変調およびコーディング方式とを含む、受信するステップ
を含む、請求項24に記載の方法。
【請求項２６】
前記ユーザ機器によって、受信される前記送信リソース割振り情報と前記第2のダウンリンク変調およびコーディング方式とに従って、前記ユーザ機器に割り振られる前記第1のセルの前記送信リソース上で前記基地局によって前記ユーザ機器に送信されるトランスポートブロックサイズを判定するステップ
をさらに含む、請求項24または25に記載の方法。
【請求項２７】
第1のユーザ機器によってフィードバックされたダウンリンクチャネル品質インジケータを受信し、前記第1のユーザ機器によってフィードバックされた前記ダウンリンクチャネル品質インジケータに従って前記第1のユーザ機器の第1のダウンリンク変調およびコーディング方式を判定するように構成された、第1の変調およびコーディング方式判定モジュールと、
前記第1のユーザ機器の、前記第1の変調およびコーディング方式判定モジュールによって判定される、前記第1のダウンリンク変調およびコーディング方式に従って前記第1のユーザ機器に第1のセルの送信リソースを割り振るように構成されたリソース割振りモジュールであって、前記第1のセルは、前記第1のユーザ機器のサービングセルである、リソース割振りモジュールと、
前記第1のユーザ機器の測定集合内の各セルのサブ帯域幅レベルのアップリンクチャネル行列を獲得するように構成されたチャネル行列獲得モジュールであって、前記第1のユーザ機器の前記測定集合内の各セルの前記サブ帯域幅レベルの前記アップリンクチャネル行列は、前記第1のユーザ機器によって第1の基地局に送信されるサウンディング参照信号に従って判定され、前記第1の基地局は、前記第1のユーザ機器の前記測定集合内の各セルが属する基地局である、チャネル行列獲得モジュールと、
前記第1のユーザ機器の前記測定集合内の各セルの前記サブ帯域幅レベルの、前記チャネル行列獲得モジュールによって獲得される、前記アップリンクチャネル行列に従って、前記第1のユーザ機器の送信集合内の各セルによって送信されるダウンリンク送信ストリームの信号対干渉雑音比を判定するように構成された信号対干渉雑音比判定モジュールであって、前記第1のユーザ機器の前記送信集合は、前記第1のユーザ機器の前記測定集合の部分集合である、信号対干渉雑音比判定モジュールと、
送信される前記ダウンリンク送信ストリームの、前記信号対干渉雑音比判定モジュールによって判定される、前記信号対干渉雑音比に従って前記第1のユーザ機器の第2のダウンリンク変調およびコーディング方式を判定するように構成された第2の変調およびコーディング方式判定モジュールと
を含む、データ送信装置。
【請求項２８】
前記信号対干渉雑音比判定モジュールは、
前記第1のユーザ機器の前記測定集合内の各セルの前記サブ帯域幅レベルの、前記チャネル行列獲得モジュールによって獲得される、前記アップリンクチャネル行列に従って、前記第1のユーザ機器の前記送信集合内の各セルによって送信される前記ダウンリンク送信ストリームの前記サブ帯域幅レベルの信号対干渉雑音比を判定するように構成された第1の信号対干渉雑音比判定ユニットと、
前記第1のユーザ機器の前記送信集合内の前記セルによって送信される前記ダウンリンク送信ストリームの前記サブ帯域幅レベルの、前記第1の信号対干渉雑音比判定ユニットによって判定される、前記信号対干渉雑音比を合成し、前記第1のユーザ機器の前記送信集合内の各セルによって送信される前記ダウンリンク送信ストリームの前記信号対干渉雑音比を取得するように構成された第2の信号対干渉雑音比判定ユニットと
を含む、請求項27に記載の装置。
【請求項２９】
前記信号対干渉雑音比判定モジュールは、
前記第1の信号対干渉雑音比判定ユニットが、前記第1のユーザ機器の前記測定集合内の各セルの前記サブ帯域幅レベルの、前記チャネル行列獲得モジュールによって獲得される、前記アップリンクチャネル行列に従って、前記第1のユーザ機器の前記送信集合内の各セルによって送信される前記ダウンリンク送信ストリームの前記サブ帯域幅レベルの前記信号対干渉雑音比を判定する前に、送信される前記ダウンリンク送信ストリームに関して、前記第1のユーザ機器の前記測定集合の外部のセルの前記サブ帯域幅レベルの干渉および雑音電力を0にセットするように構成された第1の雑音判定ユニット
をさらに含む、請求項28に記載の装置。
【請求項３０】
前記信号対干渉雑音比判定モジュールは、
前記第1の信号対干渉雑音比判定ユニットが、前記第1のユーザ機器の前記測定集合内の各セルの前記サブ帯域幅レベルの、前記チャネル行列獲得モジュールによって獲得される、前記アップリンクチャネル行列に従って、前記第1のユーザ機器の前記送信集合内の各セルによって送信される前記ダウンリンク送信ストリームの前記サブ帯域幅レベルの前記信号対干渉雑音比を判定する前に、前記第1のユーザ機器の前記測定集合内の各セルの前記サブ帯域幅レベルの、前記チャネル行列獲得モジュールによって獲得される、前記アップリンクチャネル行列に従って、送信される前記ダウンリンク送信ストリームに関する前記第1のユーザ機器の前記測定集合の外部のセルの前記サブ帯域幅レベルの干渉および雑音電力を判定するように構成された第2の雑音判定ユニット
をさらに含む、請求項28に記載の装置。
【請求項３１】
前記第2の雑音判定ユニットは、
前記第1のユーザ機器の前記測定集合内の各セルの前記サブ帯域幅の、前記チャネル行列獲得モジュールによって獲得される、前記アップリンクチャネル行列に従って、送信される前記ダウンリンク送信ストリームに関する前記第1のユーザ機器の前記測定集合内のセルの前記サブ帯域幅レベルの干渉および雑音電力を判定するように構成された第1の雑音判定サブユニットと、
送信される前記ダウンリンク送信ストリームに関する前記第1のユーザ機器の前記測定集合内の前記セルの前記サブ帯域幅レベルの、前記第1の雑音判定サブユニットによって判定される、前記干渉および雑音電力に従って、送信される前記ダウンリンク送信ストリームに関する前記第1のユーザ機器の前記測定集合の外部の前記セルの前記サブ帯域幅レベルの前記干渉および雑音電力を判定するように構成された第2の雑音判定サブユニットと
を含む、請求項30に記載の装置。
【請求項３２】
前記第1の雑音判定サブユニットは、
次式に従って、送信される前記ダウンリンク送信ストリームに関する前記第1のユーザ機器の前記測定集合内の前記セルの前記サブ帯域幅レベルの前記干渉および雑音電力を判定するように構成され、
【数５１】
2016526352.tif 000236
ここで、
【数５２】
2016526352.tif 000237
は、送信される前記ダウンリンク送信ストリームに関する前記第1のユーザ機器の前記測定集合内の前記セルの第sbのサブ帯域幅の干渉および雑音電力であり、sbは、サブ帯域幅番号であり、sb∈{x|1≦x≦NSB}であり、NSBは、前記第1のセルの前記送信リソース内の前記サブ帯域幅の量であり、
【数５３】
2016526352.tif 000238
であり、Pmは、第mのセルの送信アンテナの総電力であり、
【数５４】
2016526352.tif 000239
は、前記第mのセルの第sbのサブ帯域幅のアップリンクチャネル行列であり、
【数５５】
2016526352.tif 000240
は、前記第mのセル内で現在のスケジューリングに使用される前記第sbのサブ帯域幅の送信重み行列であり、mは、前記第1のユーザ機器の前記測定集合内のセル番号であり、m∈{x|1≦x≦M}であり、Mは、前記第1のユーザ機器の前記測定集合内のセルの量であり、μMは、前記第1のユーザ機器の前記測定集合であり、μTは、前記第1のユーザ機器の前記送信集合であり、meanは、各列の平均値を取得するのに一般に使用される行列平均化であり、diagは、対角要素を示し、(*)Hは、*の共役転置を示す
請求項31に記載の装置。
【請求項３３】
前記第1の雑音判定サブユニットは、
次式に従って、送信される前記ダウンリンク送信ストリームに関する前記第1のユーザ機器の前記測定集合の外部の前記セルの前記サブ帯域幅レベルの前記干渉および雑音電力を判定するように構成され、
【数５６】
2016526352.tif 000241
ここで、
【数５７】
2016526352.tif 000242
は、送信される前記ダウンリンク送信ストリームに関する前記第1のユーザ機器の前記測定集合の外部の前記セルの第sbのサブ帯域幅の干渉および雑音電力であり、αは、前記第1のユーザ機器の前記測定集合内の干渉に対する前記第1のユーザ機器の前記測定集合の外部の干渉の干渉比係数を示し、
【数５８】
2016526352.tif 000243
は、送信される前記ダウンリンク送信ストリームに関する前記第1のユーザ機器の前記測定集合内の前記セルの前記第sbのサブ帯域幅の前記干渉および雑音電力であり、sbは、サブ帯域幅番号であり、sb∈{x|1≦x≦NSB}であり、NSBは、前記第1のセルの前記送信リソース内の前記サブ帯域幅の量である
請求項31または32に記載の装置。
【請求項３４】
前記第2の雑音判定ユニットは、
前記第1のユーザ機器の前記測定集合内の各セルの前記サブ帯域幅レベルの、前記チャネル行列獲得モジュールによって獲得される、前記アップリンクチャネル行列に従って、前記第1のユーザ機器によって仮定されるダウンリンク送信ストリームに関する前記第1のユーザ機器の前記測定集合の外部の前記セルの前記サブ帯域幅レベルの干渉および雑音電力を判定するように構成された第3の雑音判定サブユニットと、
前記仮定されるダウンリンク送信ストリームに関する前記第1のユーザ機器の前記測定集合の外部の前記セルの前記サブ帯域幅レベルの、前記第3の雑音判定サブユニットによって判定される、前記干渉および雑音電力に従って、送信される前記ダウンリンク送信ストリームに関する前記第1のユーザ機器の前記測定集合の外部の前記セルの前記サブ帯域幅レベルの前記干渉および雑音電力を判定するように構成された第4の雑音判定サブユニットと
を含む、請求項30に記載の装置。
【請求項３５】
前記仮定されるダウンリンク送信ストリームに対応するダウンリンクチャネル品質インジケータが、第1の信号対雑音比に従って取得され、前記第1の信号対雑音比が、前記第1のセル以外のセルの干渉および雑音電力に対する前記第1のセルのダウンリンクパイロット信号の比率である時に、前記第3の雑音判定サブユニットは、
前記第1のユーザ機器によって仮定される送信モードが、送信ダイバーシティである場合に、次式に従って、第sfbの仮定されるダウンリンク送信ストリームに関する前記第1のユーザ機器の前記測定集合の外部の前記セルの前記サブ帯域幅レベルの干渉および雑音電力を判定し、
【数５９】
2016526352.tif 000244
ここで、
【数６０】
2016526352.tif 000245
は、前記第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Tnumは、前記第1のセルの送信アンテナの量であり、Pmは、第mのセルの送信アンテナの総電力であり、mは、前記第1のユーザ機器の前記測定集合内のセル番号であり、m∈{x|1≦x≦M}であり、Mは、前記第1のユーザ機器の前記測定集合内のセルの量であり、
【数６１】
2016526352.tif 000246
は、前記第mのセルの前記第sbのサブ帯域幅のアップリンクチャネル行列であり、
【数６２】
2016526352.tif 000247
は、前記第1のセルのセル参照信号の仮想アンテナマッピング行列であり、
【数６３】
2016526352.tif 000248
は、前記第sfbの仮定されるダウンリンク送信ストリームに関する前記第1のユーザ機器の前記測定集合の外部の前記セルの前記第sbのサブ帯域幅の、前記仮定されるダウンリンク送信ストリームに対応する前記ダウンリンクチャネル品質インジケータに従ってマッピングを介して取得される、信号対雑音比であり、
【数６４】
2016526352.tif 000249
は、前記第mのセル内で現在のスケジューリングの前に使用された前記第sbのサブ帯域幅の送信重み行列であり、μMは、前記測定集合であり、Σ*は、*の和を示し、
【数６５】
2016526352.tif 000250
は、*のすべての要素の二乗和の平方根の抽出を示し、あるいは、
前記第1のユーザ機器によって仮定される送信モードが、閉ループ空間多重化である場合に、次式に従って、前記第sfbの仮定されるダウンリンク送信ストリームに関する前記第1のユーザ機器の前記測定集合の外部の前記セルの前記サブ帯域幅レベルの干渉および雑音電力を判定し、
【数６６】
2016526352.tif 000251
ここで、
【数６７】
2016526352.tif 000252
は、前記第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Pmは、第mのセルの送信アンテナの総電力であり、mは、前記測定集合内のセル番号であり、m∈{x|1≦x≦M}であり、Mは、前記第1のユーザ機器の前記測定集合内のセルの量であり、
【数６８】
2016526352.tif 000253
は、前記第mのセルの前記第sbのサブ帯域幅のアップリンクチャネル行列であり、
【数６９】
2016526352.tif 000254
は、前記第1のセルのセル参照信号の仮想アンテナマッピング行列であり、
【数７０】
2016526352.tif 000255
は、前記第sfbの仮定されるダウンリンク送信ストリームに関する前記第1のユーザ機器の前記測定集合の外部の前記セルの前記第sbのサブ帯域幅の、前記仮定されるダウンリンク送信ストリームに対応する前記ダウンリンクチャネル品質インジケータに従ってマッピングを介して取得される、信号対雑音比であり、
【数７１】
2016526352.tif 000256
は、前記第mのセル内で現在のスケジューリングの前に使用された前記第sbのサブ帯域幅の送信重み行列であり、
【数７２】
2016526352.tif 000257
は、前記第sfbの仮定されるダウンリンク送信ストリームの前記第sbのサブ帯域幅のプリコーディングベクトルであり、μMは、前記第1のユーザ機器の前記測定集合であり、
【数７３】
2016526352.tif 000258
は、*のすべての要素の二乗和の平方根の抽出を示す
ように構成される、請求項34に記載の装置。
【請求項３６】
前記仮定されるダウンリンク送信ストリームに対応するダウンリンクチャネル品質インジケータが、第2の信号対雑音比に従って取得され、前記第2の信号対雑音比が、前記第1のユーザ機器の前記測定集合の外部の前記セルの干渉および雑音電力に対する前記第1のセルのダウンリンクパイロット信号の比率である時に、前記第3の雑音判定サブユニットは、
前記第1のユーザ機器によって仮定される送信モードが、送信ダイバーシティである場合に、次式に従って、第sfbの仮定されるダウンリンク送信ストリームに関する前記第1のユーザ機器の前記測定集合の外部の前記セルの前記サブ帯域幅レベルの干渉および雑音電力を判定し、
【数７４】
2016526352.tif 000259
ここで、
【数７５】
2016526352.tif 000260
は、前記第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Tnumは、前記第1のセルの送信アンテナの量であり、Pmは、第mのセルの送信アンテナの総電力であり、mは、前記第1のユーザ機器の前記測定集合内のセル番号であり、m∈{x|1≦x≦M}であり、Mは、前記第1のユーザ機器の前記測定集合内のセルの量であり、
【数７６】
2016526352.tif 000261
は、前記第mのセルの前記第sbのサブ帯域幅のアップリンクチャネル行列であり、
【数７７】
2016526352.tif 000262
は、前記第1のセルのセル参照信号の仮想アンテナマッピング行列であり、
【数７８】
2016526352.tif 000263
は、前記第sfbの仮定されるダウンリンク送信ストリームに関する前記第1のユーザ機器の前記測定集合の外部の前記セルの前記第sbのサブ帯域幅の、前記仮定されるダウンリンク送信ストリームに対応する前記ダウンリンクチャネル品質インジケータに従ってマッピングを介して取得される、信号対雑音比であり、
【数７９】
2016526352.tif 000264
は、*のすべての要素の二乗和の平方根の抽出を示し、
前記第1のユーザ機器によって仮定される送信モードが、閉ループ空間多重化であり、前記第1のユーザ機器の前記送信集合内のセルによるダウンリンク送信ストリームの送信の送信モードが、送信モード8である場合に、次式に従って、前記第sfbの仮定されるダウンリンク送信ストリームに関する前記第1のユーザ機器の前記測定集合の外部の前記セルの前記サブ帯域幅レベルの干渉および雑音電力を判定し、
【数８０】
2016526352.tif 000265
ここで、
【数８１】
2016526352.tif 000266
は、前記第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Pmは、第mのセルの送信アンテナの総電力であり、mは、前記第1のユーザ機器の前記測定集合内のセル番号であり、m∈{x|1≦x≦M}であり、Mは、前記第1のユーザ機器の前記測定集合内のセルの量であり、
【数８２】
2016526352.tif 000267
は、前記第mのセルの前記第sbのサブ帯域幅のアップリンクチャネル行列であり、
【数８３】
2016526352.tif 000268
は、前記第1のセルのセル参照信号の仮想アンテナマッピング行列であり、
【数８４】
2016526352.tif 000269
は、前記第sfbの仮定されるダウンリンク送信ストリームに関する前記第1のユーザ機器の前記測定集合の外部の前記セルの前記第sbのサブ帯域幅の、前記仮定されるダウンリンク送信ストリームに対応する前記ダウンリンクチャネル品質インジケータに従ってマッピングを介して取得される、信号対雑音比であり、
【数８５】
2016526352.tif 000270
は、*のすべての要素の二乗和の平方根の抽出を示し、または、
前記第1のユーザ機器によって仮定される送信モードが、閉ループ空間多重化であり、前記第1のユーザ機器の前記送信集合内のセルによるダウンリンク送信ストリームの送信の送信モードが、送信モード9である場合に、次式に従って、前記第sfbの仮定されるダウンリンク送信ストリームに関する前記第1のユーザ機器の前記測定集合の外部の前記セルの前記サブ帯域幅レベルの干渉および雑音電力を判定し、
【数８６】
2016526352.tif 000271
ここで、
【数８７】
2016526352.tif 000272
は、前記第sfbの仮定されるダウンリンク送信ストリームに関する前記第1のユーザ機器の前記測定集合の外部の前記セルの第sbのサブ帯域幅の干渉および雑音電力であり、sfbは、前記仮定されるダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、Pmは、第mのセルの送信アンテナの総電力であり、mは、前記第1のユーザ機器の前記測定集合内のセル番号であり、m∈{x|1≦x≦M}であり、Mは、前記第1のユーザ機器の前記測定集合内のセルの量であり、
【数８８】
2016526352.tif 000273
は、前記第mのセルの前記第sbのサブ帯域幅のアップリンクチャネル行列であり、
【数８９】
2016526352.tif 000274
は、前記第1のセルのチャネル状態表示参照信号の仮想アンテナマッピング行列であり、
【数９０】
2016526352.tif 000275
は、前記第sfbの仮定されるダウンリンク送信ストリームに関する前記第1のユーザ機器の前記測定集合の外部の前記セルの前記第sbのサブ帯域幅の、前記仮定されるダウンリンク送信ストリームに対応する前記ダウンリンクチャネル品質インジケータに従ってマッピングを介して取得される、信号対雑音比であり、
【数９１】
2016526352.tif 000276
は、前記第sfbの仮定されるダウンリンク送信ストリームの前記第sbのサブ帯域幅のプリコーディングベクトルであり、
【数９２】
2016526352.tif 000277
は、*のすべての要素の二乗和の平方根の抽出を示す
ように構成される、請求項34に記載の装置。
【請求項３７】
前記第4の雑音判定サブユニットは、
次式に従って、送信される前記ダウンリンク送信ストリームに関する前記第1のユーザ機器の前記測定集合の外部の前記セルの前記サブ帯域幅レベルの前記干渉および雑音電力を判定するように構成され、
【数９３】
2016526352.tif 000278
ここで、
【数９４】
2016526352.tif 000279
は、送信される第stxのダウンリンク送信ストリームに関する前記第1のユーザ機器の前記測定集合の外部の前記セルの前記サブ帯域幅レベルの干渉および雑音電力であり、stxは、送信される前記ダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、
【数９５】
2016526352.tif 000280
は、第sfbの仮定されるダウンリンク送信ストリームに関する前記第1のユーザ機器の前記測定集合の外部の前記セルの前記サブ帯域幅レベルの前記干渉および雑音電力であり、sfbは、前記仮定されるダウンリンク送信ストリームのストリーム番号であり、Sfbは、前記仮定されるダウンリンク送信ストリームのストリーム量であり、Σ*は、*の和を示す
請求項34から36のいずれか一項に記載の装置。
【請求項３８】
送信される前記ダウンリンク送信ストリームのストリーム量が、前記仮定されるダウンリンク送信ストリームのストリーム量と等しい時に、前記第4の雑音判定サブユニットは、
次式に従って、送信される前記ダウンリンク送信ストリームに関する前記第1のユーザ機器の前記測定集合の外部の前記セルの前記サブ帯域幅レベルの前記干渉および雑音電力を判定するように構成され、
【数９６】
2016526352.tif 000281
ここで、
【数９７】
2016526352.tif 000282
は、送信される第stxのダウンリンク送信ストリームに関する前記第1のユーザ機器の前記測定集合の外部の前記セルの第sbのサブ帯域幅の干渉および雑音電力であり、stxは、送信される前記ダウンリンク送信ストリームのストリーム番号であり、sbは、サブ帯域幅番号であり、sb∈{x|1≦x≦NSB}であり、NSBは、前記第1のセルの前記送信リソース内の前記サブ帯域幅の量であり、
【数９８】
2016526352.tif 000283
は、第sfbの仮定されるダウンリンク送信ストリームに関する前記第1のユーザ機器の前記測定集合の外部の前記セルの前記第sbのサブ帯域幅の前記干渉および雑音電力であり、sfbは、前記仮定されるダウンリンク送信ストリームのストリーム番号である
請求項34から36のいずれか一項に記載の装置。
【請求項３９】
前記第2の雑音判定ユニットは、
送信される前記ダウンリンク送信ストリームに関する前記第1のユーザ機器の前記測定集合の外部の前記セルの前記サブ帯域幅レベルの前記干渉および雑音電力を計算すべきかどうかを判定するように構成された判定サブユニットと、
前記判定ユニットが、送信される前記ダウンリンク送信ストリームに関する前記第1のユーザ機器の前記測定集合の外部の前記セルの前記サブ帯域幅レベルの前記干渉および雑音電力を計算すべきではないと判定する時に、送信される前記ダウンリンク送信ストリームに関して、前記第1のユーザ機器の前記測定集合の外部の前記セルの前記サブ帯域幅レベルの前記干渉および雑音電力を0にセットするように構成された第5の雑音サブユニットと、
前記判定ユニットが、送信される前記ダウンリンク送信ストリームに関する前記第1のユーザ機器の前記測定集合の外部の前記セルの前記サブ帯域幅レベルの前記干渉および雑音電力を計算すべきであると判定する時に、前記第1のユーザ機器の前記測定集合内の各セルの前記サブ帯域幅レベルの前記アップリンクチャネル行列に従って、前記仮定されるダウンリンク送信ストリームに関する前記第1のユーザ機器の前記測定集合の外部の前記セルの前記サブ帯域幅レベルの干渉および雑音電力を判定し、前記仮定されるダウンリンク送信ストリームに関する前記第1のユーザ機器の前記測定集合の外部の前記セルの前記サブ帯域幅レベルの前記干渉および雑音電力に従って、送信される前記ダウンリンク送信ストリームに関する前記第1のユーザ機器の前記測定集合の外部の前記セルの前記サブ帯域幅レベルの前記干渉および雑音電力を判定するように構成された第6の雑音サブユニットと
を含む、請求項30に記載の装置。
【請求項４０】
前記判定サブユニットは、
送信される前記ダウンリンク送信ストリームに関する前記第1のユーザ機器の前記測定集合の外部の前記セルの前記サブ帯域幅レベルの前記干渉および雑音電力を計算するのに必要なコードの量としきい値を比較し、
コードの前記量が前記しきい値より多い場合に、送信される前記ダウンリンク送信ストリームに関する前記第1のユーザ機器の前記測定集合の外部の前記セルの前記サブ帯域幅レベルの前記干渉および雑音電力をスキップ計算し、
コードの前記量が前記しきい値より少ない場合に、送信される前記ダウンリンク送信ストリームに関する前記第1のユーザ機器の前記測定集合の外部の前記セルの前記サブ帯域幅レベルの前記干渉および雑音電力を計算する
ように構成される、請求項39に記載の装置。
【請求項４１】
前記判定サブユニットは、
別々に、MをMThrと比較し、(M-T)をIThrと比較し、
M>MThrかつ(M-T)>IThrである場合に、送信される前記ダウンリンク送信ストリームに関する前記第1のユーザ機器の前記測定集合の外部の前記セルの前記サブ帯域幅レベルの前記干渉および雑音電力をスキップ計算し、
そうでない場合に、送信される前記ダウンリンク送信ストリームに関する前記第1のユーザ機器の前記測定集合の外部の前記セルの前記サブ帯域幅レベルの前記干渉および雑音電力を計算する
ように構成され、Mは、前記第1のユーザ機器の前記測定集合内のセルの量であり、Tは、前記第1のユーザ機器の前記送信集合内のセルの量であり、MThrおよびIThrは、集合しきい値である
請求項39に記載の装置。
【請求項４２】
前記第1の信号対干渉雑音比判定ユニットは、
最大比合成等化アルゴリズムに従って、前記第1のユーザ機器の前記送信集合内の各セルによって送信される前記ダウンリンク送信ストリームの前記サブ帯域幅レベルの前記信号対干渉雑音比を判定する
ように構成される、請求項28から41のいずれか一項に記載の装置。
【請求項４３】
前記第1の信号対干渉雑音比判定ユニットは、
干渉抑圧合成等化アルゴリズムに従って、前記第1のユーザ機器の前記送信集合内の各セルによって送信される前記ダウンリンク送信ストリームの前記サブ帯域幅レベルの前記信号対干渉雑音比を判定する
ように構成される、請求項28から41のいずれか一項に記載の装置。
【請求項４４】
前記第2の信号対干渉雑音比判定ユニットは、
平均化方法に従って、前記第1のユーザ機器の前記送信集合内の前記セルによって送信される前記ダウンリンク送信ストリームの前記サブ帯域幅レベルの前記信号対干渉雑音比を合成する
ように構成される、請求項28から43のいずれか一項に記載の装置。
【請求項４５】
前記第2の信号対干渉雑音比判定ユニットは、
指数有効信号対干渉雑音比マッピング合成方法に従って、前記第1のユーザ機器の前記送信集合内の前記セルによって送信される前記ダウンリンク送信ストリームの前記サブ帯域幅レベルの前記信号対干渉雑音比を合成する
ように構成される、請求項28から43のいずれか一項に記載の装置。
【請求項４６】
前記第2の変調およびコーディング方式判定モジュールは、
前記第1のユーザ機器の前記第2のダウンリンク変調およびコーディング方式として、
【数９９】
2016526352.tif 000284
を満足する最大のSINRMCSに対応する変調およびコーディング方式を選択するように構成され、
ここで、
【数１００】
2016526352.tif 000285
は、前記第1のユーザ機器の前記測定集合内の各セルによって送信される第stxのダウンリンク送信ストリームの信号対干渉雑音比であり、stxは、送信される前記ダウンリンク送信ストリームのストリーム番号であり、SINRMCSは、前記変調およびコーディング方式に対応する前記信号対干渉雑音比である
請求項27から45のいずれか一項に記載の装置。
【請求項４７】
前記装置は、
前記第1のユーザ機器の前記測定集合内の前記セルとして、前記第1のセルに隣接するセルまたは次式を満足するセルを使用するように構成された測定集合判定モジュールであって、
|RSRP1-RSRPi|<Thr
ここで、RSRP1は、前記第1のセルの参照信号受信電力であり、RSRPiは、前記第1のセル以外のセルの参照信号受信電力であり、Thrは、集合しきい値である
測定集合判定モジュール
をさらに含む、請求項27から46のいずれか一項に記載の装置。
【請求項４８】
前記装置は、
前記第2の変調およびコーディング方式判定モジュールによって判定される前記第1のユーザ機器の前記第2のダウンリンク変調およびコーディング方式と前記第1のセルの前記送信リソースとに従って、前記第1のユーザ機器に割り振られる前記第1のセルの送信リソース上で前記第1のユーザ機器に送信されるトランスポートブロックサイズを判定するように構成されたトランスポートブロックサイズモジュール
をさらに含む、請求項27から47のいずれか一項に記載の装置。
【請求項４９】
前記装置は、
前記第1のユーザ機器に制御シグナリングを送信するように構成された送信モジュールであって、前記制御シグナリングは、前記第2のダウンリンク変調およびコーディング方式と前記第1のユーザ機器の送信リソース割振り情報とを含み、前記送信リソース割振り情報は、前記第1のユーザ機器に割り振られる前記第1のセルの前記送信リソースを示すのに使用される、送信モジュール
をさらに含む、請求項27から48のいずれか一項に記載の装置。
【請求項５０】
１つのユーザ機器であって、
第1のセルが属する基地局にダウンリンクチャネル品質インジケータを送信するように構成されたチャネル品質インジケータ送信モジュールであって、前記第1のセルは、前記ユーザ機器のサービングセルである、チャネル品質インジケータ送信モジュールと、
第1の基地局にサウンディング参照信号を送信するように構成されたサウンディング参照信号送信モジュールであって、前記第1の基地局は、前記ユーザ機器の測定集合内の各セルが属する基地局である、サウンディング参照信号送信モジュールと、
前記基地局によって送信される送信リソース割振り情報と第2のダウンリンク変調およびコーディング方式とを受信するように構成された受信モジュールであって、前記送信リソース割振り情報は、前記基地局によって前記ユーザ機器に割り振られる前記第1のセルの送信リソースを示すのに使用され、前記送信リソースは、前記基地局が前記ユーザ機器によって送信された前記ダウンリンクチャネル品質インジケータに従って第1のダウンリンク変調およびコーディング方式を判定した後に、前記第1のダウンリンク変調およびコーディング方式に従って前記ユーザ機器に割り振られ、前記第2のダウンリンク変調およびコーディング方式は、前記ユーザ機器の前記測定集合内の各セルのサブ帯域幅レベルのアップリンクチャネル行列を獲得することと、前記ユーザ機器の前記測定集合内の各セルの前記サブ帯域幅レベルの前記アップリンクチャネル行列に従って、前記ユーザ機器の送信集合内の各セルによって送信されるダウンリンク送信ストリームの信号対干渉雑音比を判定することと、送信される前記ダウンリンク送信ストリームの前記信号対干渉雑音比に従って前記ユーザ機器の前記第2のダウンリンク変調およびコーディング方式を判定することとという形で前記基地局によって判定され、前記ユーザ機器の前記測定集合内の各セルの前記サブ帯域幅レベルの前記アップリンクチャネル行列は、前記ユーザ機器によって前記第1の基地局に送信された前記サウンディング参照信号に従って判定され、前記ユーザ機器の前記送信集合は、前記ユーザ機器の前記測定集合の部分集合である、受信モジュールと
を含む、ユーザ機器。
【請求項５１】
前記受信モジュールは、前記基地局によって送信される制御シグナリングを受信するように構成され、前記制御シグナリングは、前記送信リソース割振り情報と前記第2のダウンリンク変調およびコーディング方式とを含む
請求項50に記載のユーザ機器。
【請求項５２】
受信される前記送信リソース割振り情報と前記第2のダウンリンク変調およびコーディング方式とに従って、前記ユーザ機器に割り振られる前記第1のセルの前記送信リソース上で前記基地局によって前記ユーザ機器に送信されるトランスポートブロックサイズを判定するように構成されたトランスポートブロックサイズ判定モジュール
をさらに含む、請求項50または51に記載のユーザ機器。
【発明の詳細な説明】
【技術分野】
【０００１】
本発明は、通信の分野に関し、詳細には、データ送信の方法および装置、ならびにユーザ機器に関する。
【背景技術】
【０００２】
ロングタームエボリューション(Long Term Evolution、略してLTE)は、第3世代パートナーシッププロジェクト(3rd Generation Partnership Project、略して3GPP)の標準規格であり、第3世代モバイル遠隔通信技術(3rd-generation、略して3G)から第4世代モバイル遠隔通信技術(4th-generation、略して4G)への進化のための主流技術と考えられる。LTEは、2つの標準規格すなわち、周波数分割複信(Frequency Division Duplexing、略してFDD)および時分割複信(Time Division Duplexing、略してTDD)を含む。LTE-TDDシステムでは、同一の周波数帯が、アップリンク上およびダウンリンク上で使用され、アップリンクは、単に時間に依存してダウンリンクから区別される。
【０００３】
LTE-TDDシステムでは、既存のデータ送信方法は、進化型ノードB(evolved NodeB、略してeNB)によって、ユーザ機器(User Equipment、略してUE)によってフィードバックされたダウンリンクチャネル品質インジケータ(Channel Quality Index、略してCQI)に従ってUEのダウンリンク変調およびコーディング方式(Modulation and Coding Scheme、略してMCS)を判定するステップと、UEのダウンリンクMCSに従って送信リソースを割り振るステップとを含む。UEは、一般に、ダウンリンク送信モードが送信ダイバーシティモードまたは閉ループ空間多重化モードであると仮定し、仮定されるダウンリンク送信モードに従ってダウンリンクCQIを判定する。
【０００４】
本発明の実施中に、本発明人は、従来技術が少なくとも以下の問題を有することに気付いた。
【０００５】
eNBが、ビームフォーミング(Beamforming、略してBF)モードを使用することによってダウンリンクデータを送信する時に、UEによって仮定されるダウンリンク送信モードは、送信ダイバーシティモードまたは閉ループ空間多重化モードであり、これは、eNBによって実際に使用される送信モードとは異なる。CQIが、UEによって仮定されるダウンリンク送信モードに従って判定されるので、UEによって判定されるCQIが、不正確である可能性があり、その結果、UEによってフィードバックされたCQIに従ってeNBによって判定されるダウンリンクMCSは、不正確である。さらに、eNBによって取得されるCQIは、量子化された値(計算を介してUEによって取得される)であり、量子化誤差が存在し、この量子化誤差は、eNBによって判定されるダウンリンクMCSの不正確さにつながる可能性がある。不正確なダウンリンクMCSは、送信効率に影響し、システム性能のある程度の損失を引き起こす。
【発明の概要】
【課題を解決するための手段】
【０００６】
従来技術において、eNBによって判定されるダウンリンクMCSが不正確であり、送信効率にさらに影響するという問題を解決するために、本発明の実施形態は、データ送信の方法および装置とユーザ機器とを提供する。技術的解決策は、次の通りである。
【０００７】
第1の態様によれば、本発明の実施形態は、データ送信方法を提供し、この方法は、
第1のユーザ機器によってフィードバックされたダウンリンクチャネル品質インジケータを受信し、第1のユーザ機器によってフィードバックされたダウンリンクチャネル品質インジケータに従って第1のユーザ機器の第1のダウンリンク変調およびコーディング方式を判定するステップと、
第1のユーザ機器の第1のダウンリンク変調およびコーディング方式に従って第1のユーザ機器に第1のセルの送信リソースを割り振るステップであって、第1のセルは、第1のユーザ機器のサービングセルである、割り振るステップと、
第1のユーザ機器の測定集合内の各セルのサブ帯域幅レベルのアップリンクチャネル行列を獲得するステップであって、第1のユーザ機器の測定集合内の各セルのサブ帯域幅レベルのアップリンクチャネル行列は、第1のユーザ機器によって第1の基地局に送信されるサウンディング参照信号に従って判定され、第1の基地局は、第1のユーザ機器の測定集合内の各セルが属する基地局である、獲得するステップと、
第1のユーザ機器の測定集合内の各セルのサブ帯域幅レベルのアップリンクチャネル行列に従って、第1のユーザ機器の送信集合内の各セルによって送信されるダウンリンク送信ストリームの信号対干渉雑音比を判定するステップであって、第1のユーザ機器の送信集合は、第1のユーザ機器の測定集合の部分集合である、判定するステップと、
送信されるダウンリンク送信ストリームの信号対干渉雑音比に従って第1のユーザ機器の第2のダウンリンク変調およびコーディング方式を判定するステップと
を含む。
【０００８】
第1の態様に関連して、第1の態様の第1の可能な実施の形では、第1のユーザ機器の測定集合内の各セルのサブ帯域幅レベルのアップリンクチャネル行列に従って、第1のユーザ機器の送信集合内の各セルによって送信されるダウンリンク送信ストリームの信号対干渉雑音比を判定するステップは、
第1のユーザ機器の測定集合内の各セルのサブ帯域幅レベルのアップリンクチャネル行列に従って、第1のユーザ機器の送信集合内の各セルによって送信されるダウンリンク送信ストリームのサブ帯域幅レベルの信号対干渉雑音比を判定するステップと、
第1のユーザ機器の送信集合内のセルによって送信されるダウンリンク送信ストリームのサブ帯域幅レベルの信号対干渉雑音比を合成し、第1のユーザ機器の送信集合内の各セルによって送信されるダウンリンク送信ストリームの信号対干渉雑音比を取得するステップと
を含む。
【０００９】
第1の態様の第1の可能な実施の形に関連して、第1の態様の第2の可能な実施の形では、第1のユーザ機器の測定集合内の各セルのサブ帯域幅レベルのアップリンクチャネル行列に従って、第1のユーザ機器の送信集合内の各セルによって送信されるダウンリンク送信ストリームのサブ帯域幅レベルの信号対干渉雑音比を判定するステップの前に、この方法は、
送信されるダウンリンク送信ストリームに関して、第1のユーザ機器の測定集合の外部のセルのサブ帯域幅レベルの干渉および雑音電力(interference and noise power)を0にセットするステップ
をさらに含む。
【００１０】
第1の態様の第1の可能な実施の形に関連して、第1の態様の第3の可能な実施の形では、第1のユーザ機器の測定集合内の各セルのサブ帯域幅レベルのアップリンクチャネル行列に従って、第1のユーザ機器の送信集合内の各セルによって送信されるダウンリンク送信ストリームのサブ帯域幅レベルの信号対干渉雑音比を判定するステップの前に、この方法は、
第1のユーザ機器の測定集合内の各セルのサブ帯域幅レベルのアップリンクチャネル行列に従って、送信されるダウンリンク送信ストリームに関する第1のユーザ機器の測定集合の外部のセルのサブ帯域幅レベルの干渉および雑音電力を判定するステップ
をさらに含む。
【００１１】
第1の態様の第3の可能な実施の形に関連して、第1の態様の第4の可能な実施の形では、第1のユーザ機器の測定集合内の各セルのサブ帯域幅レベルのアップリンクチャネル行列に従って、送信されるダウンリンク送信ストリームに関する第1のユーザ機器の測定集合の外部のセルのサブ帯域幅レベルの干渉および雑音電力を判定するステップは、
第1のユーザ機器の測定集合内の各セルのサブ帯域幅レベルのアップリンクチャネル行列に従って、送信されるダウンリンク送信ストリームに関する第1のユーザ機器の測定集合内のセルのサブ帯域幅レベルの干渉および雑音電力を判定するステップと、
送信されるダウンリンク送信ストリームに関する第1のユーザ機器の測定集合内のセルのサブ帯域幅レベルの干渉および雑音電力に従って、送信されるダウンリンク送信ストリームに関する第1のユーザ機器の測定集合の外部のセルのサブ帯域幅レベルの干渉および雑音電力を判定するステップと
を含む。
【００１２】
第1の態様の第4の可能な実施の形に関連して、第1の態様の第5の可能な実施の形では、第1のユーザ機器の測定集合内の各セルのサブ帯域幅レベルのアップリンクチャネル行列に従って、送信されるダウンリンク送信ストリームに関する第1のユーザ機器の測定集合内のセルのサブ帯域幅レベルの干渉および雑音電力を判定するステップは、
次式に従って、送信されるダウンリンク送信ストリームに関する第1のユーザ機器の測定集合内のセルのサブ帯域幅レベルの干渉および雑音電力を判定するステップを含み、
【００１３】
【数１】
2016526352.tif 000003
【００１４】
ここで、
【００１５】
【数２】
2016526352.tif 000004
【００１６】
は、送信されるダウンリンク送信ストリームに関する第1のユーザ機器の測定集合内のセルの第sbのサブ帯域幅の干渉および雑音電力であり、sbは、サブ帯域幅番号であり、sb∈{x|1≦x≦NSB}であり、NSBは、第1のセルの送信リソース内のサブ帯域幅の量であり、
【００１７】
【数３】
2016526352.tif 000005
【００１８】
であり、Pmは、第mのセルの送信アンテナの総電力であり、
【００１９】
【数４】
2016526352.tif 000006
【００２０】
は、第mのセルの第sbのサブ帯域幅のアップリンクチャネル行列であり、
【００２１】
【数５】
2016526352.tif 000007
【００２２】
は、第mのセル内で現在のスケジューリングに使用される第sbのサブ帯域幅の送信重み行列であり、mは、第1のユーザ機器の測定集合内のセル番号であり、m∈{x|1≦x≦M}であり、Mは、第1のユーザ機器の測定集合内のセルの量であり、μMは、第1のユーザ機器の測定集合であり、μTは、第1のユーザ機器の送信集合であり、meanは、各列の平均値を取得するのに一般に使用される行列平均化であり、diagは、対角要素を示し、(*)Hは、*の共役転置を示す。
【００２３】
第1の態様の第4の可能な実施の形または第1の態様の第5の可能な実施の形に関連して、第1の態様の第6の可能な実施の形では、送信されるダウンリンク送信ストリームに関する第1のユーザ機器の測定集合内のセルのサブ帯域幅レベルの干渉および雑音電力に従って、送信されるダウンリンク送信ストリームに関する第1のユーザ機器の測定集合の外部のセルのサブ帯域幅レベルの干渉および雑音電力を判定するステップは、
次式に従って、送信されるダウンリンク送信ストリームに関する第1のユーザ機器の測定集合の外部のセルのサブ帯域幅レベルの干渉および雑音電力を判定するステップを含み、
【００２４】
【数６】
2016526352.tif 000008
【００２５】
ここで、
【００２６】
【数７】
2016526352.tif 000009
【００２７】
は、送信されるダウンリンク送信ストリームに関する第1のユーザ機器の測定集合の外部のセルの第sbのサブ帯域幅の干渉および雑音電力であり、αは、第1のユーザ機器の測定集合内の干渉に対する第1のユーザ機器の測定集合の外部の干渉の干渉比係数を示し、
【００２８】
【数８】
2016526352.tif 000010
【００２９】
は、送信されるダウンリンク送信ストリームに関する第1のユーザ機器の測定集合内のセルの第sbのサブ帯域幅の干渉および雑音電力であり、sbは、サブ帯域幅番号であり、sb∈{x|1≦x≦NSB}であり、NSBは、第1のセルの送信リソース内のサブ帯域幅の量である。
【００３０】
第1の態様の第3の可能な実施の形に関連して、第1の態様の第7の可能な実施の形では、第1のユーザ機器の測定集合内の各セルのサブ帯域幅レベルのアップリンクチャネル行列に従って、送信されるダウンリンク送信ストリームに関する第1のユーザ機器の測定集合の外部のセルのサブ帯域幅レベルの干渉および雑音電力を判定するステップは、
第1のユーザ機器の測定集合内の各セルのサブ帯域幅レベルのアップリンクチャネル行列に従って、第1のユーザ機器によって仮定されるダウンリンク送信ストリームに関する第1のユーザ機器の測定集合の外部のセルのサブ帯域幅レベルの干渉および雑音電力を判定するステップと、
仮定されるダウンリンク送信ストリームに関する第1のユーザ機器の測定集合の外部のセルのサブ帯域幅レベルの干渉および雑音電力に従って、送信されるダウンリンク送信ストリームに関する第1のユーザ機器の測定集合の外部のセルのサブ帯域幅レベルの干渉および雑音電力を判定するステップと
を含む。
【００３１】
第1の態様の第3の可能な実施の形に関連して、第1の態様の第8の可能な実施の形では、第1のユーザ機器の測定集合内の各セルのサブ帯域幅レベルのアップリンクチャネル行列に従って、送信されるダウンリンク送信ストリームに関する第1のユーザ機器の測定集合の外部のセルのサブ帯域幅レベルの干渉および雑音電力を判定するステップは、
送信されるダウンリンク送信ストリームに関する第1のユーザ機器の測定集合の外部のセルのサブ帯域幅レベルの干渉および雑音電力を計算すべきかどうかを判定するステップと、
送信されるダウンリンク送信ストリームに関する第1のユーザ機器の測定集合の外部のセルのサブ帯域幅レベルの干渉および雑音電力が計算されない場合に、送信されるダウンリンク送信ストリームに関して、第1のユーザ機器の測定集合の外部のセルのサブ帯域幅レベルの干渉および雑音電力を0にセットするステップと、
送信されるダウンリンク送信ストリームに関する第1のユーザ機器の測定集合の外部のセルのサブ帯域幅レベルの干渉および雑音電力が計算される場合に、第1のユーザ機器の測定集合内の各セルのサブ帯域幅レベルのアップリンクチャネル行列に従って、仮定されるダウンリンク送信ストリームに関する第1のユーザ機器の測定集合の外部のセルのサブ帯域幅レベルの干渉および雑音電力を判定し、仮定されるダウンリンク送信ストリームに関する第1のユーザ機器の測定集合の外部のセルのサブ帯域幅レベルの干渉および雑音電力に従って、送信されるダウンリンク送信ストリームに関する第1のユーザ機器の測定集合の外部のセルのサブ帯域幅レベルの干渉および雑音電力を判定するステップと
を含む。
【００３２】
第1の態様の第8の可能な実施の形に関連して、第1の態様の第9の可能な実施の形では、送信されるダウンリンク送信ストリームに関する第1のユーザ機器の測定集合の外部のセルのサブ帯域幅レベルの干渉および雑音電力を計算すべきかどうかを判定するステップは、
送信されるダウンリンク送信ストリームに関する第1のユーザ機器の測定集合の外部のセルのサブ帯域幅レベルの干渉および雑音電力を計算するのに必要なコードの量としきい値を比較するステップと、
コードの量がしきい値より多い場合に、送信されるダウンリンク送信ストリームに関する第1のユーザ機器の測定集合の外部のセルのサブ帯域幅レベルの干渉および雑音電力を計算しないステップと、
コードの量がしきい値より少ない場合に、送信されるダウンリンク送信ストリームに関する第1のユーザ機器の測定集合の外部のセルのサブ帯域幅レベルの干渉および雑音電力を計算するステップと
を含む。
【００３３】
第1の態様の第8の可能な実施の形に関連して、第1の態様の第10の可能な実施の形では、送信されるダウンリンク送信ストリームに関する第1のユーザ機器の測定集合の外部のセルのサブ帯域幅レベルの干渉および雑音電力を計算すべきかどうかを判定するステップは、
別々に、MをMThrと比較し、(M-T)をIThrと比較するステップと、
M>MThrかつ(M-T)>IThrである場合に、送信されるダウンリンク送信ストリームに関する第1のユーザ機器の測定集合の外部のセルのサブ帯域幅レベルの干渉および雑音電力を計算せず、
そうでない場合に、送信されるダウンリンク送信ストリームに関する第1のユーザ機器の測定集合の外部のセルのサブ帯域幅レベルの干渉および雑音電力を計算するステップと
を含み、Mは、第1のユーザ機器の測定集合内のセルの量であり、Tは、第1のユーザ機器の送信集合内のセルの量であり、MThrおよびIThrは、集合しきい値である。
【００３４】
第1の態様の第7から第10の可能な実施の形のうちの任意の1つに関連して、第1の態様の第11の可能な実施の形では、仮定されるダウンリンク送信ストリームに対応するダウンリンクチャネル品質インジケータが、第1の信号対雑音比に従って取得され、第1の信号対雑音比が、第1のセル以外のセルの干渉および雑音電力に対する第1のセルのダウンリンクパイロット信号の比率である時に、第1のユーザ機器の測定集合内の各セルのサブ帯域幅レベルのアップリンクチャネル行列に従って、仮定されるダウンリンク送信ストリームに関する第1のユーザ機器の測定集合の外部のセルのサブ帯域幅レベルの干渉および雑音電力を判定するステップは、
第1のユーザ機器によって仮定される送信モードが、送信ダイバーシティである場合に、次式に従って、第sfbの仮定されるダウンリンク送信ストリームに関する第1のユーザ機器の測定集合の外部のセルのサブ帯域幅レベルの干渉および雑音電力を判定するステップであって、
【００３５】
【数９】
2016526352.tif 000011
【００３６】
ここで、
【００３７】
【数１０】
2016526352.tif 000012
【００３８】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Tnumは、第1のセルの送信アンテナの量であり、Pmは、第mのセルの送信アンテナの総電力であり、mは、第1のユーザ機器の測定集合内のセル番号であり、m∈{x|1≦x≦M}であり、Mは、第1のユーザ機器の測定集合内のセルの量であり、
【００３９】
【数１１】
2016526352.tif 000013
【００４０】
は、第mのセルの第sbのサブ帯域幅のアップリンクチャネル行列であり、
【００４１】
【数１２】
2016526352.tif 000014
【００４２】
は、第1のセルのセル参照信号の仮想アンテナマッピング行列であり、
【００４３】
【数１３】
2016526352.tif 000015
【００４４】
は、第sfbの仮定されるダウンリンク送信ストリームに関する第1のユーザ機器の測定集合の外部のセルの、仮定されるダウンリンク送信ストリームに対応するダウンリンクチャネル品質インジケータに従ってマッピングを介して取得される、第sbのサブ帯域幅の信号対雑音比であり、
【００４５】
【数１４】
2016526352.tif 000016
【００４６】
は、第mのセル内で現在のスケジューリングの前に使用された第sbのサブ帯域幅の送信重み行列であり、μMは、測定集合であり、Σ*は、*の和を示し、
【００４７】
【数１５】
2016526352.tif 000017
【００４８】
は、*のすべての要素の二乗和の平方根の抽出を示す、判定するステップ、または、
第1のユーザ機器によって仮定される送信モードが、閉ループ空間多重化である場合に、次式に従って、第sfbの仮定されるダウンリンク送信ストリームに関する第1のユーザ機器の測定集合の外部のセルのサブ帯域幅レベルの干渉および雑音電力を判定するステップであって、
【００４９】
【数１６】
2016526352.tif 000018
【００５０】
ここで、
【００５１】
【数１７】
2016526352.tif 000019
【００５２】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Pmは、第mのセルの送信アンテナの総電力であり、mは、第1のユーザ機器の測定集合内のセル番号であり、m∈{x|1≦x≦M}であり、Mは、第1のユーザ機器の測定集合内のセルの量であり、
【００５３】
【数１８】
2016526352.tif 000020
【００５４】
は、第mのセルの第sbのサブ帯域幅のアップリンクチャネル行列であり、
【００５５】
【数１９】
2016526352.tif 000021
【００５６】
は、第1のセルのセル参照信号の仮想アンテナマッピング行列であり、
【００５７】
【数２０】
2016526352.tif 000022
【００５８】
は、第sfbの仮定されるダウンリンク送信ストリームに関する第1のユーザ機器の測定集合の外部のセルの第sbのサブ帯域幅の、仮定されるダウンリンク送信ストリームに対応するダウンリンクチャネル品質インジケータに従ってマッピングを介して取得される、信号対雑音比であり、
【００５９】
【数２１】
2016526352.tif 000023
【００６０】
は、第mのセル内で現在のスケジューリングの前に使用された第sbのサブ帯域幅の送信重み行列であり、
【００６１】
【数２２】
2016526352.tif 000024
【００６２】
は、第sfbの仮定されるダウンリンク送信ストリームの第sbのサブ帯域幅のプリコーディングベクトルであり、μMは、第1のユーザ機器の測定集合であり、Σ*は、*の和を示し、
【００６３】
【数２３】
2016526352.tif 000025
【００６４】
は、*のすべての要素の二乗和の平方根の抽出を示す、判定するステップ
を含む。
【００６５】
第1の態様の第7から第10の可能な実施の形のうちの任意の1つに関連して、第1の態様の第12の可能な実施の形では、仮定されるダウンリンク送信ストリームに対応するダウンリンクチャネル品質インジケータが、第2の信号対雑音比に従って取得され、第2の信号対雑音比が、第1のユーザ機器の測定集合の外部のセルの干渉および雑音電力に対する第1のセルのダウンリンクパイロット信号の比率である時に、第1のユーザ機器の測定集合内の各セルのサブ帯域幅レベルのアップリンクチャネル行列に従って、仮定されるダウンリンク送信ストリームに関する第1のユーザ機器の測定集合の外部のセルのサブ帯域幅レベルの干渉および雑音電力を判定するステップは、
第1のユーザ機器によって仮定される送信モードが、送信ダイバーシティである場合に、次式に従って、第sfbの仮定されるダウンリンク送信ストリームに関する第1のユーザ機器の測定集合の外部のセルのサブ帯域幅レベルの干渉および雑音電力を判定するステップであって、
【００６６】
【数２４】
2016526352.tif 000026
【００６７】
ここで、
【００６８】
【数２５】
2016526352.tif 000027
【００６９】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Tnumは、第1のセルの送信アンテナの量であり、Pmは、第mのセルの送信アンテナの総電力であり、mは、第1のユーザ機器の測定集合内のセル番号であり、m∈{x|1≦x≦M}であり、Mは、第1のユーザ機器の測定集合内のセルの量であり、
【００７０】
【数２６】
2016526352.tif 000028
【００７１】
は、第mのセルの第sbのサブ帯域幅のアップリンクチャネル行列であり、
【００７２】
【数２７】
2016526352.tif 000029
【００７３】
は、第1のセルのセル参照信号の仮想アンテナマッピング行列であり、
【００７４】
【数２８】
2016526352.tif 000030
【００７５】
は、第sfbの仮定されるダウンリンク送信ストリームに関する第1のユーザ機器の測定集合の外部のセルの第sbのサブ帯域幅の、仮定されるダウンリンク送信ストリームに対応するダウンリンクチャネル品質インジケータに従ってマッピングを介して取得される、信号対雑音比であり、
【００７６】
【数２９】
2016526352.tif 000031
【００７７】
は、*のすべての要素の二乗和の平方根の抽出を示す、判定するステップ、
第1のユーザ機器によって仮定される送信モードが、閉ループ空間多重化であり、第1のユーザ機器の送信集合内のセルによるダウンリンク送信ストリームの送信の送信モードが、送信モード8である場合に、次式に従って、第sfbの仮定されるダウンリンク送信ストリームに関する第1のユーザ機器の測定集合の外部のセルのサブ帯域幅レベルの干渉および雑音電力を判定するステップであって、
【００７８】
【数３０】
2016526352.tif 000032
【００７９】
ここで、
【００８０】
【数３１】
2016526352.tif 000033
【００８１】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Pmは、第mのセルの送信アンテナの総電力であり、mは、第1のユーザ機器の測定集合内のセル番号であり、m∈{x|1≦x≦M}であり、Mは、第1のユーザ機器の測定集合内のセルの量であり、
【００８２】
【数３２】
2016526352.tif 000034
【００８３】
は、第mのセルの第sbのサブ帯域幅のアップリンクチャネル行列であり、
【００８４】
【数３３】
2016526352.tif 000035
【００８５】
は、第1のセルのセル参照信号の仮想アンテナマッピング行列であり、
【００８６】
【数３４】
2016526352.tif 000036
【００８７】
は、第sfbの仮定されるダウンリンク送信ストリームに関する第1のユーザ機器の測定集合の外部のセルの第sbのサブ帯域幅の、仮定されるダウンリンク送信ストリームに対応するダウンリンクチャネル品質インジケータに従ってマッピングを介して取得される、信号対雑音比であり、
【００８８】
【数３５】
2016526352.tif 000037
【００８９】
は、*のすべての要素の二乗和の平方根の抽出を示す、判定するステップ、または、
第1のユーザ機器によって仮定される送信モードが、閉ループ空間多重化であり、第1のユーザ機器の送信集合内のセルによるダウンリンク送信ストリームの送信の送信モードが、送信モード9である場合に、次式に従って、第sfbの仮定されるダウンリンク送信ストリームに関する第1のユーザ機器の測定集合の外部のセルのサブ帯域幅レベルの干渉および雑音電力を判定するステップであって、
【００９０】
【数３６】
2016526352.tif 000038
【００９１】
ここで、
【００９２】
【数３７】
2016526352.tif 000039
【００９３】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Pmは、第mのセルの送信アンテナの総電力であり、mは、第1のユーザ機器の測定集合内のセル番号であり、m∈{x|1≦x≦M}であり、Mは、第1のユーザ機器の測定集合内のセルの量であり、
【００９４】
【数３８】
2016526352.tif 000040
【００９５】
は、第mのセルの第sbのサブ帯域幅のアップリンクチャネル行列であり、
【００９６】
【数３９】
2016526352.tif 000041
【００９７】
は、第1のセルのチャネル状態表示参照信号の仮想アンテナマッピング行列であり、
【００９８】
【数４０】
2016526352.tif 000042
【００９９】
は、第sfbの仮定されるダウンリンク送信ストリームに関する第1のユーザ機器の測定集合の外部のセルの第sbのサブ帯域幅の、仮定されるダウンリンク送信ストリームに対応するダウンリンクチャネル品質インジケータに従ってマッピングを介して取得される、信号対雑音比であり、
【０１００】
【数４１】
2016526352.tif 000043
【０１０１】
は、第sfbの仮定されるダウンリンク送信ストリームの第sbのサブ帯域幅のプリコーディングベクトルであり、
【０１０２】
【数４２】
2016526352.tif 000044
【０１０３】
は、*のすべての要素の二乗和の平方根の抽出を示す、判定するステップ
を含む。
【０１０４】
第1の態様の第7から第12の可能な実施の形のうちの任意の1つに関連して、第1の態様の第13の可能な実施の形では、仮定されるダウンリンク送信ストリームに関する第1のユーザ機器の測定集合の外部のセルのサブ帯域幅レベルの干渉および雑音電力に従って、送信されるダウンリンク送信ストリームに関する第1のユーザ機器の測定集合の外部のセルのサブ帯域幅レベルの干渉および雑音電力を判定するステップは、
次式に従って、送信されるダウンリンク送信ストリームに関する第1のユーザ機器の測定集合の外部のセルのサブ帯域幅レベルの干渉および雑音電力を判定するステップであって、
【０１０５】
【数４３】
2016526352.tif 000045
【０１０６】
ここで、
【０１０７】
【数４４】
2016526352.tif 000046
【０１０８】
は、送信される第stxのダウンリンク送信ストリームに関する第1のユーザ機器の測定集合の外部のセルのサブ帯域幅レベルの干渉および雑音電力であり、stxは、送信されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、
【０１０９】
【数４５】
2016526352.tif 000047
【０１１０】
は、第sfbの仮定されるダウンリンク送信ストリームに関する第1のユーザ機器の測定集合の外部のセルのサブ帯域幅レベルの干渉および雑音電力であり、sfbは、仮定されるダウンリンク送信ストリームのストリーム番号であり、Sfbは、仮定されるダウンリンク送信ストリームのストリーム量であり、Σ*は、*の和を示す、判定するステップ
を含む。
【０１１１】
第1の態様の第7から第12の可能な実施の形のうちの任意の1つに関連して、第1の態様の第14の可能な実施の形では、送信されるダウンリンク送信ストリームのストリーム量が、仮定されるダウンリンク送信ストリームのストリーム量と等しい時に、仮定されるダウンリンク送信ストリームに関する第1のユーザ機器の測定集合の外部のセルのサブ帯域幅レベルの干渉および雑音電力に従って、送信されるダウンリンク送信ストリームに関する第1のユーザ機器の測定集合の外部のセルのサブ帯域幅レベルの干渉および雑音電力を判定するステップは、
次式に従って、送信されるダウンリンク送信ストリームに関する第1のユーザ機器の測定集合の外部のセルのサブ帯域幅レベルの干渉および雑音電力を判定するステップであって、
【０１１２】
【数４６】
2016526352.tif 000048
【０１１３】
ここで、
【０１１４】
【数４７】
2016526352.tif 000049
【０１１５】
は、送信される第stxのダウンリンク送信ストリームに関する第1のユーザ機器の測定集合の外部のセルの第sbのサブ帯域幅の干渉および雑音電力であり、stxは、送信されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、
【０１１６】
【数４８】
2016526352.tif 000050
【０１１７】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号である、判定するステップ
を含む。
【０１１８】
第1の態様の第1から第14の可能な実施の形のうちの任意の1つに関連して、第1の態様の第15の可能な実施の形では、第1のユーザ機器の測定集合内の各セルのサブ帯域幅レベルのアップリンクチャネル行列に従って、第1のユーザ機器の送信集合内の各セルによって送信されるダウンリンク送信ストリームのサブ帯域幅レベルの信号対干渉雑音比を判定するステップは、
最大比合成等化アルゴリズムに従って、第1のユーザ機器の送信集合内の各セルによって送信されるダウンリンク送信ストリームのサブ帯域幅レベルの信号対干渉雑音比を判定するステップ
を含む。
【０１１９】
第1の態様の第1から第14の可能な実施の形のうちの任意の1つに関連して、第1の態様の第16の可能な実施の形では、第1のユーザ機器の測定集合内の各セルのサブ帯域幅レベルのアップリンクチャネル行列に従って、第1のユーザ機器の送信集合内の各セルによって送信されるダウンリンク送信ストリームのサブ帯域幅レベルの信号対干渉雑音比を判定するステップは、
干渉抑圧合成等化アルゴリズムに従って、第1のユーザ機器の送信集合内の各セルによって送信されるダウンリンク送信ストリームのサブ帯域幅レベルの信号対干渉雑音比を判定するステップ
を含む。
【０１２０】
第1の態様の第1から第16の可能な実施の形のうちの任意の1つに関連して、第1の態様の第17の可能な実施の形では、第1のユーザ機器の送信集合内のセルによって送信されるダウンリンク送信ストリームのサブ帯域幅レベルの信号対干渉雑音比を合成し、第1のユーザ機器の送信集合内の各セルによって送信されるダウンリンク送信ストリームの信号対干渉雑音比を取得するステップは、
平均化方法に従って、第1のユーザ機器の送信集合内のセルによって送信されるダウンリンク送信ストリームのサブ帯域幅レベルの信号対干渉雑音比を合成するステップ
を含む。
【０１２１】
第1の態様の第1から第16の可能な実施の形のうちの任意の1つに関連して、第1の態様の第18の可能な実施の形では、第1のユーザ機器の送信集合内のセルによって送信されるダウンリンク送信ストリームのサブ帯域幅レベルの信号対干渉雑音比を合成し、第1のユーザ機器の送信集合内の各セルによって送信されるダウンリンク送信ストリームの信号対干渉雑音比を取得するステップは、
指数有効信号対干渉雑音比マッピング合成方法に従って、第1のユーザ機器の送信集合内のセルによって送信されるダウンリンク送信ストリームのサブ帯域幅レベルの信号対干渉雑音比を合成するステップ
を含む。
【０１２２】
第1の態様の第1から第18の可能な実施の形のうちの任意の1つに関連して、第1の態様の第19の可能な実施の形では、送信されるダウンリンク送信ストリームの干渉対信号雑音比に従って第1のユーザ機器の第2のダウンリンク変調およびコーディング方式を判定するステップは、
第1のユーザ機器の送信集合内のセルの第2のダウンリンク変調およびコーディング方式として、
【０１２３】
【数４９】
2016526352.tif 000051
【０１２４】
を満足する最大のSINRMCSに対応する変調およびコーディング方式を選択するステップを含み、
【０１２５】
【数５０】
2016526352.tif 000052
ここで、
【０１２６】
は、第1のユーザ機器の測定集合内の各セルによって送信される第stxのダウンリンク送信ストリームの信号対干渉雑音比であり、stxは、送信されるダウンリンク送信ストリームのストリーム番号であり、SINRMCSは、変調およびコーディング方式に対応する信号対干渉雑音比である。
【０１２７】
第1の態様の第1から第19の可能な実施の形のうちの任意の1つに関連して、第1の態様の第20の可能な実施の形では、第1のユーザ機器の測定集合内のセルは、第1のセルに隣接するセルまたは次式を満足するセルであり、
|RSRP1-RSRPi|<Thr
ここで、RSRP1は、第1のセルの参照信号受信電力であり、RSRPiは、第1のセル以外のセルの参照信号受信電力であり、Thrは、集合しきい値である。
【０１２８】
第1の態様の第1から第20の可能な実施の形のうちの任意の1つに関連して、第1の態様の第21の可能な実施の形では、この方法は、
第1のユーザ機器の第2のダウンリンク変調およびコーディング方式と第1のセルの送信リソースとに従って、第1のユーザ機器に割り振られる第1のセルの送信リソース上で第1のユーザ機器に送信されるトランスポートブロックサイズを判定するステップ
をさらに含む。
【０１２９】
第1の態様の第1から第21の可能な実施の形のうちの任意の1つに関連して、第1の態様の第22の可能な実施の形では、この方法は、
第1のユーザ機器に制御シグナリングを送信するステップであって、制御シグナリングは、第2のダウンリンク変調およびコーディング方式と第1のユーザ機器の送信リソース割振り情報とを含み、送信リソース割振り情報は、第1のユーザ機器に割り振られる第1のセルの送信リソースを示すのに使用される、送信するステップ
をさらに含む。
【０１３０】
第2の態様によれば、本発明の実施形態は、データ送信方法を提供し、この方法は、
ユーザ機器によって、第1のセルが属する基地局にダウンリンクチャネル品質インジケータを送信するステップであって、第1のセルは、ユーザ機器のサービングセルである、送信するステップと、
第1の基地局にサウンディング参照信号を送信するステップであって、第1の基地局は、ユーザ機器の測定集合内の各セルが属する基地局である、送信するステップと、
基地局によって送信される送信リソース割振り情報と第2のダウンリンク変調およびコーディング方式とを受信するステップであって、送信リソース割振り情報は、基地局によってユーザ機器に割り振られる第1のセルの送信リソースを示すのに使用され、送信リソースは、基地局がユーザ機器によって送信されたダウンリンクチャネル品質インジケータに従って第1のダウンリンク変調およびコーディング方式を判定した後に、第1のダウンリンク変調およびコーディング方式に従ってユーザ機器に割り振られ、第2のダウンリンク変調およびコーディング方式は、ユーザ機器の測定集合内の各セルのサブ帯域幅レベルのアップリンクチャネル行列を獲得することと、ユーザ機器の測定集合内の各セルのサブ帯域幅レベルのアップリンクチャネル行列に従って、ユーザ機器の送信集合内の各セルによって送信されるダウンリンク送信ストリームの信号対干渉雑音比を判定することと、送信されるダウンリンク送信ストリームの信号対干渉雑音比に従ってユーザ機器の第2のダウンリンク変調およびコーディング方式を判定することとという形で基地局によって判定され、ユーザ機器の測定集合内の各セルのサブ帯域幅レベルのアップリンクチャネル行列は、ユーザ機器によって第1の基地局に送信されたサウンディング参照信号に従って判定され、ユーザ機器の送信集合は、ユーザ機器の測定集合の部分集合である、受信するステップと
を含む。
【０１３１】
第2の態様に関連して、第2の態様の第1の可能な実施の形では、送信リソース割振り情報と第2のダウンリンク変調およびコーディング方式とを受信するステップは、
基地局によって送信される制御シグナリングを受信するステップであって、制御シグナリングは、送信リソース割振り情報と第2のダウンリンク変調およびコーディング方式とを含む、受信するステップ
を含む。
【０１３２】
第2の態様の第1の可能な実施の形に関連して、第2の態様の第2の可能な実施の形では、この方法は、
ユーザ機器によって、受信される送信リソース割振り情報と第2のダウンリンク変調およびコーディング方式とに従って、ユーザ機器に割り振られる第1のセルの送信リソース上で基地局によってユーザ機器に送信されるトランスポートブロックサイズを判定するステップ
をさらに含む。
【０１３３】
第3の態様によれば、本発明の実施形態は、データ送信装置を提供し、この装置は、
第1のユーザ機器によってフィードバックされたダウンリンクチャネル品質インジケータを受信し、第1のユーザ機器によってフィードバックされたダウンリンクチャネル品質インジケータに従って第1のユーザ機器の第1のダウンリンク変調およびコーディング方式を判定するように構成された、第1の変調およびコーディング方式判定モジュールと、
第1のユーザ機器の、第1の変調およびコーディング方式判定モジュールによって判定される、第1のダウンリンク変調およびコーディング方式に従って第1のユーザ機器に第1のセルの送信リソースを割り振るように構成されたリソース割振りモジュールであって、第1のセルは、第1のユーザ機器のサービングセルである、リソース割振りモジュールと、
第1のユーザ機器の測定集合内の各セルのサブ帯域幅レベルのアップリンクチャネル行列を獲得するように構成されたチャネル行列獲得モジュールであって、第1のユーザ機器の測定集合内の各セルのサブ帯域幅レベルのアップリンクチャネル行列は、第1のユーザ機器によって第1の基地局に送信されるサウンディング参照信号に従って判定され、第1の基地局は、第1のユーザ機器の測定集合内の各セルが属する基地局である、チャネル行列獲得モジュールと、
第1のユーザ機器の測定集合内の各セルの、チャネル行列獲得モジュールによって獲得される、サブ帯域幅レベルのアップリンクチャネル行列に従って、第1のユーザ機器の送信集合内の各セルによって送信されるダウンリンク送信ストリームの信号対干渉雑音比を判定するように構成された信号対干渉雑音比判定モジュールであって、第1のユーザ機器の送信集合は、第1のユーザ機器の測定集合の部分集合である、信号対干渉雑音比判定モジュールと、
送信されるダウンリンク送信ストリームの、信号対干渉雑音比判定モジュールによって判定される、信号対干渉雑音比に従って第1のユーザ機器の第2のダウンリンク変調およびコーディング方式を判定するように構成された第2の変調およびコーディング方式判定モジュールと
を含む。
【０１３４】
第3の態様に関連して、第3の態様の第1の可能な実施の形では、信号対干渉雑音比判定モジュールは、
第1のユーザ機器の測定集合内の各セルのサブ帯域幅レベルの、チャネル行列獲得モジュールによって獲得される、アップリンクチャネル行列に従って、第1のユーザ機器の送信集合内の各セルによって送信されるダウンリンク送信ストリームのサブ帯域幅レベルの信号対干渉雑音比を判定するように構成された第1の信号対干渉雑音比判定ユニットと、
第1のユーザ機器の送信集合内のセルによって送信されるダウンリンク送信ストリームのサブ帯域幅レベルの、第1の信号対干渉雑音比判定ユニットによって判定される、信号対干渉雑音比を合成し、第1のユーザ機器の送信集合内の各セルによって送信されるダウンリンク送信ストリームの信号対干渉雑音比を取得するように構成された第2の信号対干渉雑音比判定ユニットと
を含む。
【０１３５】
第3の態様の第1の可能な実施の形に関連して、第3の態様の第2の可能な実施の形では、信号対干渉雑音比判定モジュールは、
第1の信号対干渉雑音比判定ユニットが、第1のユーザ機器の測定集合内の各セルのサブ帯域幅レベルの、チャネル行列獲得モジュールによって獲得される、アップリンクチャネル行列に従って、第1のユーザ機器の送信集合内の各セルによって送信されるダウンリンク送信ストリームのサブ帯域幅レベルの信号対干渉雑音比を判定する前に、送信されるダウンリンク送信ストリームに関して、第1のユーザ機器の測定集合の外部のセルのサブ帯域幅レベルの干渉および雑音電力を0にセットするように構成された第1の雑音判定ユニット
をさらに含む。
【０１３６】
第3の態様の第1の可能な実施の形に関連して、第3の態様の第3の可能な実施の形では、信号対干渉雑音比判定モジュールは、
第1の信号対干渉雑音比判定ユニットが、第1のユーザ機器の測定集合内の各セルのサブ帯域幅レベルの、チャネル行列獲得モジュールによって獲得される、アップリンクチャネル行列に従って、第1のユーザ機器の送信集合内の各セルによって送信されるダウンリンク送信ストリームのサブ帯域幅レベルの信号対干渉雑音比を判定する前に、第1のユーザ機器の測定集合内の各セルのサブ帯域幅レベルの、チャネル行列獲得モジュールによって獲得される、アップリンクチャネル行列に従って、送信されるダウンリンク送信ストリームに関する第1のユーザ機器の測定集合の外部のセルのサブ帯域幅レベルの干渉および雑音電力を判定するように構成された第2の雑音判定ユニット
をさらに含む。
【０１３７】
第3の態様の第3の可能な実施の形に関連して、第3の態様の第4の可能な実施の形では、第2の雑音判定ユニットは、
第1のユーザ機器の測定集合内の各セルのサブ帯域幅の、チャネル行列獲得モジュールによって獲得される、アップリンクチャネル行列に従って、送信されるダウンリンク送信ストリームに関する第1のユーザ機器の測定集合内のセルのサブ帯域幅レベルの干渉および雑音電力を判定するように構成された第1の雑音判定サブユニットと、
送信されるダウンリンク送信ストリームに関する第1のユーザ機器の測定集合内のセルのサブ帯域幅レベルの、第1の雑音判定サブユニットによって判定される、干渉および雑音電力に従って、送信されるダウンリンク送信ストリームに関する第1のユーザ機器の測定集合の外部のセルのサブ帯域幅レベルの干渉および雑音電力を判定するように構成された第2の雑音判定サブユニットと
を含む。
【０１３８】
第3の態様の第4の可能な実施の形に関連して、第3の態様の第5の可能な実施の形では、第1の雑音判定サブユニットは、
次式に従って、送信されるダウンリンク送信ストリームに関する第1のユーザ機器の測定集合内のセルのサブ帯域幅レベルの干渉および雑音電力を判定するように構成され、
【０１３９】
【数５１】
2016526352.tif 000053
【０１４０】
ここで、
【０１４１】
【数５２】
2016526352.tif 000054
【０１４２】
は、送信されるダウンリンク送信ストリームに関する第1のユーザ機器の測定集合内のセルの第sbのサブ帯域幅の干渉および雑音電力であり、sbは、サブ帯域幅番号であり、sb∈{x|1≦x≦NSB}であり、NSBは、第1のセルの送信リソース内のサブ帯域幅の量であり、
【０１４３】
【数５３】
2016526352.tif 000055
【０１４４】
であり、Pmは、第mのセルの送信アンテナの総電力であり、
【０１４５】
【数５４】
2016526352.tif 000056
【０１４６】
は、第mのセルの第sbのサブ帯域幅のアップリンクチャネル行列であり、
【０１４７】
【数５５】
2016526352.tif 000057
【０１４８】
は、第mのセル内で現在のスケジューリングに使用される第sbのサブ帯域幅の送信重み行列であり、mは、第1のユーザ機器の測定集合内のセル番号であり、m∈{x|1≦x≦M}であり、Mは、第1のユーザ機器の測定集合内のセルの量であり、μMは、第1のユーザ機器の測定集合であり、μTは、第1のユーザ機器の送信集合であり、meanは、各列の平均値を取得するのに一般に使用される行列平均化であり、diagは、対角要素を示し、(*)Hは、*の共役転置を示す。
【０１４９】
第3の態様の第4の可能な実施の形または第5の可能な実施の形に関連して、第3の態様の第6の可能な実施の形では、第1の雑音判定サブユニットは、
次式に従って、送信されるダウンリンク送信ストリームに関する第1のユーザ機器の測定集合の外部のセルのサブ帯域幅レベルの干渉および雑音電力を判定するように構成され、
【０１５０】
【数５６】
2016526352.tif 000058
【０１５１】
ここで、
【０１５２】
【数５７】
2016526352.tif 000059
【０１５３】
は、送信されるダウンリンク送信ストリームに関する第1のユーザ機器の測定集合の外部のセルの第sbのサブ帯域幅の干渉および雑音電力であり、αは、第1のユーザ機器の測定集合内の干渉に対する第1のユーザ機器の測定集合の外部の干渉の干渉比係数を示し、
【０１５４】
【数５８】
2016526352.tif 000060
【０１５５】
は、送信されるダウンリンク送信ストリームに関する第1のユーザ機器の測定集合内のセルの第sbのサブ帯域幅の干渉および雑音電力であり、sbは、サブ帯域幅番号であり、sb∈{x|1≦x≦NSB}であり、NSBは、第1のセルの送信リソース内のサブ帯域幅の量である。
【０１５６】
第3の態様の第4の可能な実施の形に関連して、第3の態様の第7の可能な実施の形では、第2の雑音判定ユニットは、
第1のユーザ機器の測定集合内の各セルのサブ帯域幅レベルの、チャネル行列獲得モジュールによって獲得される、アップリンクチャネル行列に従って、第1のユーザ機器によって仮定されるダウンリンク送信ストリームに関する第1のユーザ機器の測定集合の外部のセルのサブ帯域幅レベルの干渉および雑音電力を判定するように構成された第3の雑音判定サブユニットと、
仮定されるダウンリンク送信ストリームに関する第1のユーザ機器の測定集合の外部のセルのサブ帯域幅レベルの、第3の雑音判定サブユニットによって判定される、干渉および雑音電力に従って、送信されるダウンリンク送信ストリームに関する第1のユーザ機器の測定集合の外部のセルのサブ帯域幅レベルの干渉および雑音電力を判定するように構成された第4の雑音判定サブユニットと
を含む。
【０１５７】
第3の態様の第7の可能な実施の形に関連して、第3の態様の第8の可能な実施の形では、仮定されるダウンリンク送信ストリームに対応するダウンリンクチャネル品質インジケータが、第1の信号対雑音比に従って取得され、第1の信号対雑音比が、第1のセル以外のセルの干渉および雑音電力に対する第1のセルのダウンリンクパイロット信号の比率である時に、第3の雑音判定サブユニットは、
第1のユーザ機器によって仮定される送信モードが、送信ダイバーシティである場合に、次式に従って、第sfbの仮定されるダウンリンク送信ストリームに関する第1のユーザ機器の測定集合の外部のセルのサブ帯域幅レベルの干渉および雑音電力を判定し、
【０１５８】
【数５９】
2016526352.tif 000061
【０１５９】
ここで、
【０１６０】
【数６０】
2016526352.tif 000062
【０１６１】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Tnumは、第1のセルの送信アンテナの量であり、Pmは、第mのセルの送信アンテナの総電力であり、mは、第1のユーザ機器の測定集合内のセル番号であり、m∈{x|1≦x≦M}であり、Mは、第1のユーザ機器の測定集合内のセルの量であり、
【０１６２】
【数６１】
2016526352.tif 000063
【０１６３】
は、第mのセルの第sbのサブ帯域幅のアップリンクチャネル行列であり、
【０１６４】
【数６２】
2016526352.tif 000064
【０１６５】
は、第1のセルのセル参照信号の仮想アンテナマッピング行列であり、
【０１６６】
【数６３】
2016526352.tif 000065
【０１６７】
は、第sfbの仮定されるダウンリンク送信ストリームに関する第1のユーザ機器の測定集合の外部のセルの第sbのサブ帯域幅の、仮定されるダウンリンク送信ストリームに対応するダウンリンクチャネル品質インジケータに従ってマッピングを介して取得される、信号対雑音比であり、
【０１６８】
【数６４】
2016526352.tif 000066
【０１６９】
は、第mのセル内で現在のスケジューリングの前に使用された第sbのサブ帯域幅の送信重み行列であり、μMは、測定集合であり、Σ*は、*の和を示し、
【０１７０】
【数６５】
2016526352.tif 000067
【０１７１】
は、*のすべての要素の二乗和の平方根の抽出を示し、あるいは、
第1のユーザ機器によって仮定される送信モードが、閉ループ空間多重化である場合に、次式に従って、第sfbの仮定されるダウンリンク送信ストリームに関する第1のユーザ機器の測定集合の外部のセルのサブ帯域幅レベルの干渉および雑音電力を判定し、
【０１７２】
【数６６】
2016526352.tif 000068
【０１７３】
ここで、
【０１７４】
【数６７】
2016526352.tif 000069
【０１７５】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Pmは、第mのセルの送信アンテナの総電力であり、mは、測定集合内のセル番号であり、m∈{x|1≦x≦M}であり、Mは、第1のユーザ機器の測定集合内のセルの量であり、
【０１７６】
【数６８】
2016526352.tif 000070
【０１７７】
は、第mのセルの第sbのサブ帯域幅のアップリンクチャネル行列であり、
【０１７８】
【数６９】
2016526352.tif 000071
【０１７９】
は、第1のセルのセル参照信号の仮想アンテナマッピング行列であり、
【０１８０】
【数７０】
2016526352.tif 000072
【０１８１】
は、第sfbの仮定されるダウンリンク送信ストリームに関する第1のユーザ機器の測定集合の外部のセルの第sbのサブ帯域幅の、仮定されるダウンリンク送信ストリームに対応するダウンリンクチャネル品質インジケータに従ってマッピングを介して取得される、信号対雑音比であり、
【０１８２】
【数７１】
2016526352.tif 000073
【０１８３】
は、第mのセル内で現在のスケジューリングの前に使用された第sbのサブ帯域幅の送信重み行列であり、
【０１８４】
【数７２】
2016526352.tif 000074
【０１８５】
は、第sfbの仮定されるダウンリンク送信ストリームの第sbのサブ帯域幅のプリコーディングベクトルであり、μMは、第1のユーザ機器の測定集合であり、
【０１８６】
【数７３】
2016526352.tif 000075
【０１８７】
は、*のすべての要素の二乗和の平方根の抽出を示す
ように構成される。
【０１８８】
第3の態様の第7の可能な実施の形に関連して、第3の態様の第9の可能な実施の形では、仮定されるダウンリンク送信ストリームに対応するダウンリンクチャネル品質インジケータが、第2の信号対雑音比に従って取得され、第2の信号対雑音比が、第1のユーザ機器の測定集合の外部のセルの干渉および雑音電力に対する第1のセルのダウンリンクパイロット信号の比率である時に、第3の雑音判定サブユニットは、
第1のユーザ機器によって仮定される送信モードが、送信ダイバーシティである場合に、次式に従って、第sfbの仮定されるダウンリンク送信ストリームに関する第1のユーザ機器の測定集合の外部のセルのサブ帯域幅レベルの干渉および雑音電力を判定し、
【０１８９】
【数７４】
2016526352.tif 000076
【０１９０】
ここで、
【０１９１】
【数７５】
2016526352.tif 000077
【０１９２】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Tnumは、第1のセルの送信アンテナの量であり、Pmは、第mのセルの送信アンテナの総電力であり、mは、第1のユーザ機器の測定集合内のセル番号であり、m∈{x|1≦x≦M}であり、Mは、第1のユーザ機器の測定集合内のセルの量であり、
【０１９３】
【数７６】
2016526352.tif 000078
【０１９４】
は、第mのセルの第sbのサブ帯域幅のアップリンクチャネル行列であり、
【０１９５】
【数７７】
2016526352.tif 000079
【０１９６】
は、第1のセルのセル参照信号の仮想アンテナマッピング行列であり、
【０１９７】
【数７８】
2016526352.tif 000080
【０１９８】
は、第sfbの仮定されるダウンリンク送信ストリームに関する第1のユーザ機器の測定集合の外部のセルの第sbのサブ帯域幅の、仮定されるダウンリンク送信ストリームに対応するダウンリンクチャネル品質インジケータに従ってマッピングを介して取得される、信号対雑音比であり、
【０１９９】
【数７９】
2016526352.tif 000081
【０２００】
は、*のすべての要素の二乗和の平方根の抽出を示し、
第1のユーザ機器によって仮定される送信モードが、閉ループ空間多重化であり、第1のユーザ機器の送信集合内のセルによるダウンリンク送信ストリームの送信の送信モードが、送信モード8である場合に、次式に従って、第sfbの仮定されるダウンリンク送信ストリームに関する第1のユーザ機器の測定集合の外部のセルのサブ帯域幅レベルの干渉および雑音電力を判定し、
【０２０１】
【数８０】
2016526352.tif 000082
【０２０２】
ここで、
【０２０３】
【数８１】
2016526352.tif 000083
【０２０４】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Pmは、第mのセルの送信アンテナの総電力であり、mは、第1のユーザ機器の測定集合内のセル番号であり、m∈{x|1≦x≦M}であり、Mは、第1のユーザ機器の測定集合内のセルの量であり、
【０２０５】
【数８２】
2016526352.tif 000084
【０２０６】
は、第mのセルの第sbのサブ帯域幅のアップリンクチャネル行列であり、
【０２０７】
【数８３】
2016526352.tif 000085
【０２０８】
は、第1のセルのセル参照信号の仮想アンテナマッピング行列であり、
【０２０９】
【数８４】
2016526352.tif 000086
【０２１０】
は、第sfbの仮定されるダウンリンク送信ストリームに関する第1のユーザ機器の測定集合の外部のセルの第sbのサブ帯域幅の、仮定されるダウンリンク送信ストリームに対応するダウンリンクチャネル品質インジケータに従ってマッピングを介して取得される、信号対雑音比であり、
【０２１１】
【数８５】
2016526352.tif 000087
【０２１２】
は、*のすべての要素の二乗和の平方根の抽出を示し、または、
第1のユーザ機器によって仮定される送信モードが、閉ループ空間多重化であり、第1のユーザ機器の送信集合内のセルによるダウンリンク送信ストリームの送信の送信モードが、送信モード9である場合に、次式に従って、第sfbの仮定されるダウンリンク送信ストリームに関する第1のユーザ機器の測定集合の外部のセルのサブ帯域幅レベルの干渉および雑音電力を判定し、
【０２１３】
【数８６】
2016526352.tif 000088
【０２１４】
ここで、
【０２１５】
【数８７】
2016526352.tif 000089
【０２１６】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、Pmは、第mのセルの送信アンテナの総電力であり、mは、第1のユーザ機器の測定集合内のセル番号であり、m∈{x|1≦x≦M}であり、Mは、第1のユーザ機器の測定集合内のセルの量であり、
【０２１７】
【数８８】
2016526352.tif 000090
【０２１８】
は、第mのセルの第sbのサブ帯域幅のアップリンクチャネル行列であり、
【０２１９】
【数８９】
2016526352.tif 000091
【０２２０】
は、第1のセルのチャネル状態表示参照信号の仮想アンテナマッピング行列であり、
【０２２１】
【数９０】
2016526352.tif 000092
【０２２２】
は、第sfbの仮定されるダウンリンク送信ストリームに関する第1のユーザ機器の測定集合の外部のセルの第sbのサブ帯域幅の、仮定されるダウンリンク送信ストリームに対応するダウンリンクチャネル品質インジケータに従ってマッピングを介して取得される、信号対雑音比であり、
【０２２３】
【数９１】
2016526352.tif 000093
【０２２４】
は、第sfbの仮定されるダウンリンク送信ストリームの第sbのサブ帯域幅のプリコーディングベクトルであり、
【０２２５】
【数９２】
2016526352.tif 000094
【０２２６】
は、*のすべての要素の二乗和の平方根の抽出を示す
ように構成される。
【０２２７】
第3の態様の第7の可能な実施の形から第9の可能な実施の形のうちの任意の1つに関連して、第3の態様の第10の可能な実施の形では、第4の雑音判定サブユニットは、
次式に従って、送信されるダウンリンク送信ストリームに関する第1のユーザ機器の測定集合の外部のセルのサブ帯域幅レベルの干渉および雑音電力を判定するように構成され、
【０２２８】
【数９３】
2016526352.tif 000095
【０２２９】
ここで、
【０２３０】
【数９４】
2016526352.tif 000096
【０２３１】
は、送信される第stxのダウンリンク送信ストリームに関する第1のユーザ機器の測定集合の外部のセルのサブ帯域幅レベルの干渉および雑音電力であり、stxは、送信されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、
【０２３２】
【数９５】
2016526352.tif 000097
【０２３３】
は、第sfbの仮定されるダウンリンク送信ストリームに関する第1のユーザ機器の測定集合の外部のセルのサブ帯域幅レベルの干渉および雑音電力であり、sfbは、仮定されるダウンリンク送信ストリームのストリーム番号であり、Sfbは、仮定されるダウンリンク送信ストリームのストリーム量であり、Σ*は、*の和を示す。
【０２３４】
第3の態様の第7の可能な実施の形から第9の可能な実施の形のうちの任意の1つに関連して、第3の態様の第11の可能な実施の形では、送信されるダウンリンク送信ストリームのストリーム量が、仮定されるダウンリンク送信ストリームのストリーム量と等しい時に、第4の雑音判定サブユニットは、
次式に従って、送信されるダウンリンク送信ストリームに関する第1のユーザ機器の測定集合の外部のセルのサブ帯域幅レベルの干渉および雑音電力を判定するように構成され、
【０２３５】
【数９６】
2016526352.tif 000098
【０２３６】
ここで、
【０２３７】
【数９７】
2016526352.tif 000099
【０２３８】
は、送信される第stxのダウンリンク送信ストリームに関する第1のユーザ機器の測定集合の外部のセルの第sbのサブ帯域幅の干渉および雑音電力であり、stxは、送信されるダウンリンク送信ストリームのストリーム番号であり、sbは、サブ帯域幅番号であり、sb∈{x|1≦x≦NSB}であり、NSBは、第1のセルの送信リソース内のサブ帯域幅の量であり、
【０２３９】
【数９８】
2016526352.tif 000100
【０２４０】
は、第sfbの仮定されるダウンリンク送信ストリームに関する第1のユーザ機器の測定集合の外部のセルの第sbのサブ帯域幅の干渉および雑音電力であり、sfbは、仮定されるダウンリンク送信ストリームのストリーム番号である。
【０２４１】
第3の態様の第3の可能な実施の形に関連して、第3の態様の第12の可能な実施の形では、第2の雑音判定ユニットは、
送信されるダウンリンク送信ストリームに関する第1のユーザ機器の測定集合の外部のセルのサブ帯域幅レベルの干渉および雑音電力を計算すべきかどうかを判定するように構成された判定サブユニットと、
判定ユニットが、送信されるダウンリンク送信ストリームに関する第1のユーザ機器の測定集合の外部のセルのサブ帯域幅レベルの干渉および雑音電力を計算すべきではないと判定する時に、送信されるダウンリンク送信ストリームに関して、第1のユーザ機器の測定集合の外部のセルのサブ帯域幅レベルの干渉および雑音電力を0にセットするように構成された第5の雑音サブユニットと、
判定ユニットが、送信されるダウンリンク送信ストリームに関する第1のユーザ機器の測定集合の外部のセルのサブ帯域幅レベルの干渉および雑音電力を計算すべきであると判定する時に、第1のユーザ機器の測定集合内の各セルのサブ帯域幅レベルのアップリンクチャネル行列に従って、仮定されるダウンリンク送信ストリームに関する第1のユーザ機器の測定集合の外部のセルのサブ帯域幅レベルの干渉および雑音電力を判定し、仮定されるダウンリンク送信ストリームに関する第1のユーザ機器の測定集合の外部のセルのサブ帯域幅レベルの干渉および雑音電力に従って、送信されるダウンリンク送信ストリームに関する第1のユーザ機器の測定集合の外部のセルのサブ帯域幅レベルの干渉および雑音電力を判定するように構成された第6の雑音サブユニットと
を含む。
【０２４２】
第3の態様の第12の可能な実施の形に関連して、第3の態様の第13の可能な実施の形では、判定サブユニットは、
送信されるダウンリンク送信ストリームに関する第1のユーザ機器の測定集合の外部のセルのサブ帯域幅レベルの干渉および雑音電力を計算するのに必要なコードの量としきい値を比較し、
コードの量がしきい値より多い場合に、送信されるダウンリンク送信ストリームに関する第1のユーザ機器の測定集合の外部のセルのサブ帯域幅レベルの干渉および雑音電力を計算せず、
コードの量がしきい値より少ない場合に、送信されるダウンリンク送信ストリームに関する第1のユーザ機器の測定集合の外部のセルのサブ帯域幅レベルの干渉および雑音電力を計算する
ように構成される。
【０２４３】
第3の態様の第12の可能な実施の形に関連して、第3の態様の第14の可能な実施の形では、判定サブユニットは、
別々に、MをMThrと比較し、(M-T)をIThrと比較し、
M>MThrかつ(M-T)>IThrである場合に、送信されるダウンリンク送信ストリームに関する第1のユーザ機器の測定集合の外部のセルのサブ帯域幅レベルの干渉および雑音電力を計算せず、
そうでない場合に、送信されるダウンリンク送信ストリームに関する第1のユーザ機器の測定集合の外部のセルのサブ帯域幅レベルの干渉および雑音電力を計算する
ように構成され、Mは、第1のユーザ機器の測定集合内のセルの量であり、Tは、第1のユーザ機器の送信集合内のセルの量であり、MThrおよびIThrは、集合しきい値である。
【０２４４】
第3の態様の第1の可能な実施の形から第14の可能な実施の形のうちの任意の1つに関連して、第3の態様の第15の可能な実施の形では、第1の信号対干渉雑音比判定ユニットは、
最大比合成等化アルゴリズムに従って、第1のユーザ機器の送信集合内の各セルによって送信されるダウンリンク送信ストリームのサブ帯域幅レベルの信号対干渉雑音比を判定する
ように構成される。
【０２４５】
第3の態様の第1の可能な実施の形から第14の可能な実施の形のうちの任意の1つに関連して、第3の態様の第16の可能な実施の形では、第1の信号対干渉雑音比判定ユニットは、干渉抑圧合成等化アルゴリズムに従って、第1のユーザ機器の送信集合内の各セルによって送信されるダウンリンク送信ストリームのサブ帯域幅レベルの信号対干渉雑音比を判定するように構成される。
【０２４６】
第3の態様の第1の可能な実施の形から第16の可能な実施の形のうちの任意の1つに関連して、第3の態様の第17の可能な実施の形では、第2の信号対干渉雑音比判定ユニットは、平均化方法に従って、第1のユーザ機器の送信集合内のセルによって送信されるダウンリンク送信ストリームのサブ帯域幅レベルの信号対干渉雑音比を合成するように構成される。
【０２４７】
第3の態様の第1の可能な実施の形から第16の可能な実施の形のうちの任意の1つに関連して、第3の態様の第18の可能な実施の形では、第2の信号対干渉雑音比判定ユニットは、指数有効信号対干渉雑音比マッピング合成方法に従って、第1のユーザ機器の送信集合内のセルによって送信されるダウンリンク送信ストリームのサブ帯域幅レベルの信号対干渉雑音比を合成するように構成される。
【０２４８】
第3の態様の第1の可能な実施の形から第18の可能な実施の形のうちの任意の1つに関連して、第3の態様の第19の可能な実施の形では、第2の変調およびコーディング方式判定モジュールは、
第1のユーザ機器の第2のダウンリンク変調およびコーディング方式として、
【０２４９】
【数９９】
2016526352.tif 000101
【０２５０】
を満足する最大のSINRMCSに対応する変調およびコーディング方式を選択するように構成され、
ここで、
【０２５１】
【数１００】
2016526352.tif 000102
【０２５２】
は、第1のユーザ機器の測定集合内の各セルによって送信される第stxのダウンリンク送信ストリームの信号対干渉雑音比であり、stxは、送信されるダウンリンク送信ストリームのストリーム番号であり、SINRMCSは、変調およびコーディング方式に対応する信号対干渉雑音比である。
【０２５３】
第3の態様の第1の可能な実施の形から第19の可能な実施の形のうちの任意の1つに関連して、第3の態様の第20の可能な実施の形では、この装置は、
第1のユーザ機器の測定集合内のセルとして、第1のセルに隣接するセルまたは次式を満足するセルを使用するように構成された測定集合判定モジュールであって、
|RSRP1-RSRPi|<Thr
ここで、RSRP1は、第1のセルの参照信号受信電力であり、RSRPiは、第1のセル以外のセルの参照信号受信電力であり、Thrは、集合しきい値である
測定集合判定モジュール
をさらに含む。
【０２５４】
第3の態様の第1の可能な実施の形から第20の可能な実施の形のうちの任意の1つに関連して、第3の態様の第21の可能な実施の形では、この装置は、
第2の変調およびコーディング方式判定モジュールによって判定される第1のユーザ機器の第2のダウンリンク変調およびコーディング方式と第1のセルの送信リソースとに従って、第1のユーザ機器に割り振られる第1のセルの送信リソース上で第1のユーザ機器に送信されるトランスポートブロックサイズを判定するように構成されたトランスポートブロックサイズモジュール
をさらに含む。
【０２５５】
第3の態様の第1の可能な実施の形から第21の可能な実施の形のうちの任意の1つに関連して、第3の態様の第22の可能な実施の形では、この装置は、
第1のユーザ機器に制御シグナリングを送信するように構成された送信モジュールであって、制御シグナリングは、第2のダウンリンク変調およびコーディング方式と第1のユーザ機器の送信リソース割振り情報とを含み、送信リソース割振り情報は、第1のユーザ機器に割り振られる第1のセルの送信リソースを示すのに使用される、送信モジュール
をさらに含む。
【０２５６】
第4の態様によれば、本発明の実施形態は、ユーザ機器を提供し、このユーザ機器は、
第1のセルが属する基地局にダウンリンクチャネル品質インジケータを送信するように構成されたチャネル品質インジケータ送信モジュールであって、第1のセルは、ユーザ機器のサービングセルである、チャネル品質インジケータ送信モジュールと、
第1の基地局にサウンディング参照信号を送信するように構成されたサウンディング参照信号送信モジュールであって、第1の基地局は、ユーザ機器の測定集合内の各セルが属する基地局である、サウンディング参照信号送信モジュールと、
基地局によって送信される送信リソース割振り情報と第2のダウンリンク変調およびコーディング方式とを受信するように構成された受信モジュールであって、送信リソース割振り情報は、基地局によってユーザ機器に割り振られる第1のセルの送信リソースを示すのに使用され、送信リソースは、基地局がユーザ機器によって送信されたダウンリンクチャネル品質インジケータに従って第1のダウンリンク変調およびコーディング方式を判定した後に、第1のダウンリンク変調およびコーディング方式に従ってユーザ機器に割り振られ、第2のダウンリンク変調およびコーディング方式は、ユーザ機器の測定集合内の各セルのサブ帯域幅レベルのアップリンクチャネル行列を獲得することと、ユーザ機器の測定集合内の各セルのサブ帯域幅レベルのアップリンクチャネル行列に従って、ユーザ機器の送信集合内の各セルによって送信されるダウンリンク送信ストリームの信号対干渉雑音比を判定することと、送信されるダウンリンク送信ストリームの信号対干渉雑音比に従ってユーザ機器の第2のダウンリンク変調およびコーディング方式を判定することとという形で基地局によって判定され、ユーザ機器の測定集合内の各セルのサブ帯域幅レベルのアップリンクチャネル行列は、ユーザ機器によって第1の基地局に送信されたサウンディング参照信号に従って判定され、ユーザ機器の送信集合は、ユーザ機器の測定集合の部分集合である、受信モジュールと
を含む。
【０２５７】
第4の態様に関連して、第4の態様の第1の可能な実施の形では、
受信モジュールは、基地局によって送信される制御シグナリングを受信するように構成され、制御シグナリングは、送信リソース割振り情報と第2のダウンリンク変調およびコーディング方式とを含む。
【０２５８】
第4の態様の第1の可能な実施の形に関連して、第4の態様の第2の可能な実施の形では、このユーザ機器は、
受信される送信リソース割振り情報と第2のダウンリンク変調およびコーディング方式とに従って、ユーザ機器に割り振られる第1のセルの送信リソース上で基地局によってユーザ機器に送信されるトランスポートブロックサイズを判定するように構成されたトランスポートブロックサイズ判定モジュール
をさらに含む。
【０２５９】
本発明の実施形態で提供される技術的解決策は、次の有益な効果を有する。
【０２６０】
第1のUEの測定集合内の各セルのSBレベルのアップリンクチャネル行列が、獲得され、第1のUEの送信集合内の各セルによって送信されるダウンリンク送信ストリームのSINRが、第1のUEの測定集合内の各セルのSBレベルのアップリンクチャネル行列に従って判定され、その後、第1のUEの第2のダウンリンクMCSが、送信されるダウンリンク送信集合のSINRに従って判定される。すなわち、本発明の実施形態では、ダウンリンクチャネルが、アップリンクチャネルを使用することによって推定される。この形で、アップリンクチャネルおよびダウンリンクチャネルが近似するシステム(たとえば、LTE-TDDシステム)において、第1のダウンリンクMCSより正確な第2のダウンリンクMCSを取得することができる。その結果、ダウンリンクチャネル品質を十分に使用することができ、送信効率が改善される。さらに、本発明の実施形態では、第1のUEの送信集合内の各セルによって送信されるダウンリンク送信ストリームのSINRが、第1のUEの測定集合内の各セルのSBレベルのアップリンクチャネル行列に従って判定され、第1のUEの第2のダウンリンクMCSが、送信されるダウンリンク送信ストリームのSINRに従って判定され、これが、量子化された値(CQI)を使用することによって判定されるダウンリンクMCSが従来技術において不正確であるという問題を防ぐ。
【０２６１】
本発明の実施形態における技術的解決策をより明瞭に説明するために、以下では、実施形態を説明するのに必要な添付図面を短く紹介する。明らかに、以下の説明内の添付図面は、単に、本発明のいくつかの実施形態を示すものであり、当業者は、それでも、創作的労力を伴わずにこれらの添付図面から他の図面を導出することができる。
【図面の簡単な説明】
【０２６２】
【図１】本発明の実施形態によるデータ送信方法を示す流れ図である。
【図２ａ】本発明の実施形態によるデータ送信方法を示す流れ図である。
【図２ｂ】本発明の実施形態によるデータ送信方法を示す流れ図である。
【図３】本発明の実施形態によるデータ送信方法を示す流れ図である。
【図４】本発明の実施形態によるデータ送信装置を示す概略構造図である。
【図５】本発明の実施形態によるデータ送信装置を示す概略構造図である。
【図６】本発明の実施形態によるデータ送信装置の特定の実施の形を示す概略構造図である。
【図７】本発明の実施形態によるUEを示す概略構造図である。
【図８】本発明の実施形態によるUEの特定の実施の形を示す概略構造図である。
【発明を実施するための形態】
【０２６３】
本発明の目的、技術的解決策、および利点をより明瞭にするために、以下では、添付図面に関連して本発明の実施形態を詳細にさらに説明する。
【０２６４】
本発明の実施形態をわかりやすくするために、以下では、まず、測定集合および送信集合を短く紹介する。実施形態において、測定集合および送信集合は、UEについて定義される。異なるUEの測定集合および送信集合は、異なるものとすることができる。UEの測定集合内のセルは、UEによって送信されたアップリンクデータを受信し、処理し、情報が、UEの測定集合内のセル間で交換される。UEによって送信されるアップリンクデータは、ダウンリンクCQIとサウンディング参照信号(Sounding Reference Signal、略してSRS)とを含む。ダウンリンクCQIは、UEによって仮定されるダウンリンク送信ストリームと1対1対応になっている。UEの送信集合内のセルは、ダウンリンクデータをUEに合同で送信するのに使用される。合同送信は、コヒーレント送信およびインコヒーレント送信を含む。コヒーレント送信では、UEの送信集合内のセルが、チャネル情報を交換することによって各セルの送信重みを判定する。インコヒーレント送信では、UEの送信集合内のセルが、そのそれぞれの送信重みを独立に判定する。UEの送信集合は、UEの測定集合の部分集合である。
【０２６５】
具体的には、UEの送信集合内のセルによる送信重みの判定に関して、従来技術の形を参照することができ、詳細を本明細書でもう一度説明することはしない。
【０２６６】
本発明の実施形態における解決策が、ダウンリンクチャネルをアップリンクチャネルに従って推定することができるシステムに適用可能であることに留意されたい。このシステムは、LTE-TDDシステムおよび改良されたLTE-FDDシステムを含むが、これに限定されない。アップリンクチャネルおよびダウンリンクチャネルは、LTE-TDDシステムでは近似し、したがって、ダウンリンクチャネルに関する情報を、アップリンクチャネルの推定を介して獲得することができる。改良されたLTE-FDDシステムでは、アップリンクチャネルとダウンリンクチャネルとの間の差を推定し、補償することができ、したがって、ダウンリンクチャネルに関する情報を、アップリンクチャネルの推定を介して獲得することもできる。
【０２６７】
本発明の実施形態は、データ送信方法を提供し、この方法は、eNBによって実施され得る。図1を参照すると、この方法は、以下を含む。
【０２６８】
S101。第1のUEによってフィードバックされたダウンリンクCQIを受信し、第1のUEによってフィードバックされたダウンリンクCQIに従って第1のUEの第1のダウンリンクMCSを判定する。
【０２６９】
本発明のこの実施形態では、第1のUEのサービングセルは、第1のセルと呼ばれ、第1のUEは、第1のセル内の任意のUEとすることができる。第1のセル内のUEが、第1のセルがサービングセルとして使用されるUEを指すことに留意されたい。
【０２７０】
特定の実施態様では、eNBは、一般に、第1のセル内のすべてのUEによってフィードバックされたダウンリンクCQIを受信し、第1のセル内の各UEによってフィードバックされたダウンリンクCQIに従って各UEの第1のダウンリンクMCSを判定する。
【０２７１】
S102。第1のUEの第1のダウンリンクMCSに従って第1のUEに第1のセルの送信リソースを割り振る。
【０２７２】
送信リソースは、SBとすることができ、SBは、1つのリソースブロック(Resource Block、略してRB)とすることができ、あるいは、複数のRBの組合せとすることができる。
【０２７３】
具体的には、S102は、
第1のセル内のすべてのUEの第1のダウンリンクMCSに従い、プロポーショナルフェア(Proportional Fair、略してPF)アルゴリズムに基づくか、ラウンドロビン(Round Robin、略してRR)アルゴリズムに基づいて、第1のUEに第1のセルの送信リソースを割り振ること
を含む。
【０２７４】
S103。第1のUEの測定集合内の各セルのサブ帯域幅(Sub-Bandwidth、略してSB)レベルのアップリンクチャネル行列を獲得する。
【０２７５】
第1のUEの測定集合内の各セルのSBレベルのアップリンクチャネル行列は、第1のUEによって第1の基地局に送信されるSRSに従って判定され得る。第1の基地局は、第1のUEの測定集合内の各セルが属する基地局である。
【０２７６】
この実施形態では、各セルのSBレベルのアップリンクチャネル行列は、各SB(合計NSB個のSB)上の各セルによって推定されるアップリンクチャネルを示し、sbは、SB番号であり、sb∈{x|1≦x≦NSB}であり、NSBは、送信リソース内のSBの量である。
【０２７７】
S104。第1のUEの測定集合内の各セルのSBレベルのアップリンクチャネル行列に従って、第1のUEの送信集合内の各セルによって送信されるダウンリンク送信ストリームの信号対干渉雑音比(Signal to Interference plus Noise Ratio、略してSINR)を判定する。
【０２７８】
たとえば、S104は、次の形で実施され得る:第1のUEの測定集合内の各セルのSBレベルのアップリンクチャネル行列に従って、送信されるダウンリンク送信ストリームに関する第1のUEの測定集合の外部のセルのSBレベルの干渉および雑音電力を判定するステップと、第1のUEの測定集合内の各セルのSBレベルのアップリンクチャネル行列と送信されるダウンリンク送信ストリームに関する第1のUEの測定集合の外部のセルのSBレベルの干渉および雑音電力とに従って、第1のUEの送信集合内の各セルによって送信されるダウンリンク送信ストリームのSINRを判定するステップ。
【０２７９】
S105。送信されるダウンリンク送信ストリームのSINRに従って第1のUEの第2のダウンリンクMCSを判定する。
【０２８０】
本発明のこの実施形態では、第1のUEの測定集合内の各セルのSBレベルのアップリンクチャネル行列が獲得され、第1のUEの送信集合内の各セルによって送信されるダウンリンク送信ストリームのSINRが、第1のUEの測定集合内の各セルのSBレベルのアップリンクチャネル行列に従って判定され、その後、第1のUEの第2のダウンリンクMCSが、送信されるダウンリンク送信ストリームのSINRに従って判定される。すなわち、本発明のこの実施形態では、ダウンリンクチャネルが、アップリンクチャネルを使用することによって推定される。この形で、アップリンクチャネルおよびダウンリンクチャネルが近似するシステム(たとえば、LTE-TDDシステム)において、第1のダウンリンクMCSより正確な第2のダウンリンクMCSを取得することができる。その結果、ダウンリンクチャネル品質を十分に使用することができ、送信効率が改善される。さらに、本発明のこの実施形態では、第1のUEの送信集合内の各セルによって送信されるダウンリンク送信ストリームのSINRが、第1のUEの測定集合内の各セルのSBレベルのアップリンクチャネル行列に従って判定され、第1のUEの第2のダウンリンクMCSが、送信されるダウンリンク送信ストリームのSINRに従って判定され、これが、量子化された値(CQI)を使用することによって判定されるダウンリンクMCSが従来技術において不正確であるという問題を防ぐ。
【０２８１】
本発明の実施形態は、データ送信方法を提供し、ここで、この方法は、eNBによって実施され得る。図2を参照すると、この方法は、以下を含む。
【０２８２】
S201。第1のUEによってフィードバックされたダウンリンクCQIを受信し、第1のUEによってフィードバックされたダウンリンクCQIに従って第1のUEの第1のダウンリンクMCSを判定する。
【０２８３】
具体的には、S201を、次の形で実施することができる:ダウンリンクCQIを使用することによってダウンリンクCQIとダウンリンクMCSとの間の対応に従って第1のダウンリンクMCSを判定するステップ。
【０２８４】
さらに、ダウンリンクCQIとダウンリンクMCSとの間の対応は、一般に、基地局製造業者によって提供され、ここで、対応は、テーブルの形であるものとすることができ、各CQIは、1つのダウンリンクMCSに対応する。特定の実施態様では、獲得されたCQIは、CQIに対応するダウンリンクMCSを取得するためのテーブルルックアップに直接に使用され得、あるいは、フィルタリングが、まず獲得されたCQIに対して実行され得、その後、テーブルルックアップが、CQIに対応するダウンリンクMCSを取得するために実行される。
【０２８５】
S202。第1のUEの第1のダウンリンクMCSに従って第1のUEに第1のセルの送信リソースを割り振り、第1のセルは、第1のUEのサービングセルである。
【０２８６】
送信リソースを、SBとすることができ、SBは、1つのRBとすることができ、あるいは、複数のRBの組合せとすることができる。
【０２８７】
特定の実施態様では、S202は、
第1のセル内のすべてのUEの第1のダウンリンクMCSに従い、PFアルゴリズムに基づくか、RRアルゴリズムに基づいて、第1のUEに第1のセルの送信リソースを割り振ること
を含むことができる。
【０２８８】
具体的には、PFアルゴリズムに従う第1のUEへの送信リソースの割振りは、第1のダウンリンクMCSと第1のセル内のすべてのUEのヒストリカル送信レートとに従って第1のセルのSB上での第1のセル内の各UEの初期優先順位を判定することと、第1のUEの初期優先順位に従って第1のUEにSBを割り振ることとを含む。
【０２８９】
具体的には、RRアルゴリズムに従って第1のUEの送信リソースを割り振るプロセスは、次の通りである:第1のダウンリンクMCSと第1のセル内のすべてのUEのヒストリカル送信レートとに従って第1のセルのSB上での第1のセル内の各UEの優先順位キューを判定することと、第1のセル内の各UEによって送信されるリソース要求と優先順位キューとに従って第1のセル内のすべてのUEに第1のセルのSBを割り振ることと、第1のUEが優先順位キューの第1の位置に配置される時に、第1のUEにSBを割り振り、優先順位キュー内の第1のUEの位置を調整すること。
【０２９０】
S203。第1のUEの測定集合内の各セルのSBレベルのアップリンクチャネル行列を獲得する。
【０２９１】
第1のUEの測定集合内の各セルのSBレベルのアップリンクチャネル行列は、第1のUEによって第1の基地局に送信されるSRSに従って判定され得る。第1の基地局は、第1のUEの測定集合内の各セルが属する基地局である。
【０２９２】
本発明のこの実施形態では、UEの測定集合は、M個のセルを含み、μM={x|1≦x≦M}であり、μMは、UEの測定集合である。UEの測定集合では、セル番号m∈μMであり、UEの測定集合内の第1のセル(その番号がm=1であるセル)は、そのUEのサービングセルである。UEの測定集合内の第mのセルの送信アンテナの総電力は、Pmである。UEの送信集合は、T個のセルを含み、μT={x|1≦x≦T}であり、μT∈μMであり、μTは、UEの送信集合であり、UEの送信集合内のセル番号t∈μTであり、UEの送信集合内の第1のセル(その番号がt=1であるセル)は、そのUEのサービングセルである。UEの送信集合内のセルによって送信されるダウンリンク送信ストリームのストリーム量は、Stxであり、ストリーム番号stx∈{x|1≦x≦Stx}である。UEによって仮定されるダウンリンク送信ストリームのストリーム量は、Sfbであり、ストリーム番号sfb∈{x|1≦x≦Sfb}である。UEによって仮定されるダウンリンク送信が、送信ダイバーシティである場合には、Sfb=1であり、UEによって仮定されるダウンリンク送信が閉ループ空間多重化である場合には、Sfb≧1である。
【０２９３】
オプションで、UEの測定集合内のセルは、UEのサービングセルに隣接するセルであるものとすることができ、あるいは、UEの測定集合内のセルは、次の形で判定され得る:UEの測定集合内のセルが、式(1)を満足するセルであることを判定すること。
|RSRP1-RSRPi|<Thr  (1)
ここで、RSRP1は、UEのサービングセルの参照信号受信電力(Reference Signal Receiving Power、略してRSRP)であり、RSRPiは、UEのサービングセル以外のセルのRSRPであり、Thrは、集合しきい値であり、ここで、このしきい値の値は、実際の要件に従ってセットされ得、本発明のこの実施形態において限定されない。
【０２９４】
UEの測定集合内のセルを判定する前述の方法が、例にすぎず、本発明を限定することが意図されていないことに留意されたい。
【０２９５】
具体的には、第1のUEによって第1の基地局に送信されたSRSに従って第1のUEの測定集合内の各セルのSBレベルのアップリンクチャネル行列を判定するプロセスは、次の通りである:
第1の基地局によって、第1のUEによって送信されたSRSを受信することと、
第1の基地局によって、最小二乗(Least Square、略してLS)チャネル推定法に従って第1のUEの測定集合内の各セルのSBレベルのアップリンクチャネルを判定することと、
第1のセルが属する基地局によって、第1のUEの測定集合内の各セルのSBレベルのアップリンクチャネル行列を構成するために第1のUEの測定集合内の各セルのSBレベルのアップリンクチャネルを獲得すること。
【０２９６】
具体的には、前述のLSチャネル推定法において使用される式は、H=R*S'であり、ここで、Hは、推定されたアップリンクチャネルであり、Rは、第1の基地局によって受信されたSRS信号であり、S'は、Sの共役信号であり、Sは、第1のUEによって送信されたSRS信号である。
【０２９７】
LSチャネル推定法が、例にすぎず、別のチャネル推定法を使用することもできることに留意されたい。
【０２９８】
S204。第1のUEの測定集合内の各セルのSBレベルのアップリンクチャネル行列に従って、第1のUEの送信集合内の各セルによって送信されるダウンリンク送信ストリームのSINRを判定する。
【０２９９】
具体的には、図2bを参照すると、S204は、以下を含むことができる:
S2041。第1のUEの測定集合内の各セルのSBレベルのアップリンクチャネル行列に従って、第1のUEの送信集合内の各セルによって送信されるダウンリンク送信ストリームのSBレベルのSINRを判定する。
【０３００】
各セルによって送信されるダウンリンク送信ストリームのSBレベルのSINRは、各SB上の各セルによって送信されるダウンリンク送信ストリームのSINRを指す。
【０３０１】
この実施形態の1つの実施の形では、S2041の前に、この方法は、送信されるダウンリンク送信ストリームに関して、第1のUEの測定集合の外部のセルのSBレベルの干渉および雑音電力を0にセットするステップをさらに含むことができる。
【０３０２】
この実施形態のもう1つの実施の形では、S2041の前に、この方法は、S2040すなわち:第1のUEの測定集合内の各セルのSBレベルのアップリンクチャネル行列に従って、送信されるダウンリンク送信ストリームに関する第1のUEの送信集合の外部のセルのSBレベルの干渉および雑音電力を判定するステップをさらに含むことができる。
【０３０３】
オプションで、S2040の実施の形は、第1のUEの測定集合内の各セルのSBレベルのアップリンクチャネル行列に従って、送信されるダウンリンク送信ストリームに関する第1のUEの測定集合内のセルのSBレベルの干渉および雑音電力を判定するステップと、送信されるダウンリンク送信ストリームに関する第1のUEの測定集合内のセルのSBレベルの干渉および雑音電力に従って、送信されるダウンリンク送信ストリームに関する第1のUEの測定集合の外部のセルのSBレベルの干渉および雑音電力を判定するステップとを含むことができる。
【０３０４】
具体的には、第1のUEの測定集合内の各セルのSBレベルのアップリンクチャネル行列に従って、送信されるダウンリンク送信ストリームに関する第1のUEの測定集合内のセルのSBレベルの干渉および雑音電力を判定するステップは、
次式(2)に従って、送信されるダウンリンク送信ストリームに関する第1のUEの測定集合内のセルのSBレベルの干渉および雑音電力を判定するステップ
【０３０５】
【数１０１】
2016526352.tif 000103
【０３０６】
を含むことができ、ここで、
【０３０７】
【数１０２】
2016526352.tif 000104
【０３０８】
は、送信されるダウンリンク送信ストリームに関する第1のUEの測定集合内のセルの第sbのSBの干渉および雑音電力であり、
【０３０９】
【数１０３】
2016526352.tif 000105
【０３１０】
であり、Pmは、第mのセルの送信アンテナの総電力であり、
【０３１１】
【数１０４】
2016526352.tif 000106
【０３１２】
は、第mのセルの第sbのSBのアップリンクチャネル行列であり、
【０３１３】
【数１０５】
2016526352.tif 000107
【０３１４】
は、第mのセル内で現在のスケジューリングに使用される第sbのSBの送信重み行列であり、mは、第1のUEの測定集合内のセル番号であり、μMは、第1のUEの測定集合であり、μTは、第1のUEの送信集合であり、meanは、各列の平均値を取得するのに一般に使用される行列平均化であり、diagは、対角要素を示し、(*)Hは、*の共役転置を示す。
【０３１５】
具体的には、送信されるダウンリンク送信ストリームに関する第1のUEの測定集合内のセルのSBレベルの干渉および雑音電力に従って、送信されるダウンリンク送信ストリームに関する第1のUEの測定集合の外部のセルのSBレベルの干渉および雑音電力を判定するステップは、次式(3)に従って、送信されるダウンリンク送信ストリームに関する第1のUEの測定集合の外部のセルのSBレベルの干渉および雑音電力を判定するステップ
【０３１６】
【数１０６】
2016526352.tif 000108
【０３１７】
を含むことができ、ここで、
【０３１８】
【数１０７】
2016526352.tif 000109
【０３１９】
は、送信されるダウンリンク送信ストリームに関する第1のUEの測定集合の外部のセルの第sbのSBの干渉および雑音電力であり、
【０３２０】
【数１０８】
2016526352.tif 000110
【０３２１】
は、送信されるダウンリンク送信ストリームに関する第1のUEの測定集合内のセルの第sbのSBの干渉および雑音電力であり、αは、第1のUEの測定集合内の干渉に対する第1のUEの測定集合の外部の干渉の干渉比係数を示し、一般に0≦α≦4である。
【０３２２】
オプションで、S2040のもう1つの実施の形は、第1のUEの測定集合内の各セルのSBレベルのアップリンクチャネル行列に従って、第sfbの仮定されるダウンリンク送信ストリームに関する第1のUEの測定集合の外部のセルのSBレベルの干渉および雑音電力を判定するステップと、第sfbの仮定されるダウンリンク送信ストリームに関する第1のUEの測定集合の外部のセルのSBレベルの干渉および雑音電力に従って、送信される第stxのダウンリンク送信ストリームに関する第1のUEの測定集合の外部のセルのSBレベルの干渉および雑音電力を判定するステップとを含むことができる。
【０３２３】
第sfbの仮定されるダウンリンク送信ストリームに対応するダウンリンクCQIは、第1の信号対雑音比に従って取得され得、あるいは、第2の信号対雑音比に従って取得され得る。第1の信号対雑音比は、第1のセル以外のセルの干渉および雑音電力に対する第1のセルのダウンリンクパイロット信号(Downlink Pilot Time Slot、略してDwPTS)の比率であり、第2の信号対雑音比は、第1のUEの測定集合の外部のセルの干渉および雑音電力に対する第1のセルのダウンリンクDwPTSの比率である。データを送信するために第1のUEの送信集合内のセルによって使用されるプロトコルバージョン番号がR8、R9、またはR10である時には、第1のUEは、第1のセル以外のセルが、すべて、干渉セルであると仮定し、第sfbの仮定されるダウンリンク送信ストリームに対応するダウンリンクCQIが、第1の信号対雑音比に従って取得され、データを送信するために第1のUEの送信集合内のセルによって使用されるプロトコルバージョン番号がR11である時には、第1のUEは、第1のUEの測定集合内に干渉が存在しないと仮定し、第sfbの仮定されるダウンリンク送信ストリームに対応するダウンリンクCQIが、第2の信号対雑音比に従って取得される。
【０３２４】
オプションで、第sfbの仮定されるダウンリンク送信ストリームに対応するダウンリンクCQIが、第1の信号対雑音比に従って取得される時に、第1のUEの測定集合内の各セルのSBレベルのアップリンクチャネル行列に従って、第sfbの仮定されるダウンリンク送信ストリームに関する第1のUEの測定集合の外部のセルのSBレベルの干渉および雑音電力を判定するステップは、
第1のUEによって仮定される送信モードが、送信ダイバーシティである場合に、次式(4)に従って、第sfbの仮定されるダウンリンク送信ストリームに関する第1のUEの測定集合の外部のセルのSBレベルの干渉および雑音電力を判定するステップであって、
【０３２５】
【数１０９】
2016526352.tif 000111
【０３２６】
ここで、
【０３２７】
【数１１０】
2016526352.tif 000112
【０３２８】
は、第sfbの仮定されるダウンリンク送信ストリームに関する第1のUEの測定集合の外部のセルの第sbのSBの干渉および雑音電力であり、Tnumは、第1のセルの送信アンテナの量であり、Pmは、第mのセルの送信アンテナの総電力であり、
【０３２９】
【数１１１】
2016526352.tif 000113
【０３３０】
は、第mのセルの第sbのSBのアップリンクチャネル行列であり、
【０３３１】
【数１１２】
2016526352.tif 000114
【０３３２】
は、第1のセルのセル参照信号(Cell Reference Signal, CRS)の仮想アンテナマッピング(Virtual Antenna Mapping、略してVAM)行列であり、
【０３３３】
【数１１３】
2016526352.tif 000115
【０３３４】
は、第sfbの仮定されるダウンリンク送信ストリームに関する第1のUEの測定集合の外部のセルの第sbのSBの、第sfbの仮定されるダウンリンク送信ストリームに対応するダウンリンクCQIに従ってマッピングを介して取得される、信号対雑音比であり、
【０３３５】
【数１１４】
2016526352.tif 000116
【０３３６】
は、第mのセル内で現在のスケジューリングの前に使用された第sbのSBの送信重み行列であり、mは、第1のUEの測定集合内のセル番号であり、μMは、第1のUEの測定集合であり、Σ*は、*の和を示し、
【０３３７】
【数１１５】
2016526352.tif 000117
【０３３８】
は、*のすべての要素の二乗和の平方根の抽出を示す、判定するステップ、または、
第1のUEによって仮定される送信モードが、閉ループ空間多重化である場合に、次式(5)に従って、第sfbの仮定されるダウンリンク送信ストリームに関する第1のUEの測定集合の外部のセルのSBレベルの干渉および雑音電力を判定するステップであって、
【０３３９】
【数１１６】
2016526352.tif 000118
【０３４０】
ここで、
【０３４１】
【数１１７】
2016526352.tif 000119
【０３４２】
は、第sfbの仮定されるダウンリンク送信ストリームに関する第1のUEの測定集合の外部のセルの第sbのSBの干渉および雑音電力であり、Pmは、第mのセルの送信アンテナの総電力であり、
【０３４３】
【数１１８】
2016526352.tif 000120
【０３４４】
は、第mのセルの第sbのSBのアップリンクチャネル行列であり、
【０３４５】
【数１１９】
2016526352.tif 000121
【０３４６】
は、第1のセルのCRSのVAM行列であり、
【０３４７】
【数１２０】
2016526352.tif 000122
【０３４８】
は、第sfbの仮定されるダウンリンク送信ストリームに関する第1のUEの測定集合の外部のセルの第sbのSBの、第sfbの仮定されるダウンリンク送信ストリームに対応するダウンリンクCQIに従ってマッピングを介して取得される、信号対雑音比であり、
【０３４９】
【数１２１】
2016526352.tif 000123
【０３５０】
は、第mのセル内で現在のスケジューリングの前に使用された第sbのSBの送信重み行列であり、
【０３５１】
【数１２２】
2016526352.tif 000124
【０３５２】
は、第sfbの仮定されるダウンリンク送信ストリームの第sbのSBのプリコーディング行列インデックス(Precoding Matrix Index、略してPMI)であり、mは、第1のUEの測定集合内のセル番号であり、μMは、第1のUEの測定集合であり、Σ*は、*の和を示し、
【０３５３】
【数１２３】
2016526352.tif 000125
【０３５４】
は、*のすべての要素の二乗和の平方根の抽出を示す、判定するステップ
を含むことができる。
【０３５５】
オプションで、第sfbの仮定されるダウンリンク送信ストリームに対応するダウンリンクCQIが、第2の信号対雑音比に従って取得される時に、第1のUEの測定集合内の各セルのSBレベルのアップリンクチャネル行列に従って、第sfbの仮定されるダウンリンク送信ストリームに関する第1のUEの測定集合の外部のセルのSBレベルの干渉および雑音電力を判定するステップは、
第1のUEによって仮定される送信モードが、送信ダイバーシティである場合に、次式(6)に従って、第sfbの仮定されるダウンリンク送信ストリームに関する第1のUEの測定集合の外部のセルのSBレベルの干渉および雑音電力を判定するステップであって、
【０３５６】
【数１２４】
2016526352.tif 000126
【０３５７】
ここで、
【０３５８】
【数１２５】
2016526352.tif 000127
【０３５９】
は、第sfbの仮定されるダウンリンク送信ストリームに関する第1のUEの測定集合の外部のセルの第sbのSBの干渉および雑音電力であり、Tnumは、第1のセルの送信アンテナの量であり、Pmは、第mのセルの送信アンテナの総電力であり、
【０３６０】
【数１２６】
2016526352.tif 000128
【０３６１】
は、第mのセルの第sbのSBのアップリンクチャネル行列であり、
【０３６２】
【数１２７】
2016526352.tif 000129
【０３６３】
は、第1のセルのCRSのVAM行列であり、
【０３６４】
【数１２８】
2016526352.tif 000130
【０３６５】
は、第sfbの仮定されるダウンリンク送信ストリームに関する第1のUEの測定集合の外部のセルの第sbのSBの、第sfbの仮定されるダウンリンク送信ストリームに対応するCQIに従ってマッピングを介して取得される、信号対雑音比であり、mは、第1のUEの測定集合内のセル番号である、判定するステップ、
第1のUEによって仮定される送信モードが、閉ループ空間多重化であり、第1のUEの送信集合内のセルによるダウンリンク送信ストリームの送信の送信モードが、送信モード(Transmission Mode,略してTM)8である場合に、次式(7)に従って、第sfbの仮定されるダウンリンク送信ストリームに関する第1のUEの測定集合の外部のセルのSBレベルの干渉および雑音電力を判定するステップであって、
【０３６６】
【数１２９】
2016526352.tif 000131
【０３６７】
ここで、
【０３６８】
【数１３０】
2016526352.tif 000132
【０３６９】
は、第sfbの仮定されるダウンリンク送信ストリームに関する第1のUEの測定集合の外部のセルの第sbのSBの干渉および雑音電力であり、Pmは、第mのセルの送信アンテナの総電力であり、
【０３７０】
【数１３１】
2016526352.tif 000133
【０３７１】
は、第mのセルの第sbのSBのアップリンクチャネル行列であり、
【０３７２】
【数１３２】
2016526352.tif 000134
【０３７３】
は、第1のセルのCRSのVAM行列であり、
【０３７４】
【数１３３】
2016526352.tif 000135
【０３７５】
は、第sfbの仮定されるダウンリンク送信ストリームに関する第1のUEの測定集合の外部のセルの第sbのSBの、第sfbの仮定されるダウンリンク送信ストリームに対応するCQIに従ってマッピングを介して取得される、信号対雑音比であり、
【０３７６】
【数１３４】
2016526352.tif 000136
【０３７７】
は、第sfbの仮定されるダウンリンク送信ストリームの第sbのSBのPMIであり、mは、第1のUEの測定集合内のセル番号である、判定するステップ、または
第1のUEによって仮定される送信モードが、閉ループ空間多重化であり、第1のUEの送信集合内のセルによるダウンリンク送信ストリームの送信の送信モードが、TM9である場合に、次式(8)に従って、第sfbの仮定されるダウンリンク送信ストリームに関する第1のUEの測定集合の外部のセルのSBレベルの干渉および雑音電力を判定するステップであって、
【０３７８】
【数１３５】
2016526352.tif 000137
【０３７９】
ここで、
【０３８０】
【数１３６】
2016526352.tif 000138
【０３８１】
は、第sfbの仮定されるダウンリンク送信ストリームに関する第1のUEの測定集合の外部のセルの第sbのSBの干渉および雑音電力であり、Pmは、第mのセルの送信アンテナの総電力であり、
【０３８２】
【数１３７】
2016526352.tif 000139
【０３８３】
は、第mのセルの第sbのSBのアップリンクチャネル行列であり、
【０３８４】
【数１３８】
2016526352.tif 000140
【０３８５】
は、第1のセルのチャネル状態表示参照信号(Channel State Indication-Reference Signal, CSI-RS)のVAM行列であり、
【０３８６】
【数１３９】
2016526352.tif 000141
【０３８７】
は、第sfbの仮定されるダウンリンク送信ストリームに関する第1のUEの測定集合の外部のセルの第sbのSBの、第sfbの仮定されるダウンリンク送信ストリームに対応するCQIに従ってマッピングを介して取得される、信号対雑音比であり、
【０３８８】
【数１４０】
2016526352.tif 000142
【０３８９】
は、第sfbの仮定されるダウンリンク送信ストリームの第sbのSBのPMIであり、mは、第1のUEの測定集合内のセル番号であり、一般に
【０３９０】
【数１４１】
2016526352.tif 000143
【０３９１】
である、判定するステップ
を含むことができる。
【０３９２】
第1のUEによって仮定される送信モードと送信されるダウンリンク送信ストリームの送信モードとの間の関係は、第1のUEの送信集合内のセルによってダウンリンクデータを送信するのに使用される送信モードがTM7である時に、UEによって仮定される送信モードが送信ダイバーシティであり、第1のUEの送信集合内のセルによってダウンリンクデータを送信するのに使用される送信モードがTM8またはTM9である時に、PMIまたはランク表示(Rank Indication、略してRI)フィードバックが構成されない場合に、第1のUEによって仮定される送信モードが送信ダイバーシティであり、PMI/RIフィードバックが構成される場合に、第1のUEによって仮定される送信モードが閉ループ空間多重化であることに留意されたい。
【０３９３】
オプションで、第sfbの仮定されるダウンリンク送信ストリームに関する第1のUEの測定集合の外部のセルのSBレベルの干渉および雑音電力に従って、送信される第stxのダウンリンク送信ストリームに関する第1のUEの測定集合の外部のセルのSBレベルの干渉および雑音電力を判定するステップは、次式(9)に従って、送信される第stxのダウンリンク送信ストリームに関する第1のUEの測定集合の外部のセルのSBレベルの干渉および雑音電力を判定するステップであって、
【０３９４】
【数１４２】
2016526352.tif 000144
【０３９５】
ここで、
【０３９６】
【数１４３】
2016526352.tif 000145
【０３９７】
は、送信される第stxのダウンリンク送信ストリームに関する第1のUEの測定集合の外部のセルの第sbのSBの干渉および雑音電力であり、
【０３９８】
【数１４４】
2016526352.tif 000146
【０３９９】
は、第sfbの仮定されるダウンリンク送信ストリームに関する第1のUEの測定集合の外部のセルの第sbのSBの干渉および雑音電力であり、Sfbは、仮定されるダウンリンク送信ストリームのストリーム量である、判定するステップ
を含むことができる。
【０４００】
オプションで、送信されるダウンリンク送信ストリームのストリーム量Stxが、仮定されるダウンリンク送信ストリームのストリーム量Sfbと等しいすなわちStx=Sfbである時に、第sfbの仮定されるダウンリンク送信ストリームに関する第1のUEの測定集合の外部のセルのSBレベルの干渉および雑音電力に従って、送信される第stxのダウンリンク送信ストリームに関する第1のUEの測定集合の外部のセルのSBレベルの干渉および雑音電力を判定するステップは、次式(10)に従って、送信される第stxのダウンリンク送信ストリームに関する第1のUEの測定集合の外部のセルのSBレベルの干渉および雑音電力を判定するステップであって、
【０４０１】
【数１４５】
2016526352.tif 000147
【０４０２】
ここで、
【０４０３】
【数１４６】
2016526352.tif 000148
【０４０４】
は、送信される第stxのダウンリンク送信ストリームに関する第1のUEの測定集合の外部のセルの第sbのSBの干渉および雑音電力であり、
【０４０５】
【数１４７】
2016526352.tif 000149
【０４０６】
は、第sfbの仮定されるダウンリンク送信ストリームに関する第1のUEの測定集合の外部のセルの第sbのSBの干渉および雑音電力である、判定するステップ
を含むことができる。
【０４０７】
オプションで、S2040のもう1つの実施の形は、送信される第stxのダウンリンク送信ストリームに関する第1のUEの測定集合の外部のセルのSBレベルの干渉および雑音電力を計算すべきかどうかを判定するステップと、送信される第stxのダウンリンク送信ストリームに関する第1のUEの測定集合の外部のセルのSBレベルの干渉および雑音電力が計算されない場合に、送信される第stxのダウンリンク送信ストリームに関して、第1のUEの測定集合の外部のセルのSBレベルの干渉および雑音電力を0にセットするすなわち、
【０４０８】
【数１４８】
2016526352.tif 000150
【０４０９】
をセットするステップであって、
【０４１０】
【数１４９】
2016526352.tif 000151
【０４１１】
は、送信される第stxのダウンリンク送信ストリームに関する第1のUEの測定集合の外部のセルの第sbのSBの干渉および雑音電力である、ステップと、送信される第stxのダウンリンク送信ストリームに関する第1のUEの測定集合の外部のセルのSBレベルの干渉および雑音電力が計算される場合に、第1のUEの測定集合内の各セルのSBレベルのアップリンクチャネル行列に従って、第sfbの仮定されるダウンリンク送信ストリームに関する第1のUEの測定集合の外部のセルのSBレベルの干渉および雑音電力を判定し、第sfbの仮定されるダウンリンク送信ストリームに関する第1のUEの測定集合の外部のセルのSBレベルの干渉および雑音電力に従って、送信される第stxのダウンリンク送信ストリームに関する第1のUEの測定集合の外部のセルのSBレベルの干渉および雑音電力を判定するステップとを含むことができる。
【０４１２】
オプションで、送信される第stxのダウンリンク送信ストリームに関する第1のUEの測定集合の外部のセルのSBレベルの干渉および雑音電力を計算すべきかどうかを判定するステップは、送信される第stxのダウンリンク送信ストリームに関する第1のUEの測定集合の外部のセルのSBレベルの干渉および雑音電力を計算するのに必要なコードの量としきい値を比較するステップと、コードの量がしきい値より多い場合に、送信される第stxのダウンリンク送信ストリームに関する第1のUEの測定集合の外部のセルのSBレベルの干渉および雑音電力を計算しないステップと、コードの量がしきい値より少ない場合に、送信される第stxのダウンリンク送信ストリームに関する第1のUEの測定集合の外部のセルのSBレベルの干渉および雑音電力を計算するステップとを含むことができる。
【０４１３】
オプションで、送信される第stxのダウンリンク送信ストリームに関する第1のUEの測定集合の外部のセルのSBレベルの干渉および雑音電力を計算すべきかどうかを判定するステップは、別々に、MをMThrと比較し、(M-T)をIThrと比較するステップと、M>MThrかつ(M-T)>IThrである場合に、送信される第stxのダウンリンク送信ストリームに関する第1のUEの測定集合の外部のセルのSBレベルの干渉および雑音電力を計算せず、そうでない場合に、送信される第stxのダウンリンク送信ストリームに関する第1のUEの測定集合の外部のセルのSBレベルの干渉および雑音電力を計算するステップとを含むことができ、MThrおよびIThrは、集合しきい値であり、一般にMThr=3かつIThr=2である。
【０４１４】
この実施形態の1つの実施の形では、S2041は、最大比合成(Max Ratio Combine、略してMRC)等化アルゴリズムに従って、第1のUEの測定集合内の各セルによって送信される第stxのダウンリンク送信ストリームのSBレベルのSINRを判定するステップを含むことができ、判定する式(11)は、次の通りであり:
【０４１５】
【数１５０】
2016526352.tif 000152
【０４１６】
ここで、
【０４１７】
【数１５１】
2016526352.tif 000153
【０４１８】
は、送信される第stxのダウンリンク送信ストリームの第sbのSBのSINRであり、
【０４１９】
【数１５２】
2016526352.tif 000154
【０４２０】
であり、
【０４２１】
【数１５３】
2016526352.tif 000155
【０４２２】
であり、Pmは、第mのセルの送信アンテナの総電力であり、
【０４２３】
【数１５４】
2016526352.tif 000156
【０４２４】
は、第mのセルの第sbのSBのアップリンクチャネル行列であり、
【０４２５】
【数１５５】
2016526352.tif 000157
【０４２６】
は、第mのセル内で現在のスケジューリングに使用される第sbのSBの送信重み行列であり、
【０４２７】
【数１５６】
2016526352.tif 000158
【０４２８】
の第stxの列は、
【０４２９】
【数１５７】
2016526352.tif 000159
【０４３０】
であり、
【０４３１】
【数１５８】
2016526352.tif 000160
【０４３２】
は、第tのセル内で送信される第stxのダウンリンク送信ストリームの第sbのSBの送信重みベクトルを示し、μMは、測定集合であり、μTは、送信集合であり、mは、第1のUEの測定集合内のセル番号であり、tは、第1のUEの送信集合内のセル番号である。
【０４３３】
この実施形態のもう1つの実施の形では、S2041は、干渉抑圧合成(Interference Repress Combine、略してIRC)等化アルゴリズムに従って、第1のUEの測定集合内の各セルによって送信される第stxのダウンリンク送信ストリームのSBレベルのSINRを判定するステップを含むことができ、ここで、判定する式(12)は、次の通りであり:
【０４３４】
【数１５９】
2016526352.tif 000161
【０４３５】
ここで、
【０４３６】
【数１６０】
2016526352.tif 000162
【０４３７】
は、αの第stxの対角要素であり、
【０４３８】
【数１６１】
2016526352.tif 000163
【０４３９】
であり、
【０４４０】
【数１６２】
2016526352.tif 000164
【０４４１】
であり、Pmは、第mのセルの送信アンテナの総電力であり、
【０４４２】
【数１６３】
2016526352.tif 000165
【０４４３】
は、第mのセルの第sbのSBのアップリンクチャネル行列であり、
【０４４４】
【数１６４】
2016526352.tif 000166
【０４４５】
は、第mのセル内で現在のスケジューリングに使用される第sbのSBの送信重み行列であり、
【０４４６】
【数１６５】
2016526352.tif 000167
【０４４７】
は、第sfbの仮定されるダウンリンク送信ストリームに関する第1のUEの測定集合の外部のセルの第sbのSBの干渉および雑音電力であり、
【０４４８】
【数１６６】
2016526352.tif 000168
【０４４９】
であり、
【０４５０】
【数１６７】
2016526352.tif 000169
【０４５１】
であり、μMは、測定集合であり、μTは、送信集合であり、mは、第1のUEの測定集合内のセル番号であり、tは、第1のUEの送信集合内のセル番号である。
【０４５２】
S2042。第1のUEの送信集合内のセルによって送信されるダウンリンク送信ストリームのSBレベルのSINRを合成し、第1のUEの送信集合内の各セルによって送信されるダウンリンク送信ストリームのSINRを取得する。
【０４５３】
この実施形態の1つの実施の形では、S2042は、平均化方法に従って、第1のUEの測定集合内のセルによって送信される第stxのダウンリンク送信ストリームのSBレベルのSINRを合成するステップを含むことができ、合成する式(13)は、次の通りであり:
【０４５４】
【数１６８】
2016526352.tif 000170
【０４５５】
ここで、
【０４５６】
【数１６９】
2016526352.tif 000171
【０４５７】
は、第1のUEの測定集合内の各セルによって送信される第stxのダウンリンク送信ストリームのSINRであり、NSBは、送信リソース内のSBの量であり、
【０４５８】
【数１７０】
2016526352.tif 000172
【０４５９】
は、第1のUEの測定集合内の各セルによって送信される第stxのダウンリンク送信ストリームのSBレベルのSINRである。
【０４６０】
この実施形態のもう1つの実施の形では、S2042は、指数有効SINRマッピング(Exponential Effective SINR Mapping、略してEESM)合成方法に従って、第1のUEの測定集合内のセルによって送信される第stxのダウンリンク送信ストリームのSBレベルのSINRを合成するステップを含むことができ、ここで、合成する式(14)は、次の通りであり:
【０４６１】
【数１７１】
2016526352.tif 000173
【０４６２】
ここで、
【０４６３】
【数１７２】
2016526352.tif 000174
【０４６４】
は、第1のUEの測定集合内の各セルによって送信される第stxのダウンリンク送信ストリームのSINRであり、βは、MCSに関するスケール係数であり、NSBは、第1のセルの送信リソース内のSBの量であり、
【０４６５】
【数１７３】
2016526352.tif 000175
【０４６６】
は、第1のUEの測定集合内の各セルによって送信される第stxのダウンリンク送信ストリームのSBレベルのSINRである。
【０４６７】
S205。送信されるダウンリンク送信ストリームのSINRに従って第1のUEの第2のダウンリンクMCSを判定する。
【０４６８】
具体的には、S205は、次の形で実施され得る:第1のUEの第2のダウンリンクMCSとして、
【０４６９】
【数１７４】
2016526352.tif 000176
【０４７０】
を満足する最大のSINRMCSに対応するMCSを選択するステップ。
【０４７１】
【数１７５】
2016526352.tif 000177
【０４７２】
は、第1のUEの測定集合内の各セルによって送信される第stxのダウンリンク送信ストリームのSINRであり、SINRMCSは、MCSに対応するSINRである。
【０４７３】
この実施形態のもう1つの実施の形では、この方法は、S206:第1のUEの第2のダウンリンクMCSとS202において割り振られた送信リソースとに従って、第1のUEに割り振られる第1のセルの送信リソース上で第1のUEに送信されるトランスポートブロックサイズ(Transport Block Size、略してTBS)を判定するステップをさらに含む。
【０４７４】
この実施形態のもう1つの実施の形では、この方法は、第1のUEに制御シグナリングを送信するステップであって、制御シグナリングは、第2のダウンリンクMCSと第1のUEの送信リソース割振り情報とを含み、送信リソース割振り情報は、第1のUEに割り振られる第1のセルの送信リソースを示すのに使用される、送信するステップをさらに含む。
【０４７５】
この実施形態のもう1つの実施の形で、この方法が、第1のUEに制御シグナリングを送信するステップであって、制御シグナリングは、第2のダウンリンクMCS、送信リソース割振り情報、および第1のUEのTBSを含み、送信リソース割振り情報は、第1のUEに割り振られる第1のセルの送信リソースを示すのに使用される、送信するステップをさらに含むことが、簡単にわかる。
【０４７６】
本発明のこの実施形態では、第1のUEのSBレベルの受信モデルが
【０４７７】
【数１７６】
2016526352.tif 000178
【０４７８】
であり、ここで、Pmが、第mのセルの送信アンテナの総電力であり、
【０４７９】
【数１７７】
2016526352.tif 000179
【０４８０】
が、第mのセルの第sbのSBのアップリンクチャネル行列であり、
【０４８１】
【数１７８】
2016526352.tif 000180
【０４８２】
が、第mのセル内で現在のスケジューリングに使用される第sbのSBの送信重み行列であり、
【０４８３】
【数１７９】
2016526352.tif 000181
【０４８４】
が、第1のUEの送信電力が1であると仮定される等価測定集合の外部の干渉であり、μMが、測定集合であり、μTが、送信集合であり、Smが、第1のUE内の第mのセルによって占められるSBレベルの送信シンボルであると仮定されることに留意されたい。
【０４８５】
本発明のこの実施形態では、第1のUEの測定集合内の各セルのSBレベルのアップリンクチャネル行列が、獲得され、第1のUEの送信集合内の各セルによって送信されるダウンリンク送信ストリームのSINRが、第1のUEの測定集合内の各セルのSBレベルのアップリンクチャネル行列に従って判定され、その後、第1のUEの第2のダウンリンクMCSが、送信されるダウンリンク送信ストリームのSINRに従って判定される。すなわち、本発明のこの実施形態では、ダウンリンクチャネルは、アップリンクチャネルを使用することによって推定される。この形で、アップリンクチャネルおよびダウンリンクチャネルが近似するシステム(たとえば、LTE-TDDシステム)において、第1のダウンリンクMCSより正確な第2のダウンリンクMCSを取得することができる。その結果、ダウンリンクチャネル品質を十分に使用することができ、送信効率が改善される。さらに、本発明のこの実施形態では、第1のUEの送信集合内の各セルによって送信されるダウンリンク送信ストリームのSINRが、第1のUEの測定集合内の各セルのSBレベルのアップリンクチャネル行列に従って判定され、第1のUEの第2のダウンリンクMCSが、送信されるダウンリンク送信ストリームのSINRに従って判定され、これが、量子化された値(CQI)を使用することによって判定されるダウンリンクMCSが従来技術において不正確であるという問題を防ぎ、その結果、取得される第2のダウンリンクMCSが、第1のダウンリンクMCSより正確になる。さらに、本発明のこの実施形態では、第1のUEの第2のダウンリンクMCSと第1のUEに割り振られる第1のセルの送信リソースとに従って、送信リソース上で第1のUEに送信されるTBSが判定される。第2のダウンリンクMCSが、第1のダウンリンクMCSより正確なので、TBSの計算の正確さを改善することができ、送信効率がさらに改善される。
【０４８６】
本発明の実施形態は、データ送信方法を提供し、この方法は、UEによって実施され得る。図3を参照すると、この方法は、以下を含む。
【０４８７】
S301。第1のセルが属する基地局にダウンリンクCQIを送信し、第1のセルは、UEのサービングセルである。
【０４８８】
S302。第1の基地局にSRSを送信し、第1の基地局は、UEの測定集合内の各セルが属する基地局である。
【０４８９】
この実施形態では、SRSは、周期的に送信され、したがって、S302とS301との間にシーケンスは存在しない。
【０４９０】
S303。基地局によって送信される送信リソース割振り情報と第2のダウンリンクMCSとを受信する。
【０４９１】
この実施形態では、送信リソース割振り情報は、基地局によってUEに割り振られる第1のセルの送信リソースを示すのに使用され、送信リソースは、基地局がUEによって送信されたダウンリンクCQIに従って第1のダウンリンクMCSを判定した後に、第1のダウンリンクMCSに従ってUEに割り振られ、第2のダウンリンクMCSは、UEの測定集合内の各セルのSBレベルのアップリンクチャネル行列を獲得することと、UEの測定集合内の各セルのSBレベルのアップリンクチャネル行列に従って、UEの送信集合内の各セルによって送信されるダウンリンク送信ストリームのSINRを判定することと、送信されるダウンリンク送信ストリームのSINRに従ってUEの第2のダウンリンクMCSを判定することとという形で基地局によって判定され、UEの測定集合内の各セルのSBレベルのアップリンクチャネル行列は、UEによって第1の基地局に送信されたSRSに従って判定され、UEの送信集合は、UEの測定集合の部分集合である。
【０４９２】
本発明のこの実施形態の1つの実施の形では、S303は、基地局によって送信される制御シグナリングを受信するステップであって、制御シグナリングは、送信リソース割振り情報と第2のダウンリンクMCSとを含む、受信するステップをさらに含むことができる。
【０４９３】
本発明のこの実施形態の1つの実施の形では、この方法は、UEによって、受信される送信リソース割振り情報と第2のダウンリンクMCSとに従って、UEに割り振られる第1のセルの送信リソース上で基地局によってUEに送信されるTBSを判定するステップをさらに含むことができる。
【０４９４】
本発明のこの実施形態の1つの実施の形では、この方法が、基地局によって送信された制御シグナリングを受信するステップであって、制御シグナリングは、第2のダウンリンクMCS、送信リソース割振り情報、および第1のUEのTBSを含み、送信リソース割振り情報は、第1のUEに割り振られる第1のセルの送信リソースを示すのに使用され、その結果、UEが、制御シグナリングからTBSを取得するようになる、受信するステップをさらに含むことができることが簡単にわかる。
【０４９５】
本発明のこの実施形態では、UEの測定集合内の各セルのSBレベルのアップリンクチャネル行列が、獲得され、UEの送信集合内の各セルによって送信されるダウンリンク送信ストリームのSINRが、UEの測定集合内の各セルのSBレベルのアップリンクチャネル行列に従って判定され、その後、UEの第2のダウンリンクMCSが、送信されるダウンリンク送信ストリームのSINRに従って判定される。すなわち、本発明のこの実施形態では、ダウンリンクチャネルが、アップリンクチャネルを使用することによって推定される。この形で、アップリンクチャネルおよびダウンリンクチャネルが近似するシステム(たとえば、LTE-TDDシステム)において、第1のダウンリンクMCSより正確な第2のダウンリンクMCSを取得することができる。その結果、ダウンリンクチャネル品質を十分に使用することができ、送信効率が改善される。さらに、本発明のこの実施形態では、UEの送信集合内の各セルによって送信されるダウンリンク送信ストリームのSINRが、UEの測定集合内の各セルのSBレベルのアップリンクチャネル行列に従って判定され、UEの第2のダウンリンクMCSが、送信されるダウンリンク送信ストリームのSINRに従って判定され、これが、量子化された値(CQI)を使用することによって判定されるダウンリンクMCSが従来技術において不正確であるという問題を防ぎ、その結果、取得される第2のダウンリンクMCSが、第1のダウンリンクMCSより正確になる。さらに、本発明のこの実施形態では、UEの第2のダウンリンクMCSとUEに割り振られる第1のセルの送信リソースとに従って、送信リソース上でUEに送信されるTBSが判定される。第2のダウンリンクMCSが、第1のダウンリンクMCSより正確なので、TBSの計算の正確さを改善することができ、送信効率がさらに改善される。
【０４９６】
前述の実施形態におけるデータ送信装置内の各構成要素の実施の形および相互作用の形に関して、対応する方法実施形態内の関係する説明を参照することができることを理解されたい。
【０４９７】
本発明の実施形態は、データ送信装置を提供し、この装置は、eNBとされ得る。図4を参照すると、この装置は、
第1のUEによってフィードバックされたダウンリンクCQIを受信し、第1のUEによってフィードバックされたダウンリンクCQIに従って第1のUEの第1のダウンリンクMCSを判定するように構成された、第1のMCS判定モジュール401と、
第1のUEの、第1のMCS判定モジュール401によって判定される、第1のダウンリンクMCSに従って第1のUEに第1のセルの送信リソースを割り振るように構成されたリソース割振りモジュール402であって、第1のセルは、第1のUEのサービングセルである、リソース割振りモジュール402と、
第1のUEの測定集合内の各セルのSBレベルのアップリンクチャネル行列を獲得するように構成されたチャネル行列獲得モジュール403であって、第1のUEの測定集合内の各セルのSBレベルのアップリンクチャネル行列は、第1のUEによって第1の基地局に送信されるSRSに従って判定される、チャネル行列獲得モジュール403と、
第1のUEの測定集合内の各セルのSBレベルの、チャネル行列獲得モジュール403によって獲得される、アップリンクチャネル行列に従って、第1のUEの送信集合内の各セルによって送信されるダウンリンク送信ストリームのSINRを判定するように構成されたSINR判定モジュール404と、
送信されるダウンリンク送信ストリームの、SINR判定モジュール404によって判定される、SINRに従って第1のUEの第2のダウンリンクMCSを判定するように構成された第2のMCS判定モジュール405と
を含む。
【０４９８】
本発明のこの実施形態では、第1のUEの測定集合内の各セルのSBレベルのアップリンクチャネル行列が、獲得され、第1のUEの送信集合内の各セルによって送信されるダウンリンク送信ストリームのSINRが、第1のUEの測定集合内の各セルのSBレベルのアップリンクチャネル行列に従って判定され、その後、第1のUEの第2のダウンリンクMCSが、送信されるダウンリンク送信ストリームのSINRに従って判定される。すなわち、本発明の実施形態では、ダウンリンクチャネルが、アップリンクチャネルを使用することによって推定される。この形で、アップリンクチャネルおよびダウンリンクチャネルが近似するシステム(たとえば、LTE-TDDシステム)において、第1のダウンリンクMCSより正確な第2のダウンリンクMCSを取得することができる。その結果、ダウンリンクチャネル品質を十分に使用することができ、送信効率が改善される。さらに、本発明のこの実施形態では、第1のUEの送信集合内の各セルによって送信されるダウンリンク送信ストリームのSINRが、第1のUEの測定集合内の各セルのSBレベルのアップリンクチャネル行列に従って判定され、第1のUEの第2のダウンリンクMCSが、送信されるダウンリンク送信ストリームのSINRに従って判定され、これが、量子化された値(CQI)を使用することによって判定されるダウンリンクMCSが従来技術において不正確であるという問題を防ぐ。
【０４９９】
本発明の実施形態は、データ送信装置を提供し、この装置は、eNBとされ得る。図5を参照すると、この装置は、
第1のUEによってフィードバックされたダウンリンクCQIを受信し、第1のUEによってフィードバックされたダウンリンクCQIに従って第1のUEの第1のダウンリンクMCSを判定するように構成された、第1のMCS判定モジュール501と、
第1のUEの、第1のMCS判定モジュール501によって判定される、第1のダウンリンクMCSに従って第1のUEに第1のセルの送信リソースを割り振るように構成されたリソース割振りモジュール502であって、第1のセルは、第1のUEのサービングセルである、リソース割振りモジュール502と、
第1のUEの測定集合内の各セルのSBレベルのアップリンクチャネル行列を獲得するように構成されたチャネル行列獲得モジュール503であって、第1のUEの測定集合内の各セルのSBレベルのアップリンクチャネル行列は、第1のUEによって第1の基地局に送信されるSRSに従って判定される、チャネル行列獲得モジュール503と、
第1のUEの測定集合内の各セルのSBレベルの、チャネル行列獲得モジュール503によって獲得される、アップリンクチャネル行列に従って、第1のUEの送信集合内の各セルによって送信されるダウンリンク送信ストリームのSINRを判定するように構成されたSINR判定モジュール504と、
送信されるダウンリンク送信ストリームの、SINR判定モジュール504によって判定される、SINRに従って第1のUEの第2のダウンリンクMCSを判定するように構成された第2のMCS判定モジュール505と
を含む。
【０５００】
具体的には、第1のMCS判定モジュール501は、ダウンリンクCQIを使用することによって、CQIとダウンリンクMCSとの間の対応に従って第1のダウンリンクMCSを判定するように構成される。
【０５０１】
オプションで、リソース割振りモジュール502は、第1のセル内のすべてのUEの第1のダウンリンクMCSに従い、PFアルゴリズムまたはRRアルゴリズムに基づいて、第1のUEに送信リソースを割り振るように構成される。
【０５０２】
具体的には、リソース割振りモジュール502は、第1のダウンリンクMCSおよび第1のセル内のすべてのUEのヒストリカル送信レートに従って第1のセルのSB上の第1のセル内の各UEの初期優先順位を判定し、第1のUEの初期優先順位に従って第1のUEにSBを割り振るように構成され得る。
【０５０３】
具体的には、リソース割振りモジュール502は、第1のダウンリンクMCSおよび第1のセル内のすべてのUEのヒストリカル送信レートに従って第1のセルのSB上での第1のセル内の各UEの優先順位キューを判定し、第1のセル内の各UEによって送信されるリソース要求および優先順位キューに従って第1のセル内のすべてのUEに第1のセルのSBを割り振り、第1のUEが優先順位キューの第1の位置内に配置されている時に、第1のUEにSBを割り振り、優先順位内の第1のUEの位置を調整するように構成され得る。
【０５０４】
この実施形態の1つの実施の形では、SINR判定モジュール504は、
第1のUEの測定集合内の各セルのSBレベルの、チャネル行列獲得モジュール503によって獲得される、アップリンクチャネル行列に従って、第1のUEの送信集合内の各セルによって送信されるダウンリンク送信ストリームのSBレベルのSINRを判定するように構成された第1のSINR判定ユニットと、
第1のUEの送信集合内のセルによって送信されるダウンリンク送信ストリームのSBレベルの、第1のSINR判定ユニットによって判定される、SINRを合成し、第1のUEの送信集合内の各セルによって送信されるダウンリンク送信ストリームのSINRを取得するように構成された第2のSINR判定ユニットと
を含むことができる。
【０５０５】
この実施形態のもう1つの実施の形では、SINR判定モジュール504は、第1のSINR判定ユニットが、第1のUEの測定集合内の各セルのSBレベルの、チャネル行列獲得モジュール503によって獲得される、アップリンクチャネル行列に従って、第1のUEの送信集合内の各セルによって送信されるダウンリンク送信ストリームのSBレベルのSINRを判定する前に、送信されるダウンリンク送信ストリームに関して、第1のUEの測定集合の外部のセルのSBレベルの干渉および雑音電力を0にセットするように構成された第1の雑音判定ユニットをさらに含むことができる。
【０５０６】
この実施形態のもう1つの実施の形では、SINR判定モジュール504は、第1のSINR判定ユニットが、第1のUEの測定集合内の各セルのSBレベルの、チャネル行列獲得モジュール503によって獲得される、アップリンクチャネル行列に従って、第1のUEの送信集合内の各セルによって送信されるダウンリンク送信ストリームのSBレベルのSINRを判定する前に、第1のUEの測定集合内の各セルのSBレベルの、チャネル行列獲得モジュール503によって獲得される、アップリンクチャネル行列に従って、送信されるダウンリンク送信ストリームに関する第1のUEの送信集合の外部のセルのSBレベルの干渉および雑音電力を判定するように構成された第2の雑音判定ユニットをさらに含むことができる。
【０５０７】
オプションで、第2の雑音判定ユニットは、
第1のUEの測定集合内の各セルのSBの、チャネル行列獲得モジュール503によって獲得される、アップリンクチャネル行列に従って、送信されるダウンリンク送信ストリームに関する第1のUEの測定集合内のセルのSBレベルの干渉および雑音電力を判定するように構成された第1の雑音判定サブユニットと、
送信されるダウンリンク送信ストリームに関する第1のUEの測定集合内のセルのSBレベルの、第1の雑音判定サブユニットによって判定される、干渉および雑音電力に従って、送信されるダウンリンク送信ストリームに関する第1のUEの測定集合の外部のセルのSBレベルの干渉および雑音電力を判定するように構成された第2の雑音判定サブユニットと
を含むことができる。
【０５０８】
具体的には、第1の雑音判定サブユニットは、式(2)に従って、送信されるダウンリンク送信ストリームに関する第1のUEの測定集合内のセルのSBレベルの干渉および雑音電力を判定するように構成される。
【０５０９】
具体的には、第2の雑音判定サブユニットは、式(3)に従って、送信されるダウンリンク送信ストリームに関する第1のUEの測定集合の外部のセルのSBレベルの干渉および雑音電力を判定するように構成される。
【０５１０】
オプションで、第2の雑音判定ユニットは、
第1のUEの測定集合内の各セルのSBレベルの、チャネル行列獲得モジュール503によって獲得される、アップリンクチャネル行列に従って、第sfbの仮定されるダウンリンク送信ストリームに関する第1のUEの測定集合の外部のセルのSBレベルの干渉および雑音電力を判定するように構成された第3の雑音判定サブユニットと、
第sfbの仮定されるダウンリンク送信ストリームに関する第1のUEの測定集合の外部のセルのSBレベルの、第3の雑音判定サブユニットによって判定される、干渉および雑音電力に従って、送信される第stxのダウンリンク送信ストリームに関する第1のUEの測定集合の外部のセルのSBレベルの干渉および雑音電力を判定するように構成された第4の雑音判定サブユニットと
を含むことができる。
【０５１１】
オプションで、第sfbの仮定されるダウンリンク送信ストリームに対応するダウンリンクCQIが、第1の信号対雑音比に従って取得される時に、第3の雑音判定サブユニットは、
第1のUEによって仮定される送信モードが、送信ダイバーシティである場合に、式(4)に従って、第sfbの仮定されるダウンリンク送信ストリームに関する第1のUEの測定集合の外部のセルのSBレベルの干渉および雑音電力を判定し、あるいは、
第1のUEによって仮定される送信モードが、閉ループ空間多重化である場合に、式(5)に従って、第sfbの仮定されるダウンリンク送信ストリームに関する第1のUEの測定集合の外部のセルのSBレベルの干渉および雑音電力を判定する
ように構成される。
【０５１２】
オプションで、第sfbの仮定されるダウンリンク送信ストリームに対応するダウンリンクCQIが、第2の信号対雑音比に従って取得される時に、第3の雑音判定サブユニットは、
第1のUEによって仮定される送信モードが、送信ダイバーシティである場合に、式(6)に従って、第sfbの仮定されるダウンリンク送信ストリームに関する第1のUEの測定集合の外部のセルのSBレベルの干渉および雑音電力を判定し、
第1のUEによって仮定される送信モードが、閉ループ空間多重化であり、第1のUEの送信集合内のセルによるダウンリンク送信ストリームの送信の送信モードが、送信モードTM8である場合に、式(7)に従って、第sfbの仮定されるダウンリンク送信ストリームに関する第1のUEの測定集合の外部のセルのSBレベルの干渉および雑音電力を判定し、あるいは、
第1のUEによって仮定される送信モードが、閉ループ空間多重化であり、第1のUEの送信集合内のセルによるダウンリンク送信ストリームの送信の送信モードが、送信モードTM9である場合に、式(8)に従って、第sfbの仮定されるダウンリンク送信ストリームに関する第1のUEの測定集合の外部のセルのSBレベルの干渉および雑音電力を判定する
ように構成される。
【０５１３】
オプションで第4の雑音判定サブユニットは、次(9)に従って、送信される第stxのダウンリンク送信ストリームに関する第1のUEの測定集合の外部のセルのSBレベルの干渉および雑音電力を判定するように構成される。
【０５１４】
オプションで、送信されるダウンリンク送信ストリームのストリーム量Stxが、仮定されるダウンリンク送信ストリームのストリーム量Sfbと等しいすなわちStx=Sfbである時に、第4の雑音判定サブユニットは、次(10)に従って、送信される第stxのダウンリンク送信ストリームに関する第1のUEの測定集合の外部のセルのSBレベルの干渉および雑音電力を判定するように構成される。
【０５１５】
オプションで、第2の雑音判定ユニットは、
送信される第stxのダウンリンク送信ストリームに関する第1のUEの測定集合の外部のセルのSBレベルの干渉および雑音電力を計算すべきかどうかを判定するように構成された判定ユニットと、
判定ユニットが、送信される第stxのダウンリンク送信ストリームに関する第1のUEの測定集合の外部のセルのSBレベルの干渉および雑音電力を計算すべきではないと判定する時に、送信される第stxのダウンリンク送信ストリームに関して、第1のUEの測定集合の外部のセルのSBレベルの干渉および雑音電力を0にセットするように構成された第5の雑音判定ユニットと、
判定ユニットが、送信される第stxのダウンリンク送信ストリームに関する第1のUEの測定集合の外部のセルのSBレベルの干渉および雑音電力を計算すべきであると判定する時に、第sfbの仮定されるダウンリンク送信ストリームに対応するCQIに従って、第sfbの仮定されるダウンリンク送信ストリームに関する第1のUEの測定集合の外部のセルのSBレベルの干渉および雑音電力を判定し、第sfbの仮定されるダウンリンク送信ストリームに関する第1のUEの測定集合の外部のセルのSBレベルの干渉および雑音電力に従って、送信される第stxのダウンリンク送信ストリームに関する第1のUEの測定集合の外部のセルのSBレベルの干渉および雑音電力を判定するように構成された第6の雑音判定ユニットと
を含むことができる。
【０５１６】
オプションで、判定ユニットは、送信される第stxのダウンリンク送信ストリームに関する第1のUEの測定集合の外部のセルのSBレベルの干渉および雑音電力を計算するのに必要なコードの量としきい値を比較し、コードの量がしきい値より多い場合に、送信される第stxのダウンリンク送信ストリームに関する第1のUEの測定集合の外部のセルのSBレベルの干渉および雑音電力を計算せず、コードの量がしきい値より少ない場合に、送信される第stxのダウンリンク送信ストリームに関する第1のUEの測定集合の外部のセルのSBレベルの干渉および雑音電力を計算するように構成される。
【０５１７】
オプションで、判定ユニットは、別々に、MをMThrと比較し、(M-T)をIThrと比較し、M>MThrかつ(M-T)>IThrである場合に、送信される第stxのダウンリンク送信ストリームに関する第1のUEの測定集合の外部のセルのSBレベルの干渉および雑音電力を計算せず、そうでない場合に、送信される第stxのダウンリンク送信ストリームに関する第1のUEの測定集合の外部のセルのSBレベルの干渉および雑音電力を計算するように構成され、MThrおよびIThrは、集合しきい値であり、一般に、MThr=3かつIThr=2である。
【０５１８】
オプションで、第1のSINR判定ユニットは、MRC等化アルゴリズムに従って、第1のUEの測定集合内の各セルによって送信される第stxのダウンリンク送信ストリームのSBレベルのSINRを判定するように構成される。
【０５１９】
オプションで、第1のSINR判定ユニットは、IRC等化アルゴリズムに従って、第1のUEの測定集合内の各セルによって送信される第stxのダウンリンク送信ストリームのSBレベルのSINRを判定するように構成される。
【０５２０】
オプションで、第2のSINR判定ユニットは、平均化方法に従って、第1のUEの送信集合内のセルによって送信される第stxのダウンリンク送信ストリームのSBレベルのSINRを合成するように構成される。
【０５２１】
オプションで、第2のSINR判定ユニットは、EESM合成方法に従って、第1のUEの測定集合内のセルによって送信される第stxのダウンリンク送信ストリームのSBレベルのSINRを合成するように構成される。
【０５２２】
具体的には、第2のMCS判定モジュール505は、第1のUEの第2のダウンリンクMCSとして、
【０５２３】
【数１８０】
2016526352.tif 000182
【０５２４】
を満足する最大のSINRMCSに対応するMCSを選択するように構成され、ここで、
【０５２５】
【数１８１】
2016526352.tif 000183
【０５２６】
は、第1のUEの測定集合内の各セルによって送信される第stxのダウンリンク送信ストリームのSINRであり、SINRMCSは、MCSに対応するSINRである。
【０５２７】
この実施形態のもう1つの実施の形では、この装置は、第1のUEの測定集合内のセルとして、第1のセルに隣接するセルまたは式(1)を満足するセルを使用するように構成された測定集合判定モジュールをさらに含む。
【０５２８】
本発明のもう1つの実施の形では、この装置は、第2のMCS判定モジュール505によって判定される第1のUEの第2のダウンリンクMCSと第1のセルの送信リソースとに従って、第1のUEに割り振られる第1のセルの送信リソース上で第1のUEに送信されるTBSを判定するように構成されたTBS判定モジュール506をさらに含むことができる。
【０５２９】
本発明のもう1つの実施の形では、この装置は、第1のUEに制御シグナリングを送信するように構成された送信モジュールをさらに含むことができ、制御シグナリングは、第2のダウンリンクMCSと第1のUEの送信リソース割振り情報とを含み、送信リソース割振り情報は、第1のUEに割り振られる第1のセルの送信リソースを示すのに使用される。
【０５３０】
本発明のこの実施形態では、第1のUEの測定集合内の各セルのSBレベルのアップリンクチャネル行列が、獲得され、第1のUEの送信集合内の各セルによって送信されるダウンリンク送信ストリームのSINRが、第1のUEの測定集合内の各セルのSBレベルのアップリンクチャネル行列に従って判定され、その後、第1のUEの第2のダウンリンクMCSが、送信されるダウンリンク送信ストリームのSINRに従って判定される。すなわち、本発明のこの実施形態では、ダウンリンクチャネルは、アップリンクチャネルを使用することによって推定される。この形で、アップリンクチャネルおよびダウンリンクチャネルが近似するシステム(たとえば、LTE-TDDシステム)において、第1のダウンリンクMCSより正確な第2のダウンリンクMCSを取得することができる。その結果、ダウンリンクチャネル品質を十分に使用することができ、送信効率が改善される。さらに、本発明のこの実施形態では、第1のUEの送信集合内の各セルによって送信されるダウンリンク送信ストリームのSINRが、第1のUEの測定集合内の各セルのSBレベルのアップリンクチャネル行列に従って判定され、第1のUEの第2のダウンリンクMCSが、送信されるダウンリンク送信ストリームのSINRに従って判定され、これが、量子化された値(CQI)を使用することによって判定されるダウンリンクMCSが従来技術において不正確であるという問題を防ぎ、その結果、取得される第2のダウンリンクMCSが、第1のダウンリンクMCSより正確になる。さらに、本発明のこの実施形態では、第1のUEの第2のダウンリンクMCSと第1のUEに割り振られる第1のセルの送信リソースとに従って、送信リソース上で第1のUEに送信されるTBSが判定される。第2のダウンリンクMCSが、第1のダウンリンクMCSより正確なので、TBSの計算の正確さを改善することができ、送信効率がさらに改善される。
【０５３１】
前述の実施形態におけるデータ送信装置内の各モジュールおよびユニットの実施の形および相互作用の形に関して、対応する方法実施形態内の関係する説明を参照することができることを理解されたい。
【０５３２】
本発明の実施形態は、データ送信装置を提供し、この装置は、図6に示されているように、eNBとされ得る。この装置は、受信器61およびプロセッサ62などの構成要素を含む。当業者は、図6に示された構造が、装置に対する限定を構成しないことを理解することができる。この装置は、この図に示されたものより多数またはより少数の構成要素を含むことができ、あるいは、いくつかの構成要素の組合せを含むことができ、あるいは、異なる構成要素配置を有することができる。
【０５３３】
以下では、図6に関連して装置60の各構成要素を詳細に紹介する。
【０５３４】
受信器61は、第1の基地局に属するUEによってフィードバックされたダウンリンクCQIを受信するように構成され得、第1の基地局は、第1のUEの測定集合内の各セルが属する基地局である。
【０５３５】
プロセッサ62は、第1のUEによってフィードバックされ、受信器61によって受信されたダウンリンクCQIに従って第1のUEの第1のダウンリンクMCSを判定し、第1のUEの判定された第1のダウンリンクMCSに従って第1のUEに第1のセルの送信リソースを割り振り、第1のセルは、第1のUEのサービングセルであり、第1のUEの測定集合内の各セルのSBレベルのアップリンクチャネル行列を獲得し、第1のUEの測定集合内の各セルのSBレベルのアップリンクチャネル行列は、第1のUEによって第1の基地局に送信されるSRSに従って判定され得、第1のUEの測定集合内の各セルのSBレベルのアップリンクチャネル行列に従って、第1のUEの送信集合内の各セルによって送信されるダウンリンク送信ストリームのSINRを判定し、送信されるダウンリンク送信ストリームのSINRに従って第1のUEの第2のダウンリンクMCSを判定するように構成され得る。
【０５３６】
具体的には、プロセッサ62は、ダウンリンクCQIを使用することによって、CQIとダウンリンクMCSとの間の対応に従って第1のダウンリンクMCSを判定するように構成され得る。
【０５３７】
オプションで、プロセッサ62は、PFアルゴリズムまたはRRアルゴリズムに従って、第1のUEに送信リソースを割り振るように構成され得る。
【０５３８】
具体的には、プロセッサ62は、第1のダウンリンクMCSおよびUEのヒストリカル送信レートに従ってSB上のUEの初期優先順位を判定し、初期優先順位の降順でUEにSBを順次割り振るように構成され得る。
【０５３９】
具体的には、プロセッサ62は、第1のダウンリンクMCSおよびUEのヒストリカル送信レートに従ってSB上のUEの優先順位キューを判定し、UEによって送信されたリソース要求および優先順位キューに従って第1のUEにSBを割り振り、第1のUEの優先順位を調整するように構成され得る。
【０５４０】
より具体的には、プロセッサ62は、第1のUEの測定集合内の各セルのSBレベルのアップリンクチャネル行列に従って、第1のUEの送信集合内の各セルによって送信されるダウンリンク送信ストリームのSBレベルのSINRを判定し、第1のUEの送信集合内のセルによって送信されるダウンリンク送信ストリームのSBレベルのSINRを合成し、第1のUEの送信集合内の各セルによって送信されるダウンリンク送信ストリームのSINRを取得するように構成され得る。
【０５４１】
この実施形態の第1の実施の形では、プロセッサ62は、第1のUEの測定集合内の各セルのSBレベルのアップリンクチャネル行列に従って、第1のUEの送信集合内の各セルによって送信されるダウンリンク送信ストリームのSBレベルのSINRを判定する前に、送信されるダウンリンク送信ストリームに関して、第1のUEの測定集合の外部のセルのSBレベルの干渉および雑音電力を0にセットするように構成され得る。
【０５４２】
この実施形態の第2の実施の形では、プロセッサ62は、第1のUEの測定集合内の各セルのSBレベルのアップリンクチャネル行列に従って、第1のUEの送信集合内の各セルによって送信されるダウンリンク送信ストリームのSBレベルのSINRを判定する前に、第1のUEの測定集合内の各セルのSBレベルのアップリンクチャネル行列に従って、送信されるダウンリンク送信ストリームに関する第1のUEの送信集合の外部のセルのSBレベルの干渉および雑音電力を判定するように構成され得る。
【０５４３】
この実施形態の第3の実施の形では、プロセッサ62は、第1のUEの測定集合内の各セルのSBレベルのアップリンクチャネル行列に従って、送信されるダウンリンク送信ストリームに関する第1のUEの測定集合内のセルのSBレベルの干渉および雑音電力を判定し、送信されるダウンリンク送信ストリームに関する第1のUEの測定集合内のセルのSBレベルの干渉および雑音電力に従って、送信されるダウンリンク送信ストリームに関する第1のUEの測定集合の外部のセルのSBレベルの干渉および雑音電力を判定するように構成され得る。
【０５４４】
オプションで、プロセッサ62は、式(2)に従って、送信されるダウンリンク送信ストリームに関する第1のUEの測定集合内の基地局のSBレベルの干渉および雑音電力を判定するように構成され得る。
【０５４５】
オプションで、プロセッサ62は、式(3)に従って、送信されるダウンリンク送信ストリームに関する第1のUEの測定集合の外部の基地局のSBレベルの干渉および雑音電力を判定するように構成され得る。
【０５４６】
この実施形態の第4の実施の形では、プロセッサ62は、第1のUEの測定集合内の各セルのSBレベルのアップリンクチャネル行列に従って、第sfbの仮定されるダウンリンク送信ストリームに関する第1のUEの測定集合の外部のセルのSBレベルの干渉および雑音電力を判定し、第sfbの仮定されるダウンリンク送信ストリームに関する第1のUEの測定集合の外部のセルのSBレベルの干渉および雑音電力に従って、送信される第stxのダウンリンク送信ストリームに関する第1のUEの測定集合の外部のセルのSBレベルの干渉および雑音電力を判定するように構成され得る。
【０５４７】
オプションで、プロセッサ62は、第sfbの仮定されるダウンリンク送信ストリームに対応するダウンリンクCQIが、第1の信号対雑音比に従って取得される時に、
第1のUEによって仮定される送信モードが、送信ダイバーシティである場合に、式(4)に従って、第sfbの仮定されるダウンリンク送信ストリームに関する第1のUEの測定集合の外部の基地局のSBレベルの干渉および雑音電力を判定し、
第1のUEによって仮定される送信モードが、閉ループ空間多重化である場合に、式(5)に従って、第sfbの仮定されるダウンリンク送信ストリームに関する第1のUEの測定集合の外部の基地局のSBレベルの干渉および雑音電力を判定する
ように構成され得る。
【０５４８】
オプションで、プロセッサ62は、第sfbの仮定されるダウンリンク送信ストリームに対応するダウンリンクCQIが、第2の信号対雑音比に従って取得される時に、
第1のUEによって仮定される送信モードが、送信ダイバーシティである場合に、式(6)に従って、第sfbの仮定されるダウンリンク送信ストリームに関する第1のUEの測定集合の外部の基地局のSBレベルの干渉および雑音電力を判定し、
第1のUEによって仮定される送信モードが、閉ループ空間多重化であり、第1のUEの送信集合内の基地局によるダウンリンク送信ストリームの送信の送信モードが、送信モードTM8である場合に、式(7)に従って、第sfbの仮定されるダウンリンク送信ストリームに関する第1のUEの測定集合の外部の基地局のSBレベルの干渉および雑音電力を判定し、
第1のUEによって仮定される送信モードが、閉ループ空間多重化であり、第1のUEの送信集合内の基地局によるダウンリンク送信ストリームの送信の送信モードが、送信モードTM9である場合に、式(8)に従って、第sfbの仮定されるダウンリンク送信ストリームに関する第1のUEの測定集合の外部の基地局のSBレベルの干渉および雑音電力を判定する
ように構成され得る。
【０５４９】
オプションで、プロセッサ62は、式(9)に従って、送信される第stxのダウンリンク送信ストリームに関する第1のUEの測定集合の外部の基地局のSBレベルの干渉および雑音電力を判定するように構成され得る。
【０５５０】
オプションで、プロセッサ62は、送信されるダウンリンク送信ストリームのストリーム量Stxが、仮定されるダウンリンク送信ストリームのストリーム量Sfbと等しいすなわちStx=Sfbである時に、式(10)に従って、送信される第stxのダウンリンク送信ストリームに関する第1のUEの測定集合の外部の基地局のSBレベルの干渉および雑音電力を判定するように構成され得る。
【０５５１】
この実施形態の第5の実施の形では、プロセッサ62は、送信される第stxのダウンリンク送信ストリームに関する第1のUEの測定集合の外部のセルのSBレベルの干渉および雑音電力を判定すべきかどうかを判定し、送信される第stxのダウンリンク送信ストリームに関する第1のUEの測定集合の外部のセルのSBレベルの干渉および雑音電力を判定しない時に、送信される第stxのダウンリンク送信ストリームに関して、第1のUEの測定集合の外部のセルのSBレベルの干渉および雑音電力を0にセットし、送信される第stxのダウンリンク送信ストリームに関する第1のUEの測定集合の外部のセルのSBレベルの干渉および雑音電力を判定する時に、第sfbの仮定されるダウンリンク送信ストリームに対応するCQIに従って、第sfbの仮定されるダウンリンク送信ストリームに関する第1のUEの測定集合の外部のセルのSBレベルの干渉および雑音電力を判定し、第sfbの仮定されるダウンリンク送信ストリームに関する第1のUEの測定集合の外部のセルのSBレベルの干渉および雑音電力に従って、送信される第stxのダウンリンク送信ストリームに関する第1のUEの測定集合の外部のセルのSBレベルの干渉および雑音電力を判定するように構成され得る。
【０５５２】
オプションで、プロセッサ62は、送信される第stxのダウンリンク送信ストリームに関する第1のUEの測定集合の外部のセルのSBレベルの干渉および雑音電力を判定するのに必要なコードの量としきい値を比較し、コードの量がしきい値より多い場合に、送信される第stxのダウンリンク送信ストリームに関する第1のUEの測定集合の外部のセルのSBレベルの干渉および雑音電力を判定せず、コードの量がしきい値より少ない場合に、送信される第stxのダウンリンク送信ストリームに関する第1のUEの測定集合の外部のセルのSBレベルの干渉および雑音電力を判定するように構成され得る。
【０５５３】
オプションで、プロセッサ62は、別々に、MをMThrと比較し、(M-T)をIThrと比較し、M>MThrかつ(M-T)>IThrである場合に、送信される第stxのダウンリンク送信ストリームに関する第1のUEの測定集合の外部のセルのSBレベルの干渉および雑音電力を判定せず、そうでない場合に、送信される第stxのダウンリンク送信ストリームに関する第1のUEの測定集合の外部のセルのSBレベルの干渉および雑音電力を判定するように構成され得、MThrおよびIThrは、集合しきい値であり、一般に、MThr=3かつIThr=2である。
【０５５４】
この実施形態の1つの実施の形では、プロセッサ62は、MRC等化アルゴリズムに従って、第1のUEの測定集合内の各セルによって送信される第stxのダウンリンク送信ストリームのSBレベルのSINRを判定するように構成され得る。
【０５５５】
この実施形態のもう1つの実施の形では、プロセッサ62は、IRC等化アルゴリズムに従って、第1のUEの測定集合内の各セルによって送信される第stxのダウンリンク送信ストリームのSBレベルのSINRを判定するように構成され得る。
【０５５６】
この実施形態の1つの実施の形では、プロセッサ62は、平均化方法に従って、第1のUEの測定集合内のセルによって送信される第stxのダウンリンク送信ストリームのSBレベルのSINRを合成するように構成され得る。
【０５５７】
この実施形態のもう1つの実施の形では、プロセッサ62は、EESM合成方法に従って、第1のUEの測定集合内のセルによって送信される第stxのダウンリンク送信ストリームのSBレベルのSINRを合成するように構成され得る。
【０５５８】
具体的には、プロセッサ62は、第1のUEの第2のダウンリンクMCSとして、
【０５５９】
【数１８２】
2016526352.tif 000184
【０５６０】
を満足する最大のSINRMCSに対応するMCSを選択するように構成され得、ここで、
【０５６１】
【数１８３】
2016526352.tif 000185
【０５６２】
は、第1のUEの測定集合内の各セルによって送信される第stxのダウンリンク送信ストリームのSINRであり、SINRMCSは、MCSに対応するSINRである。
【０５６３】
この実施形態のもう1つの実施の形では、プロセッサ62は、第1のUEの測定集合内のセルとして、第1のセルに隣接するセルまたは式(1)を満足するセルを使用するように構成され得る。
【０５６４】
この実施形態のもう1つの実施の形では、プロセッサ62は、第1のUEの第2のダウンリンクMCSと第1のセルの送信リソースとに従って、第1のUEに割り振られる第1のセルの送信リソース上で第1のUEに送信されるTBSを判定するようにさらに構成され得る。
【０５６５】
この実施形態のもう1つの実施の形では、この装置は、送信器63をさらに含むことができる。送信器63は、第1のUEに制御シグナリングを送信するように構成され得、制御シグナリングは、第2のダウンリンクMCSおよび第1のUEの送信リソース割振り情報を含み、送信リソース割振り情報は、第1のUEに割り振られる第1のセルの送信リソースを示すのに使用される。
【０５６６】
本発明のこの実施形態では、第1のUEの測定集合内の各セルのSBレベルのアップリンクチャネル行列が、獲得され、第1のUEの送信集合内の各セルによって送信されるダウンリンク送信ストリームのSINRが、第1のUEの測定集合内の各セルのSBレベルのアップリンクチャネル行列に従って判定され、その後、第1のUEの第2のダウンリンクMCSが、送信されるダウンリンク送信ストリームのSINRに従って判定される。すなわち、本発明のこの実施形態では、ダウンリンクチャネルは、アップリンクチャネルを使用することによって推定される。この形で、アップリンクチャネルおよびダウンリンクチャネルが近似するシステム(たとえば、LTE-TDDシステム)において、第1のダウンリンクMCSより正確な第2のダウンリンクMCSを取得することができる。その結果、ダウンリンクチャネル品質を十分に使用することができ、送信効率が改善される。さらに、本発明のこの実施形態では、第1のUEの送信集合内の各セルによって送信されるダウンリンク送信ストリームのSINRが、第1のUEの測定集合内の各セルのSBレベルのアップリンクチャネル行列に従って判定され、第1のUEの第2のダウンリンクMCSが、送信されるダウンリンク送信ストリームのSINRに従って判定され、これが、量子化された値(CQI)を使用することによって判定されるダウンリンクMCSが従来技術において不正確であるという問題を防ぎ、その結果、取得される第2のダウンリンクMCSが、第1のダウンリンクMCSより正確になる。さらに、本発明のこの実施形態では、第1のUEの第2のダウンリンクMCSと第1のUEに割り振られる第1のセルの送信リソースとに従って、送信リソース上で第1のUEに送信されるTBSが判定される。第2のダウンリンクMCSが、第1のダウンリンクMCSより正確なので、TBSの計算の正確さを改善することができ、送信効率がさらに改善される。
【０５６７】
前述の実施形態におけるデータ送信装置内の各構成要素の実施の形および相互作用の形に関して、対応する方法実施形態内の関係する説明を参照することができることを理解されたい。
【０５６８】
本発明の実施形態は、UEを提供する。図7を参照すると、このUEは、
第1のセルが属する基地局にダウンリンクCQIを送信するように構成されたCQI送信モジュール701であって、第1のセルは、UEのサービングセルである、CQI送信モジュール701と、
第1の基地局にSRSを送信するように構成されたSRS送信モジュール702であって、第1の基地局は、UEの測定集合内の各セルが属する基地局である、SRS送信モジュール702と、
基地局によって送信される送信リソース割振り情報と第2のダウンリンクMCSとを受信するように構成された受信モジュール703であって、送信リソース割振り情報は、基地局によってUEに割り振られる第1のセルの送信リソースを示すのに使用され、送信リソースは、基地局がUEによって送信されたダウンリンクCQIに従って第1のダウンリンクMCSを判定した後に、第1のダウンリンクMCSに従ってUEに割り振られ、第2のダウンリンクMCSは、UEの測定集合内の各セルのSBレベルのアップリンクチャネル行列を獲得することと、UEの測定集合内の各セルのSBレベルのアップリンクチャネル行列に従って、UEの送信集合内の各セルによって送信されるダウンリンク送信ストリームのSINRを判定することと、送信されるダウンリンク送信ストリームのSINRに従ってUEの第2のダウンリンクMCSを判定することとという形で基地局によって判定され、UEの測定集合内の各セルのSBレベルのアップリンクチャネル行列は、UEによって第1の基地局に送信されたSRSに従って判定され、送信集合は、測定集合の部分集合である、受信モジュール703と
を含む。
【０５６９】
この実施形態の1つの実施の形では、受信モジュール703は、基地局によって送信される制御シグナリングを受信するように構成され得、制御シグナリングは、送信リソース割振り情報と第2のダウンリンクMCSとを含む。
【０５７０】
この実施形態のもう1つの実施の形では、UEは、受信される送信リソース割振り情報と第2のダウンリンクMCSとに従って、UEに割り振られる第1のセルの送信リソース上で基地局によってUEに送信されるTBSを判定するように構成されたTBS判定モジュールをさらに含むことができる。
【０５７１】
本発明のこの実施形態では、UEの測定集合内の各セルのSBレベルのアップリンクチャネル行列が、獲得され、UEの送信集合内の各セルによって送信されるダウンリンク送信ストリームのSINRが、UEの測定集合内の各セルのSBレベルのアップリンクチャネル行列に従って判定され、その後、UEの第2のダウンリンクMCSが、送信されるダウンリンク送信ストリームのSINRに従って判定される。すなわち、本発明のこの実施形態では、ダウンリンクチャネルは、アップリンクチャネルを使用することによって推定される。この形で、アップリンクチャネルおよびダウンリンクチャネルが近似するシステム(たとえば、LTE-TDDシステム)において、第1のダウンリンクMCSより正確な第2のダウンリンクMCSを取得することができる。その結果、ダウンリンクチャネル品質を十分に使用することができ、送信効率が改善される。さらに、本発明のこの実施形態では、UEの送信集合内の各セルによって送信されるダウンリンク送信ストリームのSINRが、UEの測定集合内の各セルのSBレベルのアップリンクチャネル行列に従って判定され、UEの第2のダウンリンクMCSが、送信されるダウンリンク送信ストリームのSINRに従って判定され、これが、量子化された値(CQI)を使用することによって判定されるダウンリンクMCSが従来技術において不正確であるという問題を防ぎ、その結果、取得される第2のダウンリンクMCSが、第1のダウンリンクMCSより正確になる。さらに、本発明のこの実施形態では、UEの第2のダウンリンクMCSとUEに割り振られる第1のセルの送信リソースとに従って、送信リソース上でUEに送信されるTBSが判定される。第2のダウンリンクMCSが、第1のダウンリンクMCSより正確なので、TBSの計算の正確さを改善することができ、送信効率がさらに改善される。
【０５７２】
前述の実施形態におけるデータ送信装置内の各構成要素の実施の形および相互作用の形に関して、対応する方法実施形態内の関係する説明を参照することができることを理解されたい。
【０５７３】
本発明の実施形態は、図8に示されているように、UEを提供する。このUEは、送信器81、受信器82、およびプロセッサ83などの構成要素を含む。当業者は、図8に示された構造が、UEに対する限定を構成しないことを理解することができる。このUEは、この図に示されたものより多数またはより少数の構成要素を含むことができ、あるいは、いくつかの構成要素の組合せを含むことができ、あるいは、異なる構成要素配置を有することができる。
【０５７４】
以下では、図8に関連してUE 80の各構成要素を詳細に紹介する。
【０５７５】
送信器81は、第1のセルが属する基地局にダウンリンクCQIを送信するように構成され得、第1のセルは、UEのサービングセルである。
【０５７６】
送信器81は、第1の基地局にSRSを送信するようにさらに構成され得、第1の基地局は、UEの測定集合内の各セルが属する基地局である。
【０５７７】
受信器82は、基地局によって送信される送信リソース割振り情報および第2のダウンリンクMCSを受信するように構成され得る。
【０５７８】
この実施形態では、送信リソース割振り情報は、基地局によってUEに割り振られる第1のセルの送信リソースを示すのに使用され、送信リソースは、基地局がUEによって送信されたダウンリンクCQIに従って第1のダウンリンクMCSを判定した後に、第1のダウンリンクMCSに従ってUEに割り振られ、第2のダウンリンクMCSは、UEの測定集合内の各セルのSBレベルのアップリンクチャネル行列を獲得することと、UEの測定集合内の各セルのSBレベルのアップリンクチャネル行列に従って、UEの送信集合内の各セルによって送信されるダウンリンク送信ストリームのSINRを判定することと、送信されるダウンリンク送信ストリームのSINRに従ってUEの第2のダウンリンクMCSを判定することとという形で基地局によって判定され、UEの測定集合内の各セルのSBレベルのアップリンクチャネル行列は、UEによって第1の基地局に送信されたSRSに従って判定され、送信集合は、測定集合の部分集合である。
【０５７９】
この実施形態の1つの実施の形では、受信器82は、基地局によって送信される制御シグナリングを受信するように構成され得、制御シグナリングは、送信リソース割振り情報と第2のダウンリンクMCSとを含む。
【０５８０】
この実施形態のもう1つの実施の形では、プロセッサ83は、受信される送信リソース割振り情報と第2のダウンリンクMCSとに従って、UEに割り振られる第1のセルの送信リソース上で基地局によってUEに送信されるTBSを判定するように構成され得る。
【０５８１】
本発明のこの実施形態では、UEの測定集合内の各セルのSBレベルのアップリンクチャネル行列が、獲得され、UEの送信集合内の各セルによって送信されるダウンリンク送信ストリームのSINRが、UEの測定集合内の各セルのSBレベルのアップリンクチャネル行列に従って判定され、その後、UEの第2のダウンリンクMCSが、送信されるダウンリンク送信ストリームのSINRに従って判定される。すなわち、本発明のこの実施形態では、ダウンリンクチャネルは、アップリンクチャネルを使用することによって推定される。この形で、アップリンクチャネルおよびダウンリンクチャネルが近似するシステム(たとえば、LTE-TDDシステム)において、第1のダウンリンクMCSより正確な第2のダウンリンクMCSを取得することができる。その結果、ダウンリンクチャネル品質を十分に使用することができ、送信効率が改善される。さらに、本発明のこの実施形態では、UEの送信集合内の各セルによって送信されるダウンリンク送信ストリームのSINRが、UEの測定集合内の各セルのSBレベルのアップリンクチャネル行列に従って判定され、UEの第2のダウンリンクMCSが、送信されるダウンリンク送信ストリームのSINRに従って判定され、これが、量子化された値(CQI)を使用することによって判定されるダウンリンクMCSが従来技術において不正確であるという問題を防ぎ、その結果、取得される第2のダウンリンクMCSが、第1のダウンリンクMCSより正確になる。さらに、本発明のこの実施形態では、UEの第2のダウンリンクMCSとUEに割り振られる第1のセルの送信リソースとに従って、送信リソース上でUEに送信されるTBSが判定される。第2のダウンリンクMCSが、第1のダウンリンクMCSより正確なので、TBSの計算の正確さを改善することができ、送信効率がさらに改善される。
【０５８２】
前述の実施形態におけるデータ送信装置内の各構成要素の実施の形および相互作用の形に関して、対応する方法実施形態内の関係する説明を参照することができることを理解されたい。
【０５８３】
前述の機能モジュールの分割が、前述の実施形態において提供されるデータ送信装置およびユーザ機器がデータ送信を実行する時の説明のための例のみとして使用されることに留意されたい。実際の応用例では、前述の機能を、要件に従って、実施のために異なる機能モジュールに割り振ることができる、すなわち、装置およびユーザ機器の内部構造は、上で説明された機能のすべてまたは一部を実施するために異なる機能モジュールに分割される。さらに、前述の実施形態において提供されるデータ送信装置(またはユーザ機器)は、データ送信方法実施形態と同一の概念に属する。データ送信装置の特定の実施プロセスに関しては、方法実施形態を参照することができ、その詳細をここでもう一度説明することはしない。
【０５８４】
当業者は、諸実施形態のステップのすべてまたは一部を、ハードウェアまたは関連ハードウェアに指令するプログラムによって実施できることを理解することができる。プログラムを、コンピュータ可読記憶媒体に記憶することができる。記憶媒体は、読取専用メモリ、磁気ディスク、または光ディスクを含むことができる。
【０５８５】
最後に、前述の実施形態が、本発明を限定するのではなく、単に、本発明の技術的解決策を説明することを意図されたものであることに留意されたい。本発明が、前述の実施形態に関連して詳細に説明されるが、当業者は、前述の実施形態で説明された技術的解決策に対する変更またはそのいくつかの技術的特徴に対する同等の置換を、それでも、本発明の実施形態の技術的解決策の趣旨および範囲から逸脱せずに行うことができることを理解するに違いない。
【符号の説明】
【０５８６】
60  装置
61  受信器
62  プロセッサ
63  送信器
80  UE
81  送信器
82  受信器
83  プロセッサ
401  第1のMCS判定モジュール
402  リソース割振りモジュール
403  チャネル行列獲得モジュール
404  SINR判定モジュール
405  第2のMCS判定モジュール
501  第1のMCS判定モジュール
502  リソース割振りモジュール
503  チャネル行列獲得モジュール
504  SINR判定モジュール
505  第2のMCS判定モジュール
506  TBS判定モジュール
701  CQI送信モジュール
702  SRS送信モジュール
703  受信モジュール
【図１】
2016526352.tif 000286
【図２ａ】
2016526352.tif 000287
【図２ｂ】
2016526352.tif 000288
【図３】
2016526352.tif 000289
【図４】
2016526352.tif 000290
【図５】
2016526352.tif 000291
【図６】
2016526352.tif 000292
【図７】
2016526352.tif 000293
【図８】
2016526352.tif 000294
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
第1のユーザ機器によってフィードバックされたダウンリンクチャネル品質インジケータを受信し、前記第1のユーザ機器によってフィードバックされた前記ダウンリンクチャネル品質インジケータに従って前記第1のユーザ機器の第1のダウンリンク変調およびコーディング方式を判定するステップと、
前記第1のユーザ機器の前記第1のダウンリンク変調およびコーディング方式に従って前記第1のユーザ機器に第1のセルの送信リソースを割り振るステップであって、前記第1のセルは、前記第1のユーザ機器のサービングセルである、割り振るステップと、
前記第1のユーザ機器の測定集合内の各セルのサブ帯域幅レベルのアップリンクチャネル行列を獲得するステップであって、前記第1のユーザ機器の前記測定集合内の各セルの前記サブ帯域幅レベルの前記アップリンクチャネル行列は、前記第1のユーザ機器によって第1の基地局に送信されるサウンディング参照信号に従って判定され、前記第1の基地局は、前記第1のユーザ機器の前記測定集合内の各セルが属する基地局である、獲得するステップと、
前記第1のユーザ機器の前記測定集合内の各セルの前記サブ帯域幅レベルの前記アップリンクチャネル行列に従って、前記第1のユーザ機器の送信集合内の各セルによって送信されるダウンリンク送信ストリームの信号対干渉雑音比を判定するステップであって、前記第1のユーザ機器の前記送信集合は、前記第1のユーザ機器の前記測定集合の部分集合である、判定するステップと、
送信される前記ダウンリンク送信ストリームの前記信号対干渉雑音比に従って前記第1のユーザ機器の第2のダウンリンク変調およびコーディング方式を判定するステップと
を含む、データ送信方法。
【請求項２】
前記第1のユーザ機器の前記測定集合内の各セルの前記サブ帯域幅レベルの前記アップリンクチャネル行列に従って、前記第1のユーザ機器の送信集合内の各セルによって送信されるダウンリンク送信ストリームの信号対干渉雑音比を判定する前記ステップは、
前記第1のユーザ機器の前記測定集合内の各セルの前記サブ帯域幅レベルの前記アップリンクチャネル行列に従って、前記第1のユーザ機器の前記送信集合内の各セルによって送信される前記ダウンリンク送信ストリームの前記サブ帯域幅レベルの信号対干渉雑音比を判定するステップと、
前記第1のユーザ機器の前記送信集合内の前記セルによって送信される前記ダウンリンク送信ストリームの前記サブ帯域幅レベルの前記信号対干渉雑音比を合成し、前記第1のユーザ機器の前記送信集合内の各セルによって送信される前記ダウンリンク送信ストリームの前記信号対干渉雑音比を取得するステップと
を含む、請求項1に記載の方法。
【請求項３】
送信される前記ダウンリンク送信ストリームの前記干渉対信号雑音比に従って前記第1のユーザ機器の第2のダウンリンク変調およびコーディング方式を判定する前記ステップは、
前記第1のユーザ機器の前記第2のダウンリンク変調およびコーディング方式として、
【数１】
2016526352.tif 000295
を満足する最大のSINRMCSに対応する変調およびコーディング方式を選択するステップを含み、
ここで、
【数２】
2016526352.tif 000296
は、前記第1のユーザ機器の前記測定集合内の各セルによって送信される第stxのダウンリンク送信ストリームの信号対干渉雑音比であり、stxは、送信される前記ダウンリンク送信ストリームのストリーム番号であり、SINRMCSは、前記変調およびコーディング方式に対応する前記信号対干渉雑音比である
請求項1または2に記載の方法。
【請求項４】
前記第1のユーザ機器の前記測定集合内の前記セルは、前記第1のセルに隣接するセルまたは次式を満足するセルであり、
|RSRP1-RSRPi|<Thr
ここで、RSRP1は、前記第1のセルの参照信号受信電力であり、RSRPiは、前記第1のセル以外のセルの参照信号受信電力であり、Thrは、集合しきい値である
請求項1から3のいずれか一項に記載の方法。
【請求項５】
前記第1のユーザ機器の前記第2のダウンリンク変調およびコーディング方式と前記第1のセルの前記送信リソースとに従って、前記第1のユーザ機器に割り振られる前記第1のセルの送信リソース上で前記第1のユーザ機器に送信されるトランスポートブロックサイズを判定するステップ
をさらに含む、請求項1から4のいずれか一項に記載の方法。
【請求項６】
前記第1のユーザ機器に制御シグナリングを送信するステップであって、前記制御シグナリングは、前記第2のダウンリンク変調およびコーディング方式と前記第1のユーザ機器の送信リソース割振り情報とを含み、前記送信リソース割振り情報は、前記第1のユーザ機器に割り振られる前記第1のセルの前記送信リソースを示すのに使用される、送信するステップ
をさらに含む、請求項1から5のいずれか一項に記載の方法。
【請求項７】
ユーザ機器によって、第1のセルが属する基地局にダウンリンクチャネル品質インジケータを送信するステップであって、前記第1のセルは、前記ユーザ機器のサービングセルである、送信するステップと、
第1の基地局にサウンディング参照信号を送信するステップであって、前記第1の基地局は、前記ユーザ機器の測定集合内の各セルが属する基地局である、送信するステップと、
前記基地局によって送信される送信リソース割振り情報と第2のダウンリンク変調およびコーディング方式とを受信するステップであって、前記送信リソース割振り情報は、前記基地局によって前記ユーザ機器に割り振られる前記第1のセルの送信リソースを示すのに使用され、前記送信リソースは、前記基地局が前記ユーザ機器によって送信された前記ダウンリンクチャネル品質インジケータに従って第1のダウンリンク変調およびコーディング方式を判定した後に、前記第1のダウンリンク変調およびコーディング方式に従って前記ユーザ機器に割り振られ、前記第2のダウンリンク変調およびコーディング方式は、送信される前記ダウンリンク送信ストリームの信号対干渉雑音比に従って判定され、前記ユーザ機器の前記測定集合内の各セルの前記サブ帯域幅レベルの前記アップリンクチャネル行列は、前記ユーザ機器によって前記第1の基地局に送信された前記サウンディング参照信号に従って判定され、送信される前記ダウンリンク送信ストリームの前記信号対干渉雑音比が前記ユーザ機器の前記測定集合内の各セルの前記サブ帯域幅レベルの前記アップリンクチャネル行列に従って判定され、前記ユーザ機器の前記送信集合は、前記ユーザ機器の前記測定集合の部分集合である、受信するステップと
を含む、データ送信方法。
【請求項８】
第1のユーザ機器によってフィードバックされたダウンリンクチャネル品質インジケータを受信し、前記第1のユーザ機器によってフィードバックされた前記ダウンリンクチャネル品質インジケータに従って前記第1のユーザ機器の第1のダウンリンク変調およびコーディング方式を判定するように構成された、第1の変調およびコーディング方式判定モジュールと、
前記第1のユーザ機器の前記第1のダウンリンク変調およびコーディング方式に従って前記第1のユーザ機器に第1のセルの送信リソースを割り振るように構成されたリソース割振りモジュールであって、前記第1のセルは、前記第1のユーザ機器のサービングセルである、リソース割振りモジュールと、
前記第1のユーザ機器の測定集合内の各セルのサブ帯域幅レベルのアップリンクチャネル行列を獲得するように構成されたチャネル行列獲得モジュールであって、前記第1のユーザ機器の前記測定集合内の各セルの前記サブ帯域幅レベルの前記アップリンクチャネル行列は、前記第1のユーザ機器によって第1の基地局に送信されるサウンディング参照信号に従って判定され、前記第1の基地局は、前記第1のユーザ機器の前記測定集合内の各セルが属する基地局である、チャネル行列獲得モジュールと、
前記第1のユーザ機器の前記測定集合内の各セルの前記サブ帯域幅レベルの前記アップリンクチャネル行列に従って、前記第1のユーザ機器の送信集合内の各セルによって送信されるダウンリンク送信ストリームの信号対干渉雑音比を判定するように構成された信号対干渉雑音比判定モジュールであって、前記第1のユーザ機器の前記送信集合は、前記第1のユーザ機器の前記測定集合の部分集合である、信号対干渉雑音比判定モジュールと、
送信される前記ダウンリンク送信ストリームの前記信号対干渉雑音比に従って前記第1のユーザ機器の第2のダウンリンク変調およびコーディング方式を判定するように構成された第2の変調およびコーディング方式判定モジュールと
を含む、データ送信装置。
【請求項９】
前記信号対干渉雑音比判定モジュールは、
前記第1のユーザ機器の前記測定集合内の各セルの前記サブ帯域幅レベルの前記アップリンクチャネル行列に従って、前記第1のユーザ機器の前記送信集合内の各セルによって送信される前記ダウンリンク送信ストリームの前記サブ帯域幅レベルの信号対干渉雑音比を判定するように構成された第1の信号対干渉雑音比判定ユニットと、
前記第1のユーザ機器の前記送信集合内の前記セルによって送信される前記ダウンリンク送信ストリームの前記サブ帯域幅レベルの前記信号対干渉雑音比を合成し、前記第1のユーザ機器の前記送信集合内の各セルによって送信される前記ダウンリンク送信ストリームの前記信号対干渉雑音比を取得するように構成された第2の信号対干渉雑音比判定ユニットと
を含む、請求項8に記載の装置。
【請求項１０】
前記第2の変調およびコーディング方式判定モジュールは、
前記第1のユーザ機器の前記第2のダウンリンク変調およびコーディング方式として、
【数３】
2016526352.tif 000297
を満足する最大のSINRMCSに対応する変調およびコーディング方式を選択するように構成され、
ここで、
【数４】
2016526352.tif 000298
は、前記第1のユーザ機器の前記測定集合内の各セルによって送信される第stxのダウンリンク送信ストリームの信号対干渉雑音比であり、stxは、送信される前記ダウンリンク送信ストリームのストリーム番号であり、SINRMCSは、前記変調およびコーディング方式に対応する前記信号対干渉雑音比である
請求項8または9に記載の装置。
【請求項１１】
前記装置は、
前記第1のユーザ機器の前記測定集合内の前記セルとして、前記第1のセルに隣接するセルまたは次式を満足するセルを使用するように更に構成され、
|RSRP1-RSRPi|<Thr
ここで、RSRP1は、前記第1のセルの参照信号受信電力であり、RSRPiは、前記第1のセル以外のセルの参照信号受信電力であり、Thrは、集合しきい値である
測定集合判定モジュール
をさらに含む、請求項8から10のいずれか一項に記載の装置。
【請求項１２】
前記装置は、
前記第1のユーザ機器の前記第2のダウンリンク変調およびコーディング方式と前記第1のセルの前記送信リソースとに従って、前記第1のユーザ機器に割り振られる前記第1のセルの送信リソース上で前記第1のユーザ機器に送信されるトランスポートブロックサイズを判定するように更に構成された、請求項8から11のいずれか一項に記載の装置。
【請求項１３】
前記装置は、
前記第1のユーザ機器に制御シグナリングを送信するように更に構成され、前記制御シグナリングは、前記第2のダウンリンク変調およびコーディング方式と前記第1のユーザ機器の送信リソース割振り情報とを含み、前記送信リソース割振り情報は、前記第1のユーザ機器に割り振られる前記第1のセルの前記送信リソースを示すのに使用される、
請求項8から12のいずれか一項に記載の装置。
【請求項１４】
１つのユーザ機器であって、
第1のセルが属する基地局にダウンリンクチャネル品質インジケータを送信するように構成されたチャネル品質インジケータ送信モジュールであって、前記第1のセルは、前記ユーザ機器のサービングセルである、チャネル品質インジケータ送信モジュールと、
第1の基地局にサウンディング参照信号を送信するように構成されたサウンディング参照信号送信モジュールであって、前記第1の基地局は、前記ユーザ機器の測定集合内の各セルが属する基地局である、サウンディング参照信号送信モジュールと、
前記基地局によって送信される送信リソース割振り情報と第2のダウンリンク変調およびコーディング方式とを受信するように構成された受信モジュールであって、前記送信リソース割振り情報は、前記基地局によって前記ユーザ機器に割り振られる前記第1のセルの送信リソースを示すのに使用され、前記送信リソースは、前記基地局が前記ユーザ機器によって送信された前記ダウンリンクチャネル品質インジケータに従って第1のダウンリンク変調およびコーディング方式を判定した後に、前記第1のダウンリンク変調およびコーディング方式に従って前記ユーザ機器に割り振られ、前記第2のダウンリンク変調およびコーディング方式は、送信される前記ダウンリンク送信ストリームの信号対干渉雑音比に従って判定され、前記ユーザ機器の前記測定集合内の各セルの前記サブ帯域幅レベルの前記アップリンクチャネル行列は、前記ユーザ機器によって前記第1の基地局に送信された前記サウンディング参照信号に従って判定され、送信される前記ダウンリンク送信ストリームの前記信号対干渉雑音比が前記ユーザ機器の前記測定集合内の各セルの前記サブ帯域幅レベルのアップリンクチャネル行列に従って判定され、前記ユーザ機器の前記送信集合は、前記ユーザ機器の前記測定集合の部分集合である、受信モジュールと
を含む、ユーザ機器。
【請求項１５】
受信される前記送信リソース割振り情報と前記第2のダウンリンク変調およびコーディング方式とに従って、前記ユーザ機器に割り振られる前記第1のセルの前記送信リソース上で前記基地局によって前記ユーザ機器に送信されるトランスポートブロックサイズを判定するように構成された、
請求項14に記載のユーザ機器。
【請求項１６】
請求項１から７のいずれか１項に記載の方法をコンピュータに実行させるプログラム。
【手続補正２】
【補正対象書類名】明細書
【補正対象項目名】０００２
【補正方法】変更
【補正の内容】
【０００２】
ロングタームエボリューション(Long Term Evolution、略してLTE)は、第3世代パートナーシッププロジェクト(3rd Generation Partnership Project、略して3GPP)の標準規格であり、第3世代モバイル遠隔通信技術(3rd-generation、略して3G)から第4世代モバイル遠隔通信技術(4th-generation、略して4G)への進化のための主流技術と考えられる。LTEは、周波数分割複信(Frequency Division Duplexing、略してFDD)および時分割複信(Time Division Duplexing、略してTDD)を含む。LTE-TDDシステムでは、同一の周波数帯が、アップリンク上およびダウンリンク上で使用され、アップリンクは、単に時間に依存してダウンリンクから区別される。
【手続補正３】
【補正対象書類名】明細書
【補正対象項目名】０００３
【補正方法】変更
【補正の内容】
【０００３】
LTE-TDDシステムでは、既存のデータ送信方法は、進化型ノードB(evolved NodeB、略してeNB)によって、ユーザ機器(User Equipment、略してUE)によってフィードバックされたダウンリンクチャネル品質インジケータ(Channel Quality Indicator、略してCQI)に従ってUEのダウンリンク変調およびコーディング方式(Modulation and Coding Scheme、略してMCS)を判定するステップと、UEのダウンリンクMCSに従って送信リソースを割り振るステップとを含む。UEは、一般に、ダウンリンク送信モードが送信ダイバーシティモードまたは閉ループ空間多重化モードであると仮定し、仮定されるダウンリンク送信モードに従ってダウンリンクCQIを判定する。
【手続補正４】
【補正対象書類名】明細書
【補正対象項目名】０００４
【補正方法】変更
【補正の内容】
【０００４】
本発明の実施中に、従来技術が少なくとも以下の問題を有することが、発見される。
【手続補正５】
【補正対象書類名】明細書
【補正対象項目名】０２９６
【補正方法】変更
【補正の内容】
【０２９６】
具体的には、前述のLSチャネル推定法において使用される式は、H=R*S'であり、ここで、Hは、推定されたアップリンクチャネルであり、Rは、第1の基地局によって受信されたSRSであり、S'は、Sの共役信号であり、Sは、第1のUEによって送信されたSRSである。
【手続補正６】
【補正対象書類名】明細書
【補正対象項目名】０５４４
【補正方法】変更
【補正の内容】
【０５４４】
オプションで、プロセッサ62は、式(2)に従って、送信されるダウンリンク送信ストリームに関する第1のUEの測定集合内のセルのSBレベルの干渉および雑音電力を判定するように構成され得る。
【手続補正７】
【補正対象書類名】明細書
【補正対象項目名】０５４５
【補正方法】変更
【補正の内容】
【０５４５】
オプションで、プロセッサ62は、式(3)に従って、送信されるダウンリンク送信ストリームに関する第1のUEの測定集合の外部のセルのSBレベルの干渉および雑音電力を判定するように構成され得る。
【手続補正８】
【補正対象書類名】明細書
【補正対象項目名】０５４７
【補正方法】変更
【補正の内容】
【０５４７】
オプションで、プロセッサ62は、第sfbの仮定されるダウンリンク送信ストリームに対応するダウンリンクCQIが、第1の信号対雑音比に従って取得される時に、
第1のUEによって仮定される送信モードが、送信ダイバーシティである場合に、式(4)に従って、第sfbの仮定されるダウンリンク送信ストリームに関する第1のUEの測定集合の外部のセルのSBレベルの干渉および雑音電力を判定し、
第1のUEによって仮定される送信モードが、閉ループ空間多重化である場合に、式(5)に従って、第sfbの仮定されるダウンリンク送信ストリームに関する第1のUEの測定集合の外部のセルのSBレベルの干渉および雑音電力を判定する
ように構成され得る。
【手続補正９】
【補正対象書類名】明細書
【補正対象項目名】０５４８
【補正方法】変更
【補正の内容】
【０５４８】
オプションで、プロセッサ62は、第sfbの仮定されるダウンリンク送信ストリームに対応するダウンリンクCQIが、第2の信号対雑音比に従って取得される時に、
第1のUEによって仮定される送信モードが、送信ダイバーシティである場合に、式(6)に従って、第sfbの仮定されるダウンリンク送信ストリームに関する第1のUEの測定集合の外部のセルのSBレベルの干渉および雑音電力を判定し、
第1のUEによって仮定される送信モードが、閉ループ空間多重化であり、第1のUEの送信集合内のセルによるダウンリンク送信ストリームの送信の送信モードが、送信モードTM8である場合に、式(7)に従って、第sfbの仮定されるダウンリンク送信ストリームに関する第1のUEの測定集合の外部の基地局のSBレベルの干渉および雑音電力を判定し、
第1のUEによって仮定される送信モードが、閉ループ空間多重化であり、第1のUEの送信集合内のセルによるダウンリンク送信ストリームの送信の送信モードが、送信モードTM9である場合に、式(8)に従って、第sfbの仮定されるダウンリンク送信ストリームに関する第1のUEの測定集合の外部のセルのSBレベルの干渉および雑音電力を判定する
ように構成され得る。
【手続補正１０】
【補正対象書類名】明細書
【補正対象項目名】０５４９
【補正方法】変更
【補正の内容】
【０５４９】
オプションで、プロセッサ62は、式(9)に従って、送信される第stxのダウンリンク送信ストリームに関する第1のUEの測定集合の外部のセルのSBレベルの干渉および雑音電力を判定するように構成され得る。
【手続補正１１】
【補正対象書類名】明細書
【補正対象項目名】０５５０
【補正方法】変更
【補正の内容】
【０５５０】
オプションで、プロセッサ62は、送信されるダウンリンク送信ストリームのストリーム量Stxが、仮定されるダウンリンク送信ストリームのストリーム量Sfbと等しいすなわちStx=Sfbである時に、式(10)に従って、送信される第stxのダウンリンク送信ストリームに関する第1のUEの測定集合の外部のセルのSBレベルの干渉および雑音電力を判定するように構成され得る。
【国際調査報告】
2016526352.tif 000299
2016526352.tif 000300
2016526352.tif 000301
2016526352.tif 000302